(57)【特許請求の範囲】
【請求項１】
ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理システムであって、
前記ＩＣカード発行管理システムは、
ＩＣカードに関連する所定のＩＣカード管理情報を管理するＩＣカード管理データベースと、
所定のＩＣカード運用業務処理を行うＩＣカード情報管理サブシステムと、
前記ＩＣカード情報管理サブシステムのＩＣカード管理情報を用いて、前記ＩＣカードサービス提供管理システムと所定のＩＣカード運用業務を実現するための通信データを生成する通信データ生成手段、ＩＣカードサービス提供管理システムからのＩＣカード運用業務に関する通信データを受信する通信データ受信手段、およびＩＣカードサービス提供管理システムへＩＣカード運用業務に関する通信データを送信する通信データ送信手段を備えるＩＣカード発行管理通信サブシステムとを有し、
前記所定のＩＣカード運用業務とは、ＩＣカードに搭載を希望するアプリケーションに関連する情報をＩＣカードサービス提供管理システムから要求されて登録するアプリケーション登録業務であり、
該アプリケーション登録業務においてＩＣカード発行管理通信サブシステムがＩＣカードサービス提供管理システムから受信するデータは、登録を希望するアプリケーションの属性情報を含んでおり、
前記アプリケーション登録業務においてＩＣカード発行管理通信サブシステムがＩＣカードサービス提供管理システムへ送信するデータは、アプリケーション登録の結果を含んでおり、
前記ＩＣカード情報管理サブシステムは、
アプリケーションを登録するアプリケーション登録手段と、
アプリケーション登録処理終了後、登録するアプリケーションに関する情報をＩＣカード管理データベースに登録するデータベース登録手段とを有し、
前記ＩＣカードサービス提供管理システムにおける前記所定のＩＣカード運用業務とは、ＩＣカードに搭載を希望するアプリケーションに関連する情報をＩＣカード発行管理システムに要求するアプリケーション登録業務であり、
該アプリケーション登録業務においてＩＣカードサービス提供管理通信サブシステムがＩＣカード発行管理システムへ送信するデータは、登録を希望するアプリケーションの属性情報を含んでおり、
前記アプリケーション登録業務においてＩＣカードサービス提供管理通信サブシステムがＩＣカード発行管理システムから受信するデータは、アプリケーション登録の結果を含んでおり、
前記ＩＣカードアプリケーション情報管理サブシステムは、
アプリケーション登録情報を取得するアプリケーション取得手段と、
この取得したアプリケーション登録情報を必要によりＩＣカードアプリケーション管理データベースに登録するデータベース登録手段とを有し、
前記ＩＣカード管理情報の一部としてカードＯＳの種類を有し、
前記通信データの情報の一部としてカードＯＳの種類を有し、
ＩＣカードサービス提供管理システムは、
ＩＣカードに搭載するアプリケーションに関連する所定のＩＣカードアプリケーション管理情報を管理するＩＣカードアプリケーション管理データベースと、
所定のＩＣカード運用業務処理を行うＩＣカードアプリケーション情報管理サブシステムと、
前記ＩＣカードアプリケーション情報管理サブシステムのＩＣカードアプリケーション管理情報を用いて、前記ＩＣカード発行管理システムと所定のＩＣカード運用業務を実現するための通信データを生成する通信データ生成手段、ＩＣカード発行管理システムからのＩＣカード運用業務に関する通信データを受信する通信データ受信手段、およびＩＣカード発行管理システムへＩＣカード運用業務に関する通信データを送信する通信データ送信手段を備えたＩＣカードサービス提供管理通信サブシステムとを有し、
前記ＩＣカードアプリケーション管理情報の一部としてカードＯＳの種類を有し、
前記通信データの情報の一部としてカードＯＳの種類
を有することを特徴とするＩＣカード運用管理システム。
【請求項２】
ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理システムであって、
前記ＩＣカード発行管理システムは、
ＩＣカードに関連する所定のＩＣカード管理情報を管理するＩＣカード管理データベースと、
所定のＩＣカード運用業務処理を行うＩＣカード情報管理サブシステムと、
前記ＩＣカード情報管理サブシステムのＩＣカード管理情報を用いて、前記ＩＣカードサービス提供管理システムと所定のＩＣカード運用業務を実現するための通信データを生成する通信データ生成手段、ＩＣカードサービス提供管理システムからのＩＣカード運用業務に関する通信データを受信する通信データ受信手段、およびＩＣカードサービス提供管理システムへＩＣカード運用業務に関する通信データを送信する通信データ送信手段を備えるＩＣカード発行管理通信サブシステムとを有し、
前記所定のＩＣカード運用業務とは、アプリケーション登録業務で登録要求されたアプリケーションを登録終了前に取り消しすることをＩＣカードサービス提供管理システムから要求されるアプリケーション登録取り消し業務であり、
該アプリケーション登録取り消し業務においてＩＣカード発行管理通信サブシステムがＩＣカードサービス提供管理システムから受信するデータは、登録取り消しを希望するアプリケーションの属性情報を含んでおり、
前記アプリケーション登録取り消し業務においてＩＣカード発行管理通信サブシステムがＩＣカードサービス提供管理システムへ送信するデータは、アプリケーション登録取り消しの結果を含んでおり、
前記ＩＣカード情報管理サブシステムは、
前記受信した情報を基に所定のプラットフォームのアプリケーションの登録を取り消すアプリケーション登録取り消し手段と、
アプリケーション登録取り消し処理終了後、必要により登録取り消しに関する情報をＩＣカード管理データベースに登録するデータベース登録手段とを有し、
前記ＩＣカードサービス提供管理システムにおける前記所定のＩＣカード運用業務とは、アプリケーション登録業務で登録要求したアプリケーションを登録終了前に取り消しすることをＩＣカード発行管理システムに要求するアプリケーション登録取り消し業務であり、
該アプリケーション登録取り消し業務においてＩＣカードサービス提供管理通信サブシステムがＩＣカード発行管理システムへ送信するデータは、登録取り消しを希望するアプリケーションの属性情報を含んでおり、
前記アプリケーション登録取り消し業務においてＩＣカードサービス提供管理通信サブシステムがＩＣカード発行管理システムから受信するデータは、アプリケーション登録取り消しの結果を含んでおり、
前記ＩＣカードアプリケーション情報管理サブシステムは、
アプリケーション登録取り消しを希望するアプリケーションの属性情報を取得するアプリケーション属性情報取得手段と、
前記受信した情報を必要によりＩＣカードアプリケーション管理データベースに登録するデータベース登録手段とを有し、
前記ＩＣカード管理情報の一部としてカードＯＳの種類を有し、
前記通信データの情報の一部としてカードＯＳの種類を有し、
ＩＣカードサービス提供管理システムは、
ＩＣカードに搭載するアプリケーションに関連する所定のＩＣカードアプリケーション管理情報を管理するＩＣカードアプリケーション管理データベースと、
所定のＩＣカード運用業務処理を行うＩＣカードアプリケーション情報管理サブシステムと、
前記ＩＣカードアプリケーション情報管理サブシステムのＩＣカードアプリケーション管理情報を用いて、前記ＩＣカード発行管理システムと所定のＩＣカード運用業務を実現するための通信データを生成する通信データ生成手段、ＩＣカード発行管理システムからのＩＣカード運用業務に関する通信データを受信する通信データ受信手段、およびＩＣカード発行管理システムへＩＣカード運用業務に関する通信データを送信する通信データ送信手段を備えたＩＣカードサービス提供管理通信サブシステムとを有し、
前記ＩＣカードアプリケーション管理情報の一部としてカードＯＳの種類を有し、
前記通信データの情報の一部としてカードＯＳの種類
を有することを特徴とするＩＣカード運用管理システム。
【請求項３】
ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理システムであって、
前記ＩＣカード発行管理システムは、
ＩＣカードに関連する所定のＩＣカード管理情報を管理するＩＣカード管理データベースと、
所定のＩＣカード運用業務処理を行うＩＣカード情報管理サブシステムと、
前記ＩＣカード情報管理サブシステムのＩＣカード管理情報を用いて、前記ＩＣカードサービス提供管理システムと所定のＩＣカード運用業務を実現するための通信データを生成する通信データ生成手段、ＩＣカードサービス提供管理システムからのＩＣカード運用業務に関する通信データを受信する通信データ受信手段、およびＩＣカードサービス提供管理システムへＩＣカード運用業務に関する通信データを送信する通信データ送信手段を備えるＩＣカード発行管理通信サブシステムとを有し、
前記所定のＩＣカード運用業務とは、アプリケーション登録業務で登録要求された際の受信メッセージに記載されたすべてのアプリケーションを登録終了前にまとめて取り消しすることをＩＣカードサービス提供管理システムから要求されるアプリケーション登録バッチ取り消し業務であり、
該アプリケーション登録バッチ取り消し業務においてＩＣカード発行管理通信サブシステムがＩＣカードサービス提供管理システムから受信するデータは、アプリケーション登録要求を受信した際のメッセージ属性情報を含んでおり、
前記アプリケーション登録バッチ取り消し業務においてＩＣカード発行管理通信サブシステムがＩＣカードサービス提供管理システムへ送信するデータは、アプリケーション登録バッチ取り消しの結果を含んでおり、
前記ＩＣカード情報管理サブシステムは、
前記受信した情報を基に所定のプラットフォームのアプリケーションの登録を取り消すアプリケーション登録取り消し手段と、
アプリケーション登録取り消し処理終了後、必要により登録バッチ取り消しに関する情報をＩＣカード管理データベースに登録するデータベース登録手段とを有し、
前記ＩＣカードサービス提供管理システムにおける前記所定のＩＣカード運用業務とは、アプリケーション登録業務で登録要求した際の送信メッセージに記載されたすべてのアプリケーションを登録終了前にまとめて取り消しすることをＩＣカード発行管理システムに要求するアプリケーション登録バッチ取り消し業務であり、
該アプリケーション登録バッチ取り消し業務においてＩＣカードサービス提供管理通信サブシステムがＩＣカード発行管理システムへ送信するデータは、アプリケーション登録要求を送信した際のメッセージ属性情報を含んでおり、
前記アプリケーション登録バッチ取り消し業務においてＩＣカードサービス提供管理通信サブシステムがＩＣカード発行管理システムから受信するデータは、アプリケーション登録バッチ取り消しの結果を含んでおり、
前記ＩＣカードアプリケーション情報管理サブシステムは、
アプリケーション登録取り消しを希望するアプリケーションの属性情報を取得するアプリケーション属性情報取得手段と、
前記受信した情報を必要によりＩＣカードアプリケーション管理データベースに登録するデータベース登録手段とを有し、
前記ＩＣカード管理情報の一部としてカードＯＳの種類を有し、
前記通信データの情報の一部としてカードＯＳの種類を有し、
ＩＣカードサービス提供管理システムは、
ＩＣカードに搭載するアプリケーションに関連する所定のＩＣカードアプリケーション管理情報を管理するＩＣカードアプリケーション管理データベースと、
所定のＩＣカード運用業務処理を行うＩＣカードアプリケーション情報管理サブシステムと、
前記ＩＣカードアプリケーション情報管理サブシステムのＩＣカードアプリケーション管理情報を用いて、前記ＩＣカード発行管理システムと所定のＩＣカード運用業務を実現するための通信データを生成する通信データ生成手段、ＩＣカード発行管理システムからのＩＣカード運用業務に関する通信データを受信する通信データ受信手段、およびＩＣカード発行管理システムへＩＣカード運用業務に関する通信データを送信する通信データ送信手段を備えたＩＣカードサービス提供管理通信サブシステムとを有し、
前記ＩＣカードアプリケーション管理情報の一部としてカードＯＳの種類を有し、
前記通信データの情報の一部としてカードＯＳの種類
を有することを特徴とするＩＣカード運用管理システム。
【請求項４】
ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理システムであって、
前記ＩＣカード発行管理システムは、
ＩＣカードに関連する所定のＩＣカード管理情報を管理するＩＣカード管理データベースと、
所定のＩＣカード運用業務処理を行うＩＣカード情報管理サブシステムと、
前記ＩＣカード情報管理サブシステムのＩＣカード管理情報を用いて、前記ＩＣカードサービス提供管理システムと所定のＩＣカード運用業務を実現するための通信データを生成する通信データ生成手段、ＩＣカードサービス提供管理システムからのＩＣカード運用業務に関する通信データを受信する通信データ受信手段、およびＩＣカードサービス提供管理システムへＩＣカード運用業務に関する通信データを送信する通信データ送信手段を備えるＩＣカード発行管理通信サブシステムとを有し、
前記所定のＩＣカード運用業務は、アプリケーション登録業務で登録要求されたアプリケーションに関する問合せをＩＣカードサービス提供管理システムから要求されるアプリケーション登録問合せ業務であり、
該アプリケーション登録問合せ業務においてＩＣカード発行管理通信サブシステムがＩＣカードサービス提供管理システムから受信するデータは、登録問合せを希望するアプリケーションの属性情報を含んでおり、
前記アプリケーション登録問合せ業務においてＩＣカード発行管理通信サブシステムがＩＣカードサービス提供管理システムへ送信するデータは、アプリケーション登録問合せの結果を含んでおり、
前記ＩＣカード情報管理サブシステムは、
前記受信した情報を基に所定のプラットフォームのアプリケーション登録情報を照会する照会手段と、
アプリケーション登録問合せ処理終了後、必要により登録問合せに関する情報をＩＣカード管理データベースに登録するデータベース登録手段とを有し、
前記ＩＣカードサービス提供管理システムにおける前記所定のＩＣカード運用業務とは、アプリケーション登録業務で登録要求したアプリケーションに関する問合せをＩＣカード発行管理システムに要求するアプリケーション登録問合せ業務であり、
該アプリケーション登録問合せ業務においてＩＣカードサービス提供管理通信サブシステムがＩＣカード発行管理システムへ送信するデータは、登録問合せを希望するアプリケーションの属性情報を含んでおり、
前記アプリケーション登録業務においてＩＣカードサービス提供管理通信サブシステムがＩＣカード発行管理システムから受信するデータは、アプリケーション登録問合せの結果を含んでおり、
前記ＩＣカードアプリケーション情報管理サブシステムは、
登録問合せを希望するアプリケーションの属性情報を取得する属性情報取得手段と、
前記受信した情報を必要によりＩＣカードアプリケーション管理データベースに登録するデータベース登録手段とを有し、
前記ＩＣカード管理情報の一部としてカードＯＳの種類を有し、
前記通信データの情報の一部としてカードＯＳの種類を有し、
ＩＣカードサービス提供管理システムは、
ＩＣカードに搭載するアプリケーションに関連する所定のＩＣカードアプリケーション管理情報を管理するＩＣカードアプリケーション管理データベースと、
所定のＩＣカード運用業務処理を行うＩＣカードアプリケーション情報管理サブシステムと、
前記ＩＣカードアプリケーション情報管理サブシステムのＩＣカードアプリケーション管理情報を用いて、前記ＩＣカード発行管理システムと所定のＩＣカード運用業務を実現するための通信データを生成する通信データ生成手段、ＩＣカード発行管理システムからのＩＣカード運用業務に関する通信データを受信する通信データ受信手段、およびＩＣカード発行管理システムへＩＣカード運用業務に関する通信データを送信する通信データ送信手段を備えたＩＣカードサービス提供管理通信サブシステムとを有し、
前記ＩＣカードアプリケーション管理情報の一部としてカードＯＳの種類を有し、
前記通信データの情報の一部としてカードＯＳの種類
を有することを特徴とするＩＣカード運用管理システム。
【請求項５】
ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理システムであって、
前記ＩＣカード発行管理システムは、
ＩＣカードに関連する所定のＩＣカード管理情報を管理するＩＣカード管理データベースと、
所定のＩＣカード運用業務処理を行うＩＣカード情報管理サブシステムと、
前記ＩＣカード情報管理サブシステムのＩＣカード管理情報を用いて、前記ＩＣカードサービス提供管理システムと所定のＩＣカード運用業務を実現するための通信データを生成する通信データ生成手段、ＩＣカードサービス提供管理システムからのＩＣカード運用業務に関する通信データを受信する通信データ受信手段、およびＩＣカードサービス提供管理システムへＩＣカード運用業務に関する通信データを送信する通信データ送信手段を備えるＩＣカード発行管理通信サブシステムとを有し、
前記所定のＩＣカード運用業務とは、アプリケーション登録業務で登録要求された際の受信メッセージに記載されたすべてのアプリケーションに関してまとめて問合せすることをＩＣカードサービス提供管理システムから要求されるアプリケーション登録バッチ問合せ業務であり、
該アプリケーション登録バッチ問合せ業務においてＩＣカード発行管理通信サブシステムがＩＣカードサービス提供管理システムから受信するデータは、アプリケーション登録要求を受信した際のメッセージ属性情報を含んでおり、
前記アプリケーション登録バッチ問合せ業務においてＩＣカード発行管理通信サブシステムがＩＣカードサービス提供管理システムへ送信するデータは、アプリケーション登録バッチ問合せの結果を含んでおり、
前記ＩＣカード情報管理サブシステムは、
前記受信した情報を基に所定のプラットフォームのアプリケーション登録情報を照会する照会手段と、
アプリケーション登録バッチ問合せ処理終了後、必要により登録バッチ問合せに関する情報をＩＣカード管理データベースに登録するデータベース登録手段とを有し、
前記ＩＣカードサービス提供管理システムにおける前記所定のＩＣカード運用業務とは、アプリケーション登録業務で登録要求した際の送信メッセージに記載されたすべてのアプリケーションに関してまとめて問合せすることをＩＣカード発行管理システムに要求するアプリケーション登録バッチ問合せ業務であり、
該アプリケーション登録バッチ問合せ業務においてＩＣカードサービス提供管理通信サブシステムがＩＣカード発行管理システムへ送信するデータは、アプリケーション登録要求を送信した際のメッセージ属性情報を含んでおり、
前記アプリケーション登録バッチ業務においてＩＣカードサービス提供管理通信サブシステムがＩＣカード発行管理システムから受信するデータは、アプリケーション登録バッチ問合せの結果を含んでおり、
前記ＩＣカードアプリケーション情報管理サブシステムは、
登録問合せを希望するアプリケーションの属性情報を取得する属性情報取得手段と、
前記受信した情報を必要によりＩＣカードアプリケーション管理データベースに登録するデータベース登録手段とを有し、
前記ＩＣカード管理情報の一部としてカードＯＳの種類を有し、
前記通信データの情報の一部としてカードＯＳの種類を有し、
ＩＣカードサービス提供管理システムは、
ＩＣカードに搭載するアプリケーションに関連する所定のＩＣカードアプリケーション管理情報を管理するＩＣカードアプリケーション管理データベースと、
所定のＩＣカード運用業務処理を行うＩＣカードアプリケーション情報管理サブシステムと、
前記ＩＣカードアプリケーション情報管理サブシステムのＩＣカードアプリケーション管理情報を用いて、前記ＩＣカード発行管理システムと所定のＩＣカード運用業務を実現するための通信データを生成する通信データ生成手段、ＩＣカード発行管理システムからのＩＣカード運用業務に関する通信データを受信する通信データ受信手段、およびＩＣカード発行管理システムへＩＣカード運用業務に関する通信データを送信する通信データ送信手段を備えたＩＣカードサービス提供管理通信サブシステムとを有し、
前記ＩＣカードアプリケーション管理情報の一部としてカードＯＳの種類を有し、
前記通信データの情報の一部としてカードＯＳの種類
を有することを特徴とするＩＣカード運用管理システム。
【請求項６】
ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理システムであって、
前記ＩＣカード発行管理システムは、
ＩＣカードに関連する所定のＩＣカード管理情報を管理するＩＣカード管理データベースと、
所定のＩＣカード運用業務処理を行うＩＣカード情報管理サブシステムと、
前記ＩＣカード情報管理サブシステムのＩＣカード管理情報を用いて、前記ＩＣカードサービス提供管理システムと所定のＩＣカード運用業務を実現するための通信データを生成する通信データ生成手段、ＩＣカードサービス提供管理システムからのＩＣカード運用業務に関する通信データを受信する通信データ受信手段、およびＩＣカードサービス提供管理システムへＩＣカード運用業務に関する通信データを送信する通信データ送信手段を備えるＩＣカード発行管理通信サブシステムとを有し、
前記所定のＩＣカード運用業務とは、アプリケーション登録業務により既に登録済みのアプリケーションに対して登録抹消をＩＣカードサービス提供管理システムから要求されるアプリケーション登録抹消業務であり、
該アプリケーション登録抹消業務においてＩＣカード発行管理通信サブシステムがＩＣカードサービス提供管理システムから受信するデータは、登録抹消を希望するアプリケーションの属性情報を含んでおり、
前記アプリケーション登録問合せ業務においてＩＣカード発行管理通信サブシステムがＩＣカードサービス提供管理システムへ送信するデータは、アプリケーション登録抹消の結果を含んでおり、
前記ＩＣカード情報管理サブシステムは、
前記受信した情報を基に所定のプラットフォームのアプリケーション登録抹消処理を制御する抹消制御手段と、
アプリケーション登録抹消処理終了後、必要により登録抹消に関する情報をＩＣカード管理データベースに登録するデータベース登録手段とを有し、
前記ＩＣカードサービス提供管理システムにおける前記所定のＩＣカード運用業務とは、アプリケーション登録業務で登録要求したアプリケーションを登録抹消することをＩＣカード発行管理システムに要求するアプリケーション登録抹消業務であり、
該アプリケーション登録抹消業務においてＩＣカードサービス提供管理通信サブシステムがＩＣカード発行管理システムへ送信するデータは、登録抹消を希望するアプリケーションの属性情報を含んでおり、
前記アプリケーション登録抹消業務においてＩＣカードサービス提供管理通信サブシステムがＩＣカード発行管理システムから受信するデータは、アプリケーション登録抹消の結果を含んでおり、
前記ＩＣカードアプリケーション情報管理サブシステムは、
登録抹消を希望するアプリケーションに関する情報を取得する情報取得手段と、
前記受信した情報を必要によりＩＣカードアプリケーション管理データベースに登録するデータベース登録手段とを有し、
前記ＩＣカード管理情報の一部としてカードＯＳの種類を有し、
前記通信データの情報の一部としてカードＯＳの種類を有し、
ＩＣカードサービス提供管理システムは、
ＩＣカードに搭載するアプリケーションに関連する所定のＩＣカードアプリケーション管理情報を管理するＩＣカードアプリケーション管理データベースと、
所定のＩＣカード運用業務処理を行うＩＣカードアプリケーション情報管理サブシステムと、
前記ＩＣカードアプリケーション情報管理サブシステムのＩＣカードアプリケーション管理情報を用いて、前記ＩＣカード発行管理システムと所定のＩＣカード運用業務を実現するための通信データを生成する通信データ生成手段、ＩＣカード発行管理システムからのＩＣカード運用業務に関する通信データを受信する通信データ受信手段、およびＩＣカード発行管理システムへＩＣカード運用業務に関する通信データを送信する通信データ送信手段を備えたＩＣカードサービス提供管理通信サブシステムとを有し、
前記ＩＣカードアプリケーション管理情報の一部としてカードＯＳの種類を有し、
前記通信データの情報の一部としてカードＯＳの種類
を有することを特徴とするＩＣカード運用管理システム。
【請求項７】
ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理システムであって、
前記ＩＣカード発行管理システムは、
ＩＣカードに関連する所定のＩＣカード管理情報を管理するＩＣカード管理データベースと、
所定のＩＣカード運用業務処理を行うＩＣカード情報管理サブシステムと、
前記ＩＣカード情報管理サブシステムのＩＣカード管理情報を用いて、前記ＩＣカードサービス提供管理システムと所定のＩＣカード運用業務を実現するための通信データを生成する通信データ生成手段、ＩＣカードサービス提供管理システムからのＩＣカード運用業務に関する通信データを受信する通信データ受信手段、およびＩＣカードサービス提供管理システムへＩＣカード運用業務に関する通信データを送信する通信データ送信手段を備えるＩＣカード発行管理通信サブシステムとを有し、
前記所定のＩＣカード運用業務とは、ＩＣカードにアプリケーションを搭載する際に必要とされるアプリケーションの搭載許可をＩＣカードサービス提供管理システムから要求される許可書発行業務であり、
該許可書発行業務においてＩＣカード発行管理通信サブシステムがＩＣカードサービス提供管理システムから受信するデータは、許可書発行を希望するＩＣカードの属性情報および該ＩＣカードへの搭載を希望するアプリケーションの属性情報を含んでおり、
前記許可書発行業務においてＩＣカード発行管理通信サブシステムがＩＣカードサービス提供管理システムへ送信するデータは、許可書発行の結果を含んでおり、
前記ＩＣカード情報管理サブシステムは、
許可書を発行する許可書発行手段と、
前記受信した情報を基に所定の許可書発行処理を制御する制御手段と、
許可書発行処理終了後、必要により許可書を発行するＩＣカードに関する情報をＩＣカード管理データベースに登録するデータベース登録手段とを有し、
前記ＩＣカードサービス提供管理システムにおける前記所定のＩＣカード運用業務とは、ＩＣカードにアプリケーションを搭載する際に必要となるアプリケーション搭載許可書をＩＣカード発行管理システムに要求する許可書発行業務であり、
該許可書発行業務においてＩＣカードサービス提供管理通信サブシステムがＩＣカード発行管理システムへ送信するデータは、許可書発行を希望するＩＣカードの属性情報および該ＩＣカードへの搭載を希望するアプリケーションの属性情報を含んでおり、
前記許可書発行業務においてＩＣカードサービス提供管理通信サブシステムがＩＣカード発行管理システムから受信するデータは、許可書発行の結果を含んでおり、
前記ＩＣカードアプリケーション情報管理サブシステムは、
許可書発行要求に必要な情報を取得する情報取得手段と、
前記受信した情報を必要によりＩＣカードアプリケーション管理データベースに登録するデータベース登録手段とを有し、
前記ＩＣカード管理情報の一部としてカードＯＳの種類を有し、
前記通信データの情報の一部としてカードＯＳの種類を有し、
ＩＣカードサービス提供管理システムは、
ＩＣカードに搭載するアプリケーションに関連する所定のＩＣカードアプリケーション管理情報を管理するＩＣカードアプリケーション管理データベースと、
所定のＩＣカード運用業務処理を行うＩＣカードアプリケーション情報管理サブシステムと、
前記ＩＣカードアプリケーション情報管理サブシステムのＩＣカードアプリケーション管理情報を用いて、前記ＩＣカード発行管理システムと所定のＩＣカード運用業務を実現するための通信データを生成する通信データ生成手段、ＩＣカード発行管理システムからのＩＣカード運用業務に関する通信データを受信する通信データ受信手段、およびＩＣカード発行管理システムへＩＣカード運用業務に関する通信データを送信する通信データ送信手段を備えたＩＣカードサービス提供管理通信サブシステムとを有し、
前記ＩＣカードアプリケーション管理情報の一部としてカードＯＳの種類を有し、
前記通信データの情報の一部としてカードＯＳの種類
を有することを特徴とするＩＣカード運用管理システム。
【請求項８】
ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理システムであって、
前記ＩＣカード発行管理システムは、
ＩＣカードに関連する所定のＩＣカード管理情報を管理するＩＣカード管理データベースと、
所定のＩＣカード運用業務処理を行うＩＣカード情報管理サブシステムと、
前記ＩＣカード情報管理サブシステムのＩＣカード管理情報を用いて、前記ＩＣカードサービス提供管理システムと所定のＩＣカード運用業務を実現するための通信データを生成する通信データ生成手段、ＩＣカードサービス提供管理システムからのＩＣカード運用業務に関する通信データを受信する通信データ受信手段、およびＩＣカードサービス提供管理システムへＩＣカード運用業務に関する通信データを送信する通信データ送信手段を備えるＩＣカード発行管理通信サブシステムとを有し、
前記所定のＩＣカード運用業務とは、許可書発行業務で発行要求された許可書を発行処理終了前に取り消しすることをＩＣカードサービス提供管理システムから要求される許可書発行取り消し業務であり、
該許可書発行取り消し業務においてＩＣカード発行管理通信サブシステムがＩＣカードサービス提供管理システムから受信するデータは、許可書発行対象であるＩＣカードの属性情報および該ＩＣカードへの搭載対象アプリケーションの属性情報を含んでおり、
前記許可書発行取り消し業務においてＩＣカード発行管理通信サブシステムがＩＣカードサービス提供管理システムへ送信するデータは、許可書発行取り消しの結果を含んでおり、
前記ＩＣカード情報管理サブシステムは、
前記受信した情報を基に所定の許可書発行を取り消す許可書発行取り消し手段と、
許可書発行取り消し処理終了後、必要により許可書発行取り消しに関する情報をＩＣカード管理データベースに登録するデータベース登録手段とを有し、
前記ＩＣカードサービス提供管理システムにおける前記所定のＩＣカード運用業務とは、許可書発行業務で発行要求した許可書を発行処理終了前に取り消すことをＩＣカード発行管理システムに要求する許可書発行取り消し業務であり、
該許可書発行取り消し業務においてＩＣカードサービス提供管理通信サブシステムがＩＣカード発行管理システムへ送信するデータは、許可書発行取り消しを希望するＩＣカードの属性情報および該ＩＣカードへの搭載対象アプリケーションの属性情報を含んでおり、
前記許可書発行取り消し業務においてＩＣカードサービス提供管理通信サブシステムがＩＣカード発行管理システムから受信するデータは、許可書発行取り消しの結果を含んでおり、
前記ＩＣカードアプリケーション情報管理サブシステムは、
許可書発行取り消しを要求するＩＣカードの属性情報および該ＩＣカードへの搭載対象アプリケーションの属性情報を取得する属性情報取得手段と、
前記受信した情報を必要によりＩＣカードアプリケーション管理データベースに登録するデータベース登録手段とを有し、
前記ＩＣカード管理情報の一部としてカードＯＳの種類を有し、
前記通信データの情報の一部としてカードＯＳの種類を有し、
ＩＣカードサービス提供管理システムは、
ＩＣカードに搭載するアプリケーションに関連する所定のＩＣカードアプリケーション管理情報を管理するＩＣカードアプリケーション管理データベースと、
所定のＩＣカード運用業務処理を行うＩＣカードアプリケーション情報管理サブシステムと、
前記ＩＣカードアプリケーション情報管理サブシステムのＩＣカードアプリケーション管理情報を用いて、前記ＩＣカード発行管理システムと所定のＩＣカード運用業務を実現するための通信データを生成する通信データ生成手段、ＩＣカード発行管理システムからのＩＣカード運用業務に関する通信データを受信する通信データ受信手段、およびＩＣカード発行管理システムへＩＣカード運用業務に関する通信データを送信する通信データ送信手段を備えたＩＣカードサービス提供管理通信サブシステムとを有し、
前記ＩＣカードアプリケーション管理情報の一部としてカードＯＳの種類を有し、
前記通信データの情報の一部としてカードＯＳの種類
を有することを特徴とするＩＣカード運用管理システム。
【請求項９】
ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理システムであって、
前記ＩＣカード発行管理システムは、
ＩＣカードに関連する所定のＩＣカード管理情報を管理するＩＣカード管理データベースと、
所定のＩＣカード運用業務処理を行うＩＣカード情報管理サブシステムと、
前記ＩＣカード情報管理サブシステムのＩＣカード管理情報を用いて、前記ＩＣカードサービス提供管理システムと所定のＩＣカード運用業務を実現するための通信データを生成する通信データ生成手段、ＩＣカードサービス提供管理システムからのＩＣカード運用業務に関する通信データを受信する通信データ受信手段、およびＩＣカードサービス提供管理システムへＩＣカード運用業務に関する通信データを送信する通信データ送信手段を備えるＩＣカード発行管理通信サブシステムとを有し、
前記所定のＩＣカード運用業務とは、許可書発行業務で発行要求された受信メッセージに記載されたすべての許可書を発行処理終了前にまとめて取り消しすることをＩＣカードサービス提供管理システムから要求される許可書発行バッチ取り消し業務であり、
該許可書発行バッチ取り消し業務においてＩＣカード発行管理通信サブシステムがＩＣカードサービス提供管理システムから受信するデータは、許可書発行要求を受信した際のメッセージ属性情報を含んでおり、
前記許可書発行バッチ取り消し業務においてＩＣカード発行管理通信サブシステムがＩＣカードサービス提供管理システムへ送信するデータは、許可書発行バッチ取り消しの結果を含んでおり、
前記ＩＣカード情報管理サブシステムは、
前記受信した情報を基に所定の許可書発行を取り消す許可書発行取り消し手段と、
許可書発行取り消し処理終了後、必要により許可書発行バッチ取り消しに関する情報をＩＣカード管理データベースに登録するデータベース登録手段とを有し、
前記ＩＣカードサービス提供管理システムにおける前記所定のＩＣカード運用業務とは、許可書発行業務で発行要求した際の送信メッセージに記載されたすべての許可書を発行処理終了前に取り消すことをＩＣカード発行管理システムに要求する許可書発行バッチ取り消し業務であり、
該許可書発行バッチ取り消し業務においてＩＣカードサービス提供管理通信サブシステムがＩＣカード発行管理システムへ送信するデータは、許可書発行要求を送信した際のメッセージ属性情報を含んでおり、
前記許可書発行バッチ取り消し業務においてＩＣカードサービス提供管理通信サブシステムがＩＣカード発行管理システムから受信するデータは、許可書発行バッチ取り消しの結果を含んでおり、
前記ＩＣカードアプリケーション情報管理サブシステムは、
許可書発行取り消しを要求するＩＣカードの属性情報および該ＩＣカードへの搭載対象アプリケーションの属性情報を取得する属性情報取得手段と、
前記受信した情報を必要によりＩＣカードアプリケーション管理データベースに登録するデータベース登録手段とを有し、
前記ＩＣカード管理情報の一部としてカードＯＳの種類を有し、
前記通信データの情報の一部としてカードＯＳの種類を有し、
ＩＣカードサービス提供管理システムは、
ＩＣカードに搭載するアプリケーションに関連する所定のＩＣカードアプリケーション管理情報を管理するＩＣカードアプリケーション管理データベースと、
所定のＩＣカード運用業務処理を行うＩＣカードアプリケーション情報管理サブシステムと、
前記ＩＣカードアプリケーション情報管理サブシステムのＩＣカードアプリケーション管理情報を用いて、前記ＩＣカード発行管理システムと所定のＩＣカード運用業務を実現するための通信データを生成する通信データ生成手段、ＩＣカード発行管理システムからのＩＣカード運用業務に関する通信データを受信する通信データ受信手段、およびＩＣカード発行管理システムへＩＣカード運用業務に関する通信データを送信する通信データ送信手段を備えたＩＣカードサービス提供管理通信サブシステムとを有し、
前記ＩＣカードアプリケーション管理情報の一部としてカードＯＳの種類を有し、
前記通信データの情報の一部としてカードＯＳの種類
を有することを特徴とするＩＣカード運用管理システム。
【請求項１０】
ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理システムであって、
前記ＩＣカード発行管理システムは、
ＩＣカードに関連する所定のＩＣカード管理情報を管理するＩＣカード管理データベースと、
所定のＩＣカード運用業務処理を行うＩＣカード情報管理サブシステムと、
前記ＩＣカード情報管理サブシステムのＩＣカード管理情報を用いて、前記ＩＣカードサービス提供管理システムと所定のＩＣカード運用業務を実現するための通信データを生成する通信データ生成手段、ＩＣカードサービス提供管理システムからのＩＣカード運用業務に関する通信データを受信する通信データ受信手段、およびＩＣカードサービス提供管理システムへＩＣカード運用業務に関する通信データを送信する通信データ送信手段を備えるＩＣカード発行管理通信サブシステムとを有し、
前記所定のＩＣカード運用業務とは、許可書発行業務で登録要求された許可書に関する問合せをＩＣカードサービス提供管理システムから要求される許可書発行問合せ業務であり、
該許可書発行問合せ業務においてＩＣカード発行管理通信サブシステムがＩＣカードサービス提供管理システムから受信するデータは、許可書発行問合せを希望するＩＣカードの属性情報および該ＩＣカードへの搭載対象アプリケーションの属性情報を含んでおり、
前記許可書発行問合せ業務においてＩＣカード発行管理通信サブシステムがＩＣカードサービス提供管理システムへ送信するデータは、許可書発行問合せの結果を含んでおり、
前記ＩＣカード情報管理サブシステムは、
前記受信した情報を基に所定の許可書発行に関する情報を照会する照会手段と、
許可書発行問合せ処理終了後、必要により許可書発行問合せに関する情報をＩＣカード管理データベースに登録するデータベース登録手段とを有し、
前記ＩＣカードサービス提供管理システムにおける前記所定のＩＣカード運用業務とは、許可書発行業務で発行要求した許可書に関する問合せをＩＣカード発行管理システムに要求する許可書発行問合せ業務であり、
該許可書発行問合せ業務においてＩＣカードサービス提供管理通信サブシステムがＩＣカード発行管理システムへ送信するデータは、許可書発行問合せを希望するＩＣカードの属性情報および該ＩＣカードへの搭載対象アプリケーションの属性情報を含んでおり、
前記許可書発行問合せ業務においてＩＣカードサービス提供管理通信サブシステムがＩＣカード発行管理システムから受信するデータは、許可書発行問合せの結果を含んでおり、
前記ＩＣカードアプリケーション情報管理サブシステムは、
許可書発行問合せを希望するＩＣカードの属性情報および該ＩＣカードへの搭載対象アプリケーションに関する情報を取得する情報取得手段と、
前記受信した情報を必要によりＩＣカードアプリケーション管理データベースに登録するデータベース登録手段とを有し、
前記ＩＣカード管理情報の一部としてカードＯＳの種類を有し、
前記通信データの情報の一部としてカードＯＳの種類を有し、
ＩＣカードサービス提供管理システムは、
ＩＣカードに搭載するアプリケーションに関連する所定のＩＣカードアプリケーション管理情報を管理するＩＣカードアプリケーション管理データベースと、
所定のＩＣカード運用業務処理を行うＩＣカードアプリケーション情報管理サブシステムと、
前記ＩＣカードアプリケーション情報管理サブシステムのＩＣカードアプリケーション管理情報を用いて、前記ＩＣカード発行管理システムと所定のＩＣカード運用業務を実現するための通信データを生成する通信データ生成手段、ＩＣカード発行管理システムからのＩＣカード運用業務に関する通信データを受信する通信データ受信手段、およびＩＣカード発行管理システムへＩＣカード運用業務に関する通信データを送信する通信データ送信手段を備えたＩＣカードサービス提供管理通信サブシステムとを有し、
前記ＩＣカードアプリケーション管理情報の一部としてカードＯＳの種類を有し、
前記通信データの情報の一部としてカードＯＳの種類
を有することを特徴とするＩＣカード運用管理システム。
【請求項１１】
ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理システムであって、
前記ＩＣカード発行管理システムは、
ＩＣカードに関連する所定のＩＣカード管理情報を管理するＩＣカード管理データベースと、
所定のＩＣカード運用業務処理を行うＩＣカード情報管理サブシステムと、
前記ＩＣカード情報管理サブシステムのＩＣカード管理情報を用いて、前記ＩＣカードサービス提供管理システムと所定のＩＣカード運用業務を実現するための通信データを生成する通信データ生成手段、ＩＣカードサービス提供管理システムからのＩＣカード運用業務に関する通信データを受信する通信データ受信手段、およびＩＣカードサービス提供管理システムへＩＣカード運用業務に関する通信データを送信する通信データ送信手段を備えるＩＣカード発行管理通信サブシステムとを有し、
前記所定のＩＣカード運用業務とは、許可書発行業務で登録要求された際の受信メッセージに記載されたすべての許可書に関してまとめて問合せすることをＩＣカードサービス提供管理システムから要求される許可書発行バッチ問合せ業務であり、
該許可書発行バッチ問合せ業務においてＩＣカード発行管理通信サブシステムがＩＣカードサービス提供管理システムから受信するデータは、許可書発行問合せを受信した際のメッセージ属性情報を含んでおり、
前記許可書発行バッチ問合せ業務においてＩＣカード発行管理通信サブシステムがＩＣカードサービス提供管理システムへ送信するデータは、許可書発行バッチ問合せの結果を含んでおり、
前記ＩＣカード情報管理サブシステムは、
前記受信した情報を基に所定の許可書発行に関する情報を照会する照会手段と、
許可書発行問合せ処理終了後、必要により許可書発行バッチ問合せに関する情報をＩＣカード管理データベースに登録するデータベース登録手段とを有し、
前記ＩＣカードサービス提供管理システムにおける前記所定のＩＣカード運用業務とは、許可書発行業務で発行要求した際の送信メッセージに記載されたすべての許可書に関してまとめて問合せすることをＩＣカード発行管理システムに要求する許可書発行バッチ問合せ業務であり、
該許可書発行バッチ問合せ業務においてＩＣカードサービス提供管理通信サブシステムがＩＣカード発行管理システムへ送信するデータは、許可書発行要求を送信した際のメッセージ属性情報を含んでおり、
前記許可書発行バッチ問合せ業務においてＩＣカードサービス提供管理通信サブシステムがＩＣカード発行管理システムから受信するデータは、許可書発行バッチ問合せの結果を含んでおり、
前記ＩＣカードアプリケーション情報管理サブシステムは、
許可書発行問合せを希望するＩＣカードの属性情報および該ＩＣカードへの搭載対象アプリケーションの属性情報を取得する情報取得手段と、
前記受信した情報を必要によりＩＣカードアプリケーション管理データベースに登録するデータベース登録手段とを有し、
前記ＩＣカード管理情報の一部としてカードＯＳの種類を有し、
前記通信データの情報の一部としてカードＯＳの種類を有し、
ＩＣカードサービス提供管理システムは、
ＩＣカードに搭載するアプリケーションに関連する所定のＩＣカードアプリケーション管理情報を管理するＩＣカードアプリケーション管理データベースと、
所定のＩＣカード運用業務処理を行うＩＣカードアプリケーション情報管理サブシステムと、
前記ＩＣカードアプリケーション情報管理サブシステムのＩＣカードアプリケーション管理情報を用いて、前記ＩＣカード発行管理システムと所定のＩＣカード運用業務を実現するための通信データを生成する通信データ生成手段、ＩＣカード発行管理システムからのＩＣカード運用業務に関する通信データを受信する通信データ受信手段、およびＩＣカード発行管理システムへＩＣカード運用業務に関する通信データを送信する通信データ送信手段を備えたＩＣカードサービス提供管理通信サブシステムとを有し、
前記ＩＣカードアプリケーション管理情報の一部としてカードＯＳの種類を有し、
前記通信データの情報の一部としてカードＯＳの種類
を有することを特徴とするＩＣカード運用管理システム。
【請求項１２】
ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理システムであって、
前記ＩＣカード発行管理システムは、
ＩＣカードに関連する所定のＩＣカード管理情報を管理するＩＣカード管理データベースと、
所定のＩＣカード運用業務処理を行うＩＣカード情報管理サブシステムと、
前記ＩＣカード情報管理サブシステムのＩＣカード管理情報を用いて、前記ＩＣカードサービス提供管理システムと所定のＩＣカード運用業務を実現するための通信データを生成する通信データ生成手段、ＩＣカードサービス提供管理システムからのＩＣカード運用業務に関する通信データを受信する通信データ受信手段、およびＩＣカードサービス提供管理システムへＩＣカード運用業務に関する通信データを送信する通信データ送信手段を備えるＩＣカード発行管理通信サブシステムとを有し、
前記所定のＩＣカード運用業務とは、ＩＣカードの運用状態、再発行情報を含むＩＣカードに関連する情報の照会をＩＣカードサービス提供管理システムから要求されるカード情報照会業務であり、
該カード情報照会業務においてＩＣカード発行管理通信サブシステムがＩＣカードサービス提供管理システムから受信するデータは、照会対象ＩＣカードの属性情報を含んでおり、
前記カード情報照会業務においてＩＣカード発行管理通信サブシステムがＩＣカードサービス提供管理システムへ送信するデータは、該ＩＣカードに関して照会要求のあった情報を含んでおり、
前記ＩＣカード情報管理サブシステムは、
前記受信した情報を基に照会対象ＩＣカード属性情報をＩＣカード管理データベース内で検索する検索手段と、
カード情報照会処理終了後、必要により照会したＩＣカードに関する情報をＩＣカード管理データベースに登録するデータベース登録手段とを有し、
前記ＩＣカードサービス提供管理システムにおける前記所定のＩＣカード運用業務とは、ＩＣカードの運用状態、再発行情報を含むＩＣカードに関連する情報の照会をＩＣカード発行管理システムへ要求するカード情報照会業務であり、
該カード情報照会業務においてＩＣカードサービス提供管理通信サブシステムがＩＣカード発行管理システムへ送信するデータは、照会対象ＩＣカードの属性情報を含んでおり、
前記カード情報照会業務においてＩＣカードサービス提供管理通信サブシステムがＩＣカード発行管理システムから受信するデータは、該ＩＣカードに関して照会要求した情報を含んでおり、
前記ＩＣカードアプリケーション情報管理サブシステムは、
前記受信した情報を必要によりＩＣカードアプリケーション管理データベースに登録するデータベース登録手段とを有し、
前記ＩＣカード管理情報の一部としてカードＯＳの種類を有し、
前記通信データの情報の一部としてカードＯＳの種類を有し、
ＩＣカードサービス提供管理システムは、
ＩＣカードに搭載するアプリケーションに関連する所定のＩＣカードアプリケーション管理情報を管理するＩＣカードアプリケーション管理データベースと、
所定のＩＣカード運用業務処理を行うＩＣカードアプリケーション情報管理サブシステムと、
前記ＩＣカードアプリケーション情報管理サブシステムのＩＣカードアプリケーション管理情報を用いて、前記ＩＣカード発行管理システムと所定のＩＣカード運用業務を実現するための通信データを生成する通信データ生成手段、ＩＣカード発行管理システムからのＩＣカード運用業務に関する通信データを受信する通信データ受信手段、およびＩＣカード発行管理システムへＩＣカード運用業務に関する通信データを送信する通信データ送信手段を備えたＩＣカードサービス提供管理通信サブシステムとを有し、
前記ＩＣカードアプリケーション管理情報の一部としてカードＯＳの種類を有し、
前記通信データの情報の一部としてカードＯＳの種類
を有することを特徴とするＩＣカード運用管理システム。
【請求項１３】
ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理システムであって、
前記ＩＣカード発行管理システムは、
ＩＣカードに関連する所定のＩＣカード管理情報を管理するＩＣカード管理データベースと、
所定のＩＣカード運用業務処理を行うＩＣカード情報管理サブシステムと、
前記ＩＣカード情報管理サブシステムのＩＣカード管理情報を用いて、前記ＩＣカードサービス提供管理システムと所定のＩＣカード運用業務を実現するための通信データを生成する通信データ生成手段、ＩＣカードサービス提供管理システムからのＩＣカード運用業務に関する通信データを受信する通信データ受信手段、およびＩＣカードサービス提供管理システムへＩＣカード運用業務に関する通信データを送信する通信データ送信手段を備えるＩＣカード発行管理通信サブシステムとを有し、
前記所定のＩＣカード運用業務とは、ＩＣカードが廃止されたことをＩＣカードサービス提供管理システムに通知するＩＣカード廃止通知業務であり、
該ＩＣカード廃止通知業務においてＩＣカード発行管理通信サブシステムがＩＣカードサービス提供管理システムへ送信するデータは、廃止されたＩＣカードの属性情報または該ＩＣカードへの許可書発行要求を受信した際のメッセージの属性情報を含んでおり、
前記ＩＣカード情報管理サブシステムは、
ＩＣカードの廃止処理を行うＩＣカード廃止処理手段と、
ＩＣカード廃止通知処理終了後、必要により廃止通知したＩＣカードに関する情報をＩＣカード管理データベースに登録するデータベース登録手段とを有し、
前記ＩＣカードサービス提供管理システムにおける前記所定のＩＣカード運用業務とは、ＩＣカードが廃止されたことをＩＣカード発行管理システムから受信するＩＣカード廃止通知業務であり、
該ＩＣカード廃止通知業務においてＩＣカードサービス提供管理通信サブシステムがＩＣカード発行管理システムから受信するデータは、廃止されたＩＣカードの属性情報または該ＩＣカードへの許可書発行要求を受信した際のメッセージの属性情報を含んでおり、
前記ＩＣカードアプリケーション情報管理サブシステムは、
前記受信した情報をＩＣカードアプリケーション管理データベースに登録するデータベース登録手段と、
前記受信した情報に基づきＩＣカード運用業務を制御する運用業務制御手段とを有し、
前記ＩＣカード管理情報の一部としてカードＯＳの種類を有し、
前記通信データの情報の一部としてカードＯＳの種類を有し、
ＩＣカードサービス提供管理システムは、
ＩＣカードに搭載するアプリケーションに関連する所定のＩＣカードアプリケーション管理情報を管理するＩＣカードアプリケーション管理データベースと、
所定のＩＣカード運用業務処理を行うＩＣカードアプリケーション情報管理サブシステムと、
前記ＩＣカードアプリケーション情報管理サブシステムのＩＣカードアプリケーション管理情報を用いて、前記ＩＣカード発行管理システムと所定のＩＣカード運用業務を実現するための通信データを生成する通信データ生成手段、ＩＣカード発行管理システムからのＩＣカード運用業務に関する通信データを受信する通信データ受信手段、およびＩＣカード発行管理システムへＩＣカード運用業務に関する通信データを送信する通信データ送信手段を備えたＩＣカードサービス提供管理通信サブシステムとを有し、
前記ＩＣカードアプリケーション管理情報の一部としてカードＯＳの種類を有し、
前記通信データの情報の一部としてカードＯＳの種類
を有することを特徴とするＩＣカード運用管理システム。
【請求項１４】
ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理システムであって、
前記ＩＣカード発行管理システムは、
ＩＣカードに関連する所定のＩＣカード管理情報を管理するＩＣカード管理データベースと、
所定のＩＣカード運用業務処理を行うＩＣカード情報管理サブシステムと、
前記ＩＣカード情報管理サブシステムのＩＣカード管理情報を用いて、前記ＩＣカードサービス提供管理システムと所定のＩＣカード運用業務を実現するための通信データを生成する通信データ生成手段、ＩＣカードサービス提供管理システムからのＩＣカード運用業務に関する通信データを受信する通信データ受信手段、およびＩＣカードサービス提供管理システムへＩＣカード運用業務に関する通信データを送信する通信データ送信手段を備えるＩＣカード発行管理通信サブシステムとを有し、
前記所定のＩＣカード運用業務とは、ＩＣカードが再発行されたことをＩＣカードサービス提供管理システムに通知するＩＣカード再発行通知業務であり、
該ＩＣカード再発行通知業務においてＩＣカード発行管理通信サブシステムがＩＣカードサービス提供管理システムへ送信するデータは、再発行されたＩＣカードの属性情報を含んでおり、
前記ＩＣカード情報管理サブシステムは、
プラットフォーム毎のＩＣカード再発行処理を行う再発行処理手段と、
ＩＣカード再発行通知処理終了後、必要により再発行通知したＩＣカードに関する情報をＩＣカード管理データベースに登録するデータベース登録手段とを有し、
前記ＩＣカードサービス提供管理システムにおける前記所定のＩＣカード運用業務とは、ＩＣカードが再発行されたことをＩＣカード発行管理システムから受信するＩＣカード再発行通知業務であり、
該ＩＣカード再発行通知業務においてＩＣカードサービス提供管理通信サブシステムがＩＣカード発行管理システムから受信するデータは、再発行されたＩＣカードの属性情報を含んでおり、
前記ＩＣカードアプリケーション情報管理サブシステムは、
前記受信した情報をＩＣカードアプリケーション管理データベースに登録するデータベース登録手段と、
前記受信した情報に基づきＩＣカード運用業務を制御する運用業務制御手段とを有し、
前記ＩＣカード管理情報の一部としてカードＯＳの種類を有し、
前記通信データの情報の一部としてカードＯＳの種類を有し、
ＩＣカードサービス提供管理システムは、
ＩＣカードに搭載するアプリケーションに関連する所定のＩＣカードアプリケーション管理情報を管理するＩＣカードアプリケーション管理データベースと、
所定のＩＣカード運用業務処理を行うＩＣカードアプリケーション情報管理サブシステムと、
前記ＩＣカードアプリケーション情報管理サブシステムのＩＣカードアプリケーション管理情報を用いて、前記ＩＣカード発行管理システムと所定のＩＣカード運用業務を実現するための通信データを生成する通信データ生成手段、ＩＣカード発行管理システムからのＩＣカード運用業務に関する通信データを受信する通信データ受信手段、およびＩＣカード発行管理システムへＩＣカード運用業務に関する通信データを送信する通信データ送信手段を備えたＩＣカードサービス提供管理通信サブシステムとを有し、
前記ＩＣカードアプリケーション管理情報の一部としてカードＯＳの種類を有し、
前記通信データの情報の一部としてカードＯＳの種類
を有することを特徴とするＩＣカード運用管理システム。
【請求項１５】
ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理システムであって、
前記ＩＣカード発行管理システムは、
ＩＣカードに関連する所定のＩＣカード管理情報を管理するＩＣカード管理データベースと、
所定のＩＣカード運用業務処理を行うＩＣカード情報管理サブシステムと、
前記ＩＣカード情報管理サブシステムのＩＣカード管理情報を用いて、前記ＩＣカードサービス提供管理システムと所定のＩＣカード運用業務を実現するための通信データを生成する通信データ生成手段、ＩＣカードサービス提供管理システムからのＩＣカード運用業務に関する通信データを受信する通信データ受信手段、およびＩＣカードサービス提供管理システムへＩＣカード運用業務に関する通信データを送信する通信データ送信手段を備えるＩＣカード発行管理通信サブシステムとを有し、
前記所定のＩＣカード運用業務とは、ＩＣカードへアプリケーションを搭載したことをＩＣカードサービス提供管理システムから受信するレシート通知業務であり、
該レシート通知業務においてＩＣカード発行管理通信サブシステムがＩＣカードサービス提供管理システムから受信するデータは、アプリケーションが搭載されたＩＣカードの属性情報または該ＩＣカードへの許可書発行要求を受信した際のメッセージの属性情報を含んでおり、
前記ＩＣカード情報管理サブシステムは、
前記受信した情報をＩＣカード管理データベースに登録するデータベース登録手段と、
前記受信した情報に基づきＩＣカード運用業務を制御する制御手段とを有し、
前記ＩＣカードサービス提供管理システムにおける前記所定のＩＣカード運用業務とは、ＩＣカードへアプリケーションを搭載したことをＩＣカード発行管理システムに通知するレシート通知業務であり、
該レシート通知業務においてＩＣカードサービス提供管理通信サブシステムがＩＣカード発行管理システムへ送信するデータは、アプリケーションが搭載されたＩＣカードの属性情報または該ＩＣカードへの許可書発行要求を送信した際のメッセージの属性情報を含んでおり、
前記ＩＣカードアプリケーション情報管理サブシステムは、
レシートを作成するレシート作成手段と、
レシート通知処理終了後、必要によりレシート通知したＩＣカードに関する情報をＩＣカードアプリケーション管理データベースに登録するデータベース登録手段とを有し、
前記ＩＣカード管理情報の一部としてカードＯＳの種類を有し、
前記通信データの情報の一部としてカードＯＳの種類を有し、
ＩＣカードサービス提供管理システムは、
ＩＣカードに搭載するアプリケーションに関連する所定のＩＣカードアプリケーション管理情報を管理するＩＣカードアプリケーション管理データベースと、
所定のＩＣカード運用業務処理を行うＩＣカードアプリケーション情報管理サブシステムと、
前記ＩＣカードアプリケーション情報管理サブシステムのＩＣカードアプリケーション管理情報を用いて、前記ＩＣカード発行管理システムと所定のＩＣカード運用業務を実現するための通信データを生成する通信データ生成手段、ＩＣカード発行管理システムからのＩＣカード運用業務に関する通信データを受信する通信データ受信手段、およびＩＣカード発行管理システムへＩＣカード運用業務に関する通信データを送信する通信データ送信手段を備えたＩＣカードサービス提供管理通信サブシステムとを有し、
前記ＩＣカードアプリケーション管理情報の一部としてカードＯＳの種類を有し、
前記通信データの情報の一部としてカードＯＳの種類
を有することを特徴とするＩＣカード運用管理システム。
【請求項１６】
ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理システムであって、
前記ＩＣカード発行管理システムは、
ＩＣカードに関連する所定のＩＣカード管理情報を管理するＩＣカード管理データベースと、
所定のＩＣカード運用業務処理を行うＩＣカード情報管理サブシステムと、
前記ＩＣカード情報管理サブシステムのＩＣカード管理情報を用いて、前記ＩＣカードサービス提供管理システムと所定のＩＣカード運用業務を実現するための通信データを生成する通信データ生成手段、ＩＣカードサービス提供管理システムからのＩＣカード運用業務に関する通信データを受信する通信データ受信手段、およびＩＣカードサービス提供管理システムへＩＣカード運用業務に関する通信データを送信する通信データ送信手段を備えるＩＣカード発行管理通信サブシステムとを有し、
前記所定のＩＣカード運用業務とは、ＩＣカードの紛失、盗難、その他の何らかの理由により利用を停止したいＩＣカードに関する情報をＩＣカードサービス提供管理システムに通知するホットリスト通知業務であり、
該ホットリスト通知業務においてＩＣカード発行管理通信サブシステムがＩＣカードサービス提供管理システムへ送信するデータは、利用停止を希望するＩＣカードの属性情報を含んでおり、
前記ＩＣカード情報管理サブシステムは、
ホットリストを作成するホットリスト作成手段と、
ホットリスト通知処理終了後、必要によりホットリスト通知したＩＣカードに関する情報をＩＣカード管理データベースに登録するデータベース登録手段とを有し、
前記ＩＣカードサービス提供管理システムにおける前記所定のＩＣカード運用業務とは、ＩＣカードの紛失、盗難、その他の何らかの理由により利用を停止したいＩＣカードに関する情報をＩＣカード発行管理システムから受信するホットリスト通知業務であり、
該ホットリスト通知業務においてＩＣカードサービス提供管理通信サブシステムがＩＣカード発行管理システムから受信するデータは、利用停止を希望するＩＣカードの属性情報を含んでおり、
前記ＩＣカードアプリケーション情報管理サブシステムは、
前記受信した情報をＩＣカードアプリケーション管理データベースに登録するデータベース登録手段と、
前記受信した情報に基づきＩＣカード運用業務を制御する運用業務制御手段とを有し、
前記ＩＣカード管理情報の一部としてカードＯＳの種類を有し、
前記通信データの情報の一部としてカードＯＳの種類を有し、
ＩＣカードサービス提供管理システムは、
ＩＣカードに搭載するアプリケーションに関連する所定のＩＣカードアプリケーション管理情報を管理するＩＣカードアプリケーション管理データベースと、
所定のＩＣカード運用業務処理を行うＩＣカードアプリケーション情報管理サブシステムと、
前記ＩＣカードアプリケーション情報管理サブシステムのＩＣカードアプリケーション管理情報を用いて、前記ＩＣカード発行管理システムと所定のＩＣカード運用業務を実現するための通信データを生成する通信データ生成手段、ＩＣカード発行管理システムからのＩＣカード運用業務に関する通信データを受信する通信データ受信手段、およびＩＣカード発行管理システムへＩＣカード運用業務に関する通信データを送信する通信データ送信手段を備えたＩＣカードサービス提供管理通信サブシステムとを有し、
前記ＩＣカードアプリケーション管理情報の一部としてカードＯＳの種類を有し、
前記通信データの情報の一部としてカードＯＳの種類
を有することを特徴とするＩＣカード運用管理システム。
【請求項１７】
ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理システムであって、
前記ＩＣカード発行管理システムは、
ＩＣカードに関連する所定のＩＣカード管理情報を管理するＩＣカード管理データベースと、
所定のＩＣカード運用業務処理を行うＩＣカード情報管理サブシステムと、
前記ＩＣカード情報管理サブシステムのＩＣカード管理情報を用いて、前記ＩＣカードサービス提供管理システムと所定のＩＣカード運用業務を実現するための通信データを生成する通信データ生成手段、ＩＣカードサービス提供管理システムからのＩＣカード運用業務に関する通信データを受信する通信データ受信手段、およびＩＣカードサービス提供管理システムへＩＣカード運用業務に関する通信データを送信する通信データ送信手段を備えるＩＣカード発行管理通信サブシステムとを有し、
前記所定のＩＣカード運用業務とは、ＩＣカードの紛失、盗難、その他の何らかの理由により利用を停止したいＩＣカードに関する問合せをＩＣカードサービス提供管理システムから受信するホットリスト問合せ業務であり、
該ホットリスト問合せ業務においてＩＣカード発行管理通信サブシステムがＩＣカードサービス提供管理システムから受信するデータは、配信を希望するホットリストのバージョン情報を含んでおり、
前記ＩＣカード情報管理サブシステムは、
ＩＣカードサービス提供管理システムからの希望に応じたホットリストを作成するホットリスト作成手段と、
ＩＣカードサービス提供管理システムへ前記ホットリストを送信するホットリスト送信手段とを有し、
前記ＩＣカードサービス提供管理システムにおける前記所定のＩＣカード運用業務とは、ＩＣカードの紛失、盗難、その他の何らかの理由により利用を停止したいＩＣカードに関する問合せをＩＣカード発行管理システムへ行うホットリスト問合せ業務であり、
該ホットリスト問合せ業務においてＩＣカードサービス提供管理通信サブシステムがＩＣカード発行管理システムへ送信するデータは、配信を希望するホットリストバージョン番号を含んでおり、
ＩＣカードアプリケーション情報管理サブシステムは、
ＩＣカード発行管理システムからホットリストを受信するホットリスト受信手段と、
前記受信した情報に基づきＩＣカードアプリケーション管理データベースを更新するデータベース更新手段とを有し、
前記ＩＣカード管理情報の一部としてカードＯＳの種類を有し、
前記通信データの情報の一部としてカードＯＳの種類を有し、
ＩＣカードサービス提供管理システムは、
ＩＣカードに搭載するアプリケーションに関連する所定のＩＣカードアプリケーション管理情報を管理するＩＣカードアプリケーション管理データベースと、
所定のＩＣカード運用業務処理を行うＩＣカードアプリケーション情報管理サブシステムと、
前記ＩＣカードアプリケーション情報管理サブシステムのＩＣカードアプリケーション管理情報を用いて、前記ＩＣカード発行管理システムと所定のＩＣカード運用業務を実現するための通信データを生成する通信データ生成手段、ＩＣカード発行管理システムからのＩＣカード運用業務に関する通信データを受信する通信データ受信手段、およびＩＣカード発行管理システムへＩＣカード運用業務に関する通信データを送信する通信データ送信手段を備えたＩＣカードサービス提供管理通信サブシステムとを有し、
前記ＩＣカードアプリケーション管理情報の一部としてカードＯＳの種類を有し、
前記通信データの情報の一部としてカードＯＳの種類
を有することを特徴とするＩＣカード運用管理システム。
【請求項１８】
ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理方法であって、
前記ＩＣカード発行管理システムは、
ＩＣカードに関連する所定のＩＣカード管理情報をＩＣカード管理データベースに登録管理し、
所定のＩＣカード運用業務処理をＩＣカード情報管理サブシステムで行い、
ＩＣカード発行管理通信サブシステムにおいてＩＣカード情報管理サブシステムのＩＣカード管理情報を用いて、前記ＩＣカードサービス提供管理システムと所定のＩＣカード運用業務を実現するための通信データを生成し、ＩＣカードサービス提供管理システムからのＩＣカード運用業務に関する通信データを受信し、ＩＣカードサービス提供管理システムへＩＣカード運用業務に関する通信データを送信し、
前記所定のＩＣカード運用業務とは、ＩＣカードに搭載を希望するアプリケーションに関連する情報をＩＣカードサービス提供管理システムから要求されて登録するアプリケーション登録業務であり、
該アプリケーション登録業務においてＩＣカード発行管理通信サブシステムがＩＣカードサービス提供管理システムから受信するデータは、登録を希望するアプリケーションの属性情報を含んでおり、
前記アプリケーション登録業務においてＩＣカード発行管理通信サブシステムがＩＣカードサービス提供管理システムへ送信するデータは、アプリケーション登録の結果を含んでおり、
前記ＩＣカード情報管理サブシステムは、
アプリケーションを登録するアプリケーション登録手段と、
アプリケーション登録処理終了後、登録するアプリケーションに関する情報をＩＣカード管理データベースに登録するデータベース登録手段とを有し、
前記ＩＣカードサービス提供管理システムにおける前記所定のＩＣカード運用業務とは、ＩＣカードに搭載を希望するアプリケーションに関連する情報をＩＣカード発行管理システムに要求するアプリケーション登録業務であり、
該アプリケーション登録業務においてＩＣカードサービス提供管理通信サブシステムがＩＣカード発行管理システムへ送信するデータは、登録を希望するアプリケーションの属性情報を含んでおり、
前記アプリケーション登録業務においてＩＣカードサービス提供管理通信サブシステムがＩＣカード発行管理システムから受信するデータは、アプリケーション登録の結果を含んでおり、
前記ＩＣカードアプリケーション情報管理サブシステムは、
アプリケーション登録情報を取得するアプリケーション取得手段と、
この取得したアプリケーション登録情報を必要によりＩＣカードアプリケーション管理データベースに登録するデータベース登録手段とを有し、
前記ＩＣカード管理情報の一部としてカードＯＳの種類を有し、
前記通信データの情報の一部としてカードＯＳの種類を有し、
ＩＣカードサービス提供管理システムは、
ＩＣカードに搭載するアプリケーションに関連する所定のＩＣカードアプリケーション管理情報をＩＣカードアプリケーション管理データベースに登録管理し、
所定のＩＣカード運用業務処理をＩＣカードアプリケーション情報管理サブシステムで行い、
ＩＣカードサービス提供管理通信サブシステムにおいてＩＣカードアプリケーション情報管理サブシステムのＩＣカードアプリケーション管理情報を用いて、前記ＩＣカード発行管理システムと所定のＩＣカード運用業務を実現するための通信データを生成し、ＩＣカード発行管理システムからのＩＣカード運用業務に関する通信データを受信し、ＩＣカード発行管理システムへＩＣカード運用業務に関する通信データを送信し、
前記ＩＣカードアプリケーション管理情報の一部としてカードＯＳの種類を有し、
前記通信データの情報の一部としてカードＯＳの種類
を有することを特徴とするＩＣカード運用管理方法。
【請求項１９】
ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理方法であって、
前記ＩＣカード発行管理システムは、
ＩＣカードに関連する所定のＩＣカード管理情報をＩＣカード管理データベースに登録管理し、
所定のＩＣカード運用業務処理をＩＣカード情報管理サブシステムで行い、
ＩＣカード発行管理通信サブシステムにおいてＩＣカード情報管理サブシステムのＩＣカード管理情報を用いて、前記ＩＣカードサービス提供管理システムと所定のＩＣカード運用業務を実現するための通信データを生成し、ＩＣカードサービス提供管理システムからのＩＣカード運用業務に関する通信データを受信し、ＩＣカードサービス提供管理システムへＩＣカード運用業務に関する通信データを送信し、
前記所定のＩＣカード運用業務とは、アプリケーション登録業務で登録要求されたアプリケーションを登録終了前に取り消しすることをＩＣカードサービス提供管理システムから要求されるアプリケーション登録取り消し業務であり、
該アプリケーション登録取り消し業務においてＩＣカード発行管理通信サブシステムがＩＣカードサービス提供管理システムから受信するデータは、登録取り消しを希望するアプリケーションの属性情報を含んでおり、
前記アプリケーション登録取り消し業務においてＩＣカード発行管理通信サブシステムがＩＣカードサービス提供管理システムへ送信するデータは、アプリケーション登録取り消しの結果を含んでおり、
前記ＩＣカード情報管理サブシステムは、
前記受信した情報を基に所定のプラットフォームのアプリケーションの登録を取り消すアプリケーション登録取り消し手段と、
アプリケーション登録取り消し処理終了後、必要により登録取り消しに関する情報をＩＣカード管理データベースに登録するデータベース登録手段とを有し、
前記ＩＣカードサービス提供管理システムにおける前記所定のＩＣカード運用業務とは、アプリケーション登録業務で登録要求したアプリケーションを登録終了前に取り消しすることをＩＣカード発行管理システムに要求するアプリケーション登録取り消し業務であり、
該アプリケーション登録取り消し業務においてＩＣカードサービス提供管理通信サブシステムがＩＣカード発行管理システムへ送信するデータは、登録取り消しを希望するアプリケーションの属性情報を含んでおり、
前記アプリケーション登録取り消し業務においてＩＣカードサービス提供管理通信サブシステムがＩＣカード発行管理システムから受信するデータは、アプリケーション登録取り消しの結果を含んでおり、
前記ＩＣカードアプリケーション情報管理サブシステムは、
アプリケーション登録取り消しを希望するアプリケーションの属性情報を取得するアプリケーション属性情報取得手段と、
前記受信した情報を必要によりＩＣカードアプリケーション管理データベースに登録するデータベース登録手段とを有し、
前記ＩＣカード管理情報の一部としてカードＯＳの種類を有し、
前記通信データの情報の一部としてカードＯＳの種類を有し、
ＩＣカードサービス提供管理システムは、
ＩＣカードに搭載するアプリケーションに関連する所定のＩＣカードアプリケーション管理情報をＩＣカードアプリケーション管理データベースに登録管理し、
所定のＩＣカード運用業務処理をＩＣカードアプリケーション情報管理サブシステムで行い、
ＩＣカードサービス提供管理通信サブシステムにおいてＩＣカードアプリケーション情報管理サブシステムのＩＣカードアプリケーション管理情報を用いて、前記ＩＣカード発行管理システムと所定のＩＣカード運用業務を実現するための通信データを生成し、ＩＣカード発行管理システムからのＩＣカード運用業務に関する通信データを受信し、ＩＣカード発行管理システムへＩＣカード運用業務に関する通信データを送信し、
前記ＩＣカードアプリケーション管理情報の一部としてカードＯＳの種類を有し、
前記通信データの情報の一部としてカードＯＳの種類
を有することを特徴とするＩＣカード運用管理方法。
【請求項２０】
ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理方法であって、
前記ＩＣカード発行管理システムは、
ＩＣカードに関連する所定のＩＣカード管理情報をＩＣカード管理データベースに登録管理し、
所定のＩＣカード運用業務処理をＩＣカード情報管理サブシステムで行い、
ＩＣカード発行管理通信サブシステムにおいてＩＣカード情報管理サブシステムのＩＣカード管理情報を用いて、前記ＩＣカードサービス提供管理システムと所定のＩＣカード運用業務を実現するための通信データを生成し、ＩＣカードサービス提供管理システムからのＩＣカード運用業務に関する通信データを受信し、ＩＣカードサービス提供管理システムへＩＣカード運用業務に関する通信データを送信し、
前記所定のＩＣカード運用業務とは、アプリケーション登録業務で登録要求された際の受信メッセージに記載されたすべてのアプリケーションを登録終了前にまとめて取り消しすることをＩＣカードサービス提供管理システムから要求されるアプリケーション登録バッチ取り消し業務であり、
該アプリケーション登録バッチ取り消し業務においてＩＣカード発行管理通信サブシステムがＩＣカードサービス提供管理システムから受信するデータは、アプリケーション登録要求を受信した際のメッセージ属性情報を含んでおり、
前記アプリケーション登録バッチ取り消し業務においてＩＣカード発行管理通信サブシステムがＩＣカードサービス提供管理システムへ送信するデータは、アプリケーション登録バッチ取り消しの結果を含んでおり、
前記ＩＣカード情報管理サブシステムは、
前記受信した情報を基に所定のプラットフォームのアプリケーションの登録を取り消すアプリケーション登録取り消し手段と、
アプリケーション登録取り消し処理終了後、必要により登録バッチ取り消しに関する情報をＩＣカード管理データベースに登録するデータベース登録手段とを有し、
前記ＩＣカードサービス提供管理システムにおける前記所定のＩＣカード運用業務とは、アプリケーション登録業務で登録要求した際の送信メッセージに記載されたすべてのアプリケーションを登録終了前にまとめて取り消しすることをＩＣカード発行管理システムに要求するアプリケーション登録バッチ取り消し業務であり、
該アプリケーション登録バッチ取り消し業務においてＩＣカードサービス提供管理通信サブシステムがＩＣカード発行管理システムへ送信するデータは、アプリケーション登録要求を送信した際のメッセージ属性情報を含んでおり、
前記アプリケーション登録バッチ取り消し業務においてＩＣカードサービス提供管理通信サブシステムがＩＣカード発行管理システムから受信するデータは、アプリケーション登録バッチ取り消しの結果を含んでおり、
前記ＩＣカードアプリケーション情報管理サブシステムは、
アプリケーション登録取り消しを希望するアプリケーションの属性情報を取得するアプリケーション属性情報取得手段と、
前記受信した情報を必要によりＩＣカードアプリケーション管理データベースに登録するデータベース登録手段とを有し、
前記ＩＣカード管理情報の一部としてカードＯＳの種類を有し、
前記通信データの情報の一部としてカードＯＳの種類を有し、
ＩＣカードサービス提供管理システムは、
ＩＣカードに搭載するアプリケーションに関連する所定のＩＣカードアプリケーション管理情報をＩＣカードアプリケーション管理データベースに登録管理し、
所定のＩＣカード運用業務処理をＩＣカードアプリケーション情報管理サブシステムで行い、
ＩＣカードサービス提供管理通信サブシステムにおいてＩＣカードアプリケーション情報管理サブシステムのＩＣカードアプリケーション管理情報を用いて、前記ＩＣカード発行管理システムと所定のＩＣカード運用業務を実現するための通信データを生成し、ＩＣカード発行管理システムからのＩＣカード運用業務に関する通信データを受信し、ＩＣカード発行管理システムへＩＣカード運用業務に関する通信データを送信し、
前記ＩＣカードアプリケーション管理情報の一部としてカードＯＳの種類を有し、
前記通信データの情報の一部としてカードＯＳの種類
を有することを特徴とするＩＣカード運用管理方法。
【請求項２１】
ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理方法であって、
前記ＩＣカード発行管理システムは、
ＩＣカードに関連する所定のＩＣカード管理情報をＩＣカード管理データベースに登録管理し、
所定のＩＣカード運用業務処理をＩＣカード情報管理サブシステムで行い、
ＩＣカード発行管理通信サブシステムにおいてＩＣカード情報管理サブシステムのＩＣカード管理情報を用いて、前記ＩＣカードサービス提供管理システムと所定のＩＣカード運用業務を実現するための通信データを生成し、ＩＣカードサービス提供管理システムからのＩＣカード運用業務に関する通信データを受信し、ＩＣカードサービス提供管理システムへＩＣカード運用業務に関する通信データを送信し、
前記所定のＩＣカード運用業務は、アプリケーション登録業務で登録要求されたアプリケーションに関する問合せをＩＣカードサービス提供管理システムから要求されるアプリケーション登録問合せ業務であり、
該アプリケーション登録問合せ業務においてＩＣカード発行管理通信サブシステムがＩＣカードサービス提供管理システムから受信するデータは、登録問合せを希望するアプリケーションの属性情報を含んでおり、
前記アプリケーション登録問合せ業務においてＩＣカード発行管理通信サブシステムがＩＣカードサービス提供管理システムへ送信するデータは、アプリケーション登録問合せの結果を含んでおり、
前記ＩＣカード情報管理サブシステムは、
前記受信した情報を基に所定のプラットフォームのアプリケーション登録情報を照会する照会手段と、
アプリケーション登録問合せ処理終了後、必要により登録問合せに関する情報をＩＣカード管理データベースに登録するデータベース登録手段とを有し、
前記ＩＣカードサービス提供管理システムにおける前記所定のＩＣカード運用業務とは、アプリケーション登録業務で登録要求したアプリケーションに関する問合せをＩＣカード発行管理システムに要求するアプリケーション登録問合せ業務であり、
該アプリケーション登録問合せ業務においてＩＣカードサービス提供管理通信サブシステムがＩＣカード発行管理システムへ送信するデータは、登録問合せを希望するアプリケーションの属性情報を含んでおり、
前記アプリケーション登録業務においてＩＣカードサービス提供管理通信サブシステムがＩＣカード発行管理システムから受信するデータは、アプリケーション登録問合せの結果を含んでおり、
前記ＩＣカードアプリケーション情報管理サブシステムは、
登録問合せを希望するアプリケーションの属性情報を取得する属性情報取得手段と、
前記受信した情報を必要によりＩＣカードアプリケーション管理データベースに登録するデータベース登録手段とを有し、
前記ＩＣカード管理情報の一部としてカードＯＳの種類を有し、
前記通信データの情報の一部としてカードＯＳの種類を有し、
ＩＣカードサービス提供管理システムは、
ＩＣカードに搭載するアプリケーションに関連する所定のＩＣカードアプリケーション管理情報をＩＣカードアプリケーション管理データベースに登録管理し、
所定のＩＣカード運用業務処理をＩＣカードアプリケーション情報管理サブシステムで行い、
ＩＣカードサービス提供管理通信サブシステムにおいてＩＣカードアプリケーション情報管理サブシステムのＩＣカードアプリケーション管理情報を用いて、前記ＩＣカード発行管理システムと所定のＩＣカード運用業務を実現するための通信データを生成し、ＩＣカード発行管理システムからのＩＣカード運用業務に関する通信データを受信し、ＩＣカード発行管理システムへＩＣカード運用業務に関する通信データを送信し、
前記ＩＣカードアプリケーション管理情報の一部としてカードＯＳの種類を有し、
前記通信データの情報の一部としてカードＯＳの種類
を有することを特徴とするＩＣカード運用管理方法。
【請求項２２】
ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理方法であって、
前記ＩＣカード発行管理システムは、
ＩＣカードに関連する所定のＩＣカード管理情報をＩＣカード管理データベースに登録管理し、
所定のＩＣカード運用業務処理をＩＣカード情報管理サブシステムで行い、
ＩＣカード発行管理通信サブシステムにおいてＩＣカード情報管理サブシステムのＩＣカード管理情報を用いて、前記ＩＣカードサービス提供管理システムと所定のＩＣカード運用業務を実現するための通信データを生成し、ＩＣカードサービス提供管理システムからのＩＣカード運用業務に関する通信データを受信し、ＩＣカードサービス提供管理システムへＩＣカード運用業務に関する通信データを送信し、
前記所定のＩＣカード運用業務とは、アプリケーション登録業務で登録要求された際の受信メッセージに記載されたすべてのアプリケーションに関してまとめて問合せすることをＩＣカードサービス提供管理システムから要求されるアプリケーション登録バッチ問合せ業務であり、
該アプリケーション登録バッチ問合せ業務においてＩＣカード発行管理通信サブシステムがＩＣカードサービス提供管理システムから受信するデータは、アプリケーション登録要求を受信した際のメッセージ属性情報を含んでおり、
前記アプリケーション登録バッチ問合せ業務においてＩＣカード発行管理通信サブシステムがＩＣカードサービス提供管理システムへ送信するデータは、アプリケーション登録バッチ問合せの結果を含んでおり、
前記ＩＣカード情報管理サブシステムは、
前記受信した情報を基に所定のプラットフォームのアプリケーション登録情報を照会する照会手段と、
アプリケーション登録バッチ問合せ処理終了後、必要により登録バッチ問合せに関する情報をＩＣカード管理データベースに登録するデータベース登録手段とを有し、
前記ＩＣカードサービス提供管理システムにおける前記所定のＩＣカード運用業務とは、アプリケーション登録業務で登録要求した際の送信メッセージに記載されたすべてのアプリケーションに関してまとめて問合せすることをＩＣカード発行管理システムに要求するアプリケーション登録バッチ問合せ業務であり、
該アプリケーション登録バッチ問合せ業務においてＩＣカードサービス提供管理通信サブシステムがＩＣカード発行管理システムへ送信するデータは、アプリケーション登録要求を送信した際のメッセージ属性情報を含んでおり、
前記アプリケーション登録バッチ業務においてＩＣカードサービス提供管理通信サブシステムがＩＣカード発行管理システムから受信するデータは、アプリケーション登録バッチ問合せの結果を含んでおり、
前記ＩＣカードアプリケーション情報管理サブシステムは、
登録問合せを希望するアプリケーションの属性情報を取得する属性情報取得手段と、
前記受信した情報を必要によりＩＣカードアプリケーション管理データベースに登録するデータベース登録手段とを有し、
前記ＩＣカード管理情報の一部としてカードＯＳの種類を有し、
前記通信データの情報の一部としてカードＯＳの種類を有し、
ＩＣカードサービス提供管理システムは、
ＩＣカードに搭載するアプリケーションに関連する所定のＩＣカードアプリケーション管理情報をＩＣカードアプリケーション管理データベースに登録管理し、
所定のＩＣカード運用業務処理をＩＣカードアプリケーション情報管理サブシステムで行い、
ＩＣカードサービス提供管理通信サブシステムにおいてＩＣカードアプリケーション情報管理サブシステムのＩＣカードアプリケーション管理情報を用いて、前記ＩＣカード発行管理システムと所定のＩＣカード運用業務を実現するための通信データを生成し、ＩＣカード発行管理システムからのＩＣカード運用業務に関する通信データを受信し、ＩＣカード発行管理システムへＩＣカード運用業務に関する通信データを送信し、
前記ＩＣカードアプリケーション管理情報の一部としてカードＯＳの種類を有し、
前記通信データの情報の一部としてカードＯＳの種類
を有することを特徴とするＩＣカード運用管理方法。
【請求項２３】
ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理方法であって、
前記ＩＣカード発行管理システムは、
ＩＣカードに関連する所定のＩＣカード管理情報をＩＣカード管理データベースに登録管理し、
所定のＩＣカード運用業務処理をＩＣカード情報管理サブシステムで行い、
ＩＣカード発行管理通信サブシステムにおいてＩＣカード情報管理サブシステムのＩＣカード管理情報を用いて、前記ＩＣカードサービス提供管理システムと所定のＩＣカード運用業務を実現するための通信データを生成し、ＩＣカードサービス提供管理システムからのＩＣカード運用業務に関する通信データを受信し、ＩＣカードサービス提供管理システムへＩＣカード運用業務に関する通信データを送信し、
前記所定のＩＣカード運用業務は、アプリケーション登録業務により既に登録済みのアプリケーションに対して登録抹消をＩＣカードサービス提供管理システムから要求されるアプリケーション登録抹消業務であり、
該アプリケーション登録抹消業務においてＩＣカード発行管理通信サブシステムがＩＣカードサービス提供管理システムから受信するデータは、登録抹消を希望するアプリケーションの属性情報を含んでおり、
前記アプリケーション登録問合せ業務においてＩＣカード発行管理通信サブシステムがＩＣカードサービス提供管理システムへ送信するデータは、アプリケーション登録抹消の結果を含んでおり、
前記ＩＣカード情報管理サブシステムは、
前記受信した情報を基に所定のプラットフォームのアプリケーション登録抹消処理を制御する抹消制御手段と、
アプリケーション登録抹消処理終了後、必要により登録抹消に関する情報をＩＣカード管理データベースに登録するデータベース登録手段とを有し、
前記ＩＣカードサービス提供管理システムにおける前記所定のＩＣカード運用業務とは、アプリケーション登録業務で登録要求したアプリケーションを登録抹消することをＩＣカード発行管理システムに要求するアプリケーション登録抹消業務であり、
該アプリケーション登録抹消業務においてＩＣカードサービス提供管理通信サブシステムがＩＣカード発行管理システムへ送信するデータは、登録抹消を希望するアプリケーションの属性情報を含んでおり、
前記アプリケーション登録抹消業務においてＩＣカードサービス提供管理通信サブシステムがＩＣカード発行管理システムから受信するデータは、アプリケーション登録抹消の結果を含んでおり、
前記ＩＣカードアプリケーション情報管理サブシステムは、
登録抹消を希望するアプリケーションに関する情報を取得する情報取得手段と、
前記受信した情報を必要によりＩＣカードアプリケーション管理データベースに登録するデータベース登録手段とを有し、
前記ＩＣカード管理情報の一部としてカードＯＳの種類を有し、
前記通信データの情報の一部としてカードＯＳの種類を有し、
ＩＣカードサービス提供管理システムは、
ＩＣカードに搭載するアプリケーションに関連する所定のＩＣカードアプリケーション管理情報をＩＣカードアプリケーション管理データベースに登録管理し、
所定のＩＣカード運用業務処理をＩＣカードアプリケーション情報管理サブシステムで行い、
ＩＣカードサービス提供管理通信サブシステムにおいてＩＣカードアプリケーション情報管理サブシステムのＩＣカードアプリケーション管理情報を用いて、前記ＩＣカード発行管理システムと所定のＩＣカード運用業務を実現するための通信データを生成し、ＩＣカード発行管理システムからのＩＣカード運用業務に関する通信データを受信し、ＩＣカード発行管理システムへＩＣカード運用業務に関する通信データを送信し、
前記ＩＣカードアプリケーション管理情報の一部としてカードＯＳの種類を有し、
前記通信データの情報の一部としてカードＯＳの種類
を有することを特徴とするＩＣカード運用管理方法。
【請求項２４】
ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理方法であって、
前記ＩＣカード発行管理システムは、
ＩＣカードに関連する所定のＩＣカード管理情報をＩＣカード管理データベースに登録管理し、
所定のＩＣカード運用業務処理をＩＣカード情報管理サブシステムで行い、
ＩＣカード発行管理通信サブシステムにおいてＩＣカード情報管理サブシステムのＩＣカード管理情報を用いて、前記ＩＣカードサービス提供管理システムと所定のＩＣカード運用業務を実現するための通信データを生成し、ＩＣカードサービス提供管理システムからのＩＣカード運用業務に関する通信データを受信し、ＩＣカードサービス提供管理システムへＩＣカード運用業務に関する通信データを送信し、
前記所定のＩＣカード運用業務とは、ＩＣカードにアプリケーションを搭載する際に必要とされるアプリケーションの搭載許可をＩＣカードサービス提供管理システムから要求される許可書発行業務であり、
該許可書発行業務においてＩＣカード発行管理通信サブシステムがＩＣカードサービス提供管理システムから受信するデータは、許可書発行を希望するＩＣカードの属性情報および該ＩＣカードへの搭載を希望するアプリケーションの属性情報を含んでおり、
前記許可書発行業務においてＩＣカード発行管理通信サブシステムがＩＣカードサービス提供管理システムへ送信するデータは、許可書発行の結果を含んでおり、
前記ＩＣカード情報管理サブシステムは、
許可書を発行する許可書発行手段と、
前記受信した情報を基に所定の許可書発行処理を制御する制御手段と、
許可書発行処理終了後、必要により許可書を発行するＩＣカードに関する情報をＩＣカード管理データベースに登録するデータベース登録手段とを有し、
前記ＩＣカードサービス提供管理システムにおける前記所定のＩＣカード運用業務とは、ＩＣカードにアプリケーションを搭載する際に必要となるアプリケーション搭載許可書をＩＣカード発行管理システムに要求する許可書発行業務であり、
該許可書発行業務においてＩＣカードサービス提供管理通信サブシステムがＩＣカード発行管理システムへ送信するデータは、許可書発行を希望するＩＣカードの属性情報および該ＩＣカードへの搭載を希望するアプリケーションの属性情報を含んでおり、
前記許可書発行業務においてＩＣカードサービス提供管理通信サブシステムがＩＣカード発行管理システムから受信するデータは、許可書発行の結果を含んでおり、
前記ＩＣカードアプリケーション情報管理サブシステムは、
許可書発行要求に必要な情報を取得する情報取得手段と、
前記受信した情報を必要によりＩＣカードアプリケーション管理データベースに登録するデータベース登録手段とを有し、
前記ＩＣカード管理情報の一部としてカードＯＳの種類を有し、
前記通信データの情報の一部としてカードＯＳの種類を有し、
ＩＣカードサービス提供管理システムは、
ＩＣカードに搭載するアプリケーションに関連する所定のＩＣカードアプリケーション管理情報をＩＣカードアプリケーション管理データベースに登録管理し、
所定のＩＣカード運用業務処理をＩＣカードアプリケーション情報管理サブシステムで行い、
ＩＣカードサービス提供管理通信サブシステムにおいてＩＣカードアプリケーション情報管理サブシステムのＩＣカードアプリケーション管理情報を用いて、前記ＩＣカード発行管理システムと所定のＩＣカード運用業務を実現するための通信データを生成し、ＩＣカード発行管理システムからのＩＣカード運用業務に関する通信データを受信し、ＩＣカード発行管理システムへＩＣカード運用業務に関する通信データを送信し、
前記ＩＣカードアプリケーション管理情報の一部としてカードＯＳの種類を有し、
前記通信データの情報の一部としてカードＯＳの種類
を有することを特徴とするＩＣカード運用管理方法。
【請求項２５】
ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理方法であって、
前記ＩＣカード発行管理システムは、
ＩＣカードに関連する所定のＩＣカード管理情報をＩＣカード管理データベースに登録管理し、
所定のＩＣカード運用業務処理をＩＣカード情報管理サブシステムで行い、
ＩＣカード発行管理通信サブシステムにおいてＩＣカード情報管理サブシステムのＩＣカード管理情報を用いて、前記ＩＣカードサービス提供管理システムと所定のＩＣカード運用業務を実現するための通信データを生成し、ＩＣカードサービス提供管理システムからのＩＣカード運用業務に関する通信データを受信し、ＩＣカードサービス提供管理システムへＩＣカード運用業務に関する通信データを送信し、
前記所定のＩＣカード運用業務とは、許可書発行業務で発行要求された許可書を発行処理終了前に取り消しすることをＩＣカードサービス提供管理システムから要求される許可書発行取り消し業務であり、
該許可書発行取り消し業務においてＩＣカード発行管理通信サブシステムがＩＣカードサービス提供管理システムから受信するデータは、許可書発行対象であるＩＣカードの属性情報および該ＩＣカードへの搭載対象アプリケーションの属性情報を含んでおり、
前記許可書発行取り消し業務においてＩＣカード発行管理通信サブシステムがＩＣカードサービス提供管理システムへ送信するデータは、許可書発行取り消しの結果を含んでおり、
前記ＩＣカード情報管理サブシステムは、
前記受信した情報を基に所定の許可書発行を取り消す許可書発行取り消し手段と、
許可書発行取り消し処理終了後、必要により許可書発行取り消しに関する情報をＩＣカード管理データベースに登録するデータベース登録手段とを有し、
前記ＩＣカードサービス提供管理システムにおける前記所定のＩＣカード運用業務とは、許可書発行業務で発行要求した許可書を発行処理終了前に取り消すことをＩＣカード発行管理システムに要求する許可書発行取り消し業務であり、
該許可書発行取り消し業務においてＩＣカードサービス提供管理通信サブシステムがＩＣカード発行管理システムへ送信するデータは、許可書発行取り消しを希望するＩＣカードの属性情報および該ＩＣカードへの搭載対象アプリケーションの属性情報を含んでおり、
前記許可書発行取り消し業務においてＩＣカードサービス提供管理通信サブシステムがＩＣカード発行管理システムから受信するデータは、許可書発行取り消しの結果を含んでおり、
前記ＩＣカードアプリケーション情報管理サブシステムは、
許可書発行取り消しを要求するＩＣカードの属性情報および該ＩＣカードへの搭載対象アプリケーションの属性情報を取得する属性情報取得手段と、
前記受信した情報を必要によりＩＣカードアプリケーション管理データベースに登録するデータベース登録手段とを有し、
前記ＩＣカード管理情報の一部としてカードＯＳの種類を有し、
前記通信データの情報の一部としてカードＯＳの種類を有し、
ＩＣカードサービス提供管理システムは、
ＩＣカードに搭載するアプリケーションに関連する所定のＩＣカードアプリケーション管理情報をＩＣカードアプリケーション管理データベースに登録管理し、
所定のＩＣカード運用業務処理をＩＣカードアプリケーション情報管理サブシステムで行い、
ＩＣカードサービス提供管理通信サブシステムにおいてＩＣカードアプリケーション情報管理サブシステムのＩＣカードアプリケーション管理情報を用いて、前記ＩＣカード発行管理システムと所定のＩＣカード運用業務を実現するための通信データを生成し、ＩＣカード発行管理システムからのＩＣカード運用業務に関する通信データを受信し、ＩＣカード発行管理システムへＩＣカード運用業務に関する通信データを送信し、
前記ＩＣカードアプリケーション管理情報の一部としてカードＯＳの種類を有し、
前記通信データの情報の一部としてカードＯＳの種類
を有することを特徴とするＩＣカード運用管理方法。
【請求項２６】
ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理方法であって、
前記ＩＣカード発行管理システムは、
ＩＣカードに関連する所定のＩＣカード管理情報をＩＣカード管理データベースに登録管理し、
所定のＩＣカード運用業務処理をＩＣカード情報管理サブシステムで行い、
ＩＣカード発行管理通信サブシステムにおいてＩＣカード情報管理サブシステムのＩＣカード管理情報を用いて、前記ＩＣカードサービス提供管理システムと所定のＩＣカード運用業務を実現するための通信データを生成し、ＩＣカードサービス提供管理システムからのＩＣカード運用業務に関する通信データを受信し、ＩＣカードサービス提供管理システムへＩＣカード運用業務に関する通信データを送信し、
前記所定のＩＣカード運用業務とは、許可書発行業務で発行要求された受信メッセージに記載されたすべての許可書を発行処理終了前にまとめて取り消しすることをＩＣカードサービス提供管理システムから要求される許可書発行バッチ取り消し業務であり、
該許可書発行バッチ取り消し業務においてＩＣカード発行管理通信サブシステムがＩＣカードサービス提供管理システムから受信するデータは、許可書発行要求を受信した際のメッセージ属性情報を含んでおり、
前記許可書発行バッチ取り消し業務においてＩＣカード発行管理通信サブシステムがＩＣカードサービス提供管理システムへ送信するデータは、許可書発行バッチ取り消しの結果を含んでおり、
前記ＩＣカード情報管理サブシステムは、
前記受信した情報を基に所定の許可書発行を取り消す許可書発行取り消し手段と、
許可書発行取り消し処理終了後、必要により許可書発行バッチ取り消しに関する情報をＩＣカード管理データベースに登録するデータベース登録手段とを有し、
前記ＩＣカードサービス提供管理システムにおける前記所定のＩＣカード運用業務とは、許可書発行業務で発行要求した際の送信メッセージに記載されたすべての許可書を発行処理終了前に取り消すことをＩＣカード発行管理システムに要求する許可書発行バッチ取り消し業務であり、
該許可書発行バッチ取り消し業務においてＩＣカードサービス提供管理通信サブシステムがＩＣカード発行管理システムへ送信するデータは、許可書発行要求を送信した際のメッセージ属性情報を含んでおり、
前記許可書発行バッチ取り消し業務においてＩＣカードサービス提供管理通信サブシステムがＩＣカード発行管理システムから受信するデータは、許可書発行バッチ取り消しの結果を含んでおり、
前記ＩＣカードアプリケーション情報管理サブシステムは、
許可書発行取り消しを要求するＩＣカードの属性情報および該ＩＣカードへの搭載対象アプリケーションの属性情報を取得する属性情報取得手段と、
前記受信した情報を必要によりＩＣカードアプリケーション管理データベースに登録するデータベース登録手段とを有し、
前記ＩＣカード管理情報の一部としてカードＯＳの種類を有し、
前記通信データの情報の一部としてカードＯＳの種類を有し、
ＩＣカードサービス提供管理システムは、
ＩＣカードに搭載するアプリケーションに関連する所定のＩＣカードアプリケーション管理情報をＩＣカードアプリケーション管理データベースに登録管理し、
所定のＩＣカード運用業務処理をＩＣカードアプリケーション情報管理サブシステムで行い、
ＩＣカードサービス提供管理通信サブシステムにおいてＩＣカードアプリケーション情報管理サブシステムのＩＣカードアプリケーション管理情報を用いて、前記ＩＣカード発行管理システムと所定のＩＣカード運用業務を実現するための通信データを生成し、ＩＣカード発行管理システムからのＩＣカード運用業務に関する通信データを受信し、ＩＣカード発行管理システムへＩＣカード運用業務に関する通信データを送信し、
前記ＩＣカードアプリケーション管理情報の一部としてカードＯＳの種類を有し、
前記通信データの情報の一部としてカードＯＳの種類
を有することを特徴とするＩＣカード運用管理方法。
【請求項２７】
ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理方法であって、
前記ＩＣカード発行管理システムは、
ＩＣカードに関連する所定のＩＣカード管理情報をＩＣカード管理データベースに登録管理し、
所定のＩＣカード運用業務処理をＩＣカード情報管理サブシステムで行い、
ＩＣカード発行管理通信サブシステムにおいてＩＣカード情報管理サブシステムのＩＣカード管理情報を用いて、前記ＩＣカードサービス提供管理システムと所定のＩＣカード運用業務を実現するための通信データを生成し、ＩＣカードサービス提供管理システムからのＩＣカード運用業務に関する通信データを受信し、ＩＣカードサービス提供管理システムへＩＣカード運用業務に関する通信データを送信し、
前記所定のＩＣカード運用業務とは、許可書発行業務で登録要求された許可書に関する問合せをＩＣカードサービス提供管理システムから要求される許可書発行問合せ業務であり、
該許可書発行問合せ業務においてＩＣカード発行管理通信サブシステムがＩＣカードサービス提供管理システムから受信するデータは、許可書発行問合せを希望するＩＣカードの属性情報および該ＩＣカードへの搭載対象アプリケーションの属性情報を含んでおり、
前記許可書発行問合せ業務においてＩＣカード発行管理通信サブシステムがＩＣカードサービス提供管理システムへ送信するデータは、許可書発行問合せの結果を含んでおり、
前記ＩＣカード情報管理サブシステムは、
前記受信した情報を基に所定の許可書発行に関する情報を照会する照会手段と、
許可書発行問合せ処理終了後、必要により許可書発行問合せに関する情報をＩＣカード管理データベースに登録するデータベース登録手段とを有し、
前記ＩＣカードサービス提供管理システムにおける前記所定のＩＣカード運用業務とは、許可書発行業務で発行要求した許可書に関する問合せをＩＣカード発行管理システムに要求する許可書発行問合せ業務であり、
該許可書発行問合せ業務においてＩＣカードサービス提供管理通信サブシステムがＩＣカード発行管理システムへ送信するデータは、許可書発行問合せを希望するＩＣカードの属性情報および該ＩＣカードへの搭載対象アプリケーションの属性情報を含んでおり、
前記許可書発行問合せ業務においてＩＣカードサービス提供管理通信サブシステムがＩＣカード発行管理システムから受信するデータは、許可書発行問合せの結果を含んでおり、
前記ＩＣカードアプリケーション情報管理サブシステムは、
許可書発行問合せを希望するＩＣカードの属性情報および該ＩＣカードへの搭載対象アプリケーションに関する情報を取得する情報取得手段と、
前記受信した情報を必要によりＩＣカードアプリケーション管理データベースに登録するデータベース登録手段とを有し、
前記ＩＣカード管理情報の一部としてカードＯＳの種類を有し、
前記通信データの情報の一部としてカードＯＳの種類を有し、
ＩＣカードサービス提供管理システムは、
ＩＣカードに搭載するアプリケーションに関連する所定のＩＣカードアプリケーション管理情報をＩＣカードアプリケーション管理データベースに登録管理し、
所定のＩＣカード運用業務処理をＩＣカードアプリケーション情報管理サブシステムで行い、
ＩＣカードサービス提供管理通信サブシステムにおいてＩＣカードアプリケーション情報管理サブシステムのＩＣカードアプリケーション管理情報を用いて、前記ＩＣカード発行管理システムと所定のＩＣカード運用業務を実現するための通信データを生成し、ＩＣカード発行管理システムからのＩＣカード運用業務に関する通信データを受信し、ＩＣカード発行管理システムへＩＣカード運用業務に関する通信データを送信し、
前記ＩＣカードアプリケーション管理情報の一部としてカードＯＳの種類を有し、
前記通信データの情報の一部としてカードＯＳの種類
を有することを特徴とするＩＣカード運用管理方法。
【請求項２８】
ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理方法であって、
前記ＩＣカード発行管理システムは、
ＩＣカードに関連する所定のＩＣカード管理情報をＩＣカード管理データベースに登録管理し、
所定のＩＣカード運用業務処理をＩＣカード情報管理サブシステムで行い、
ＩＣカード発行管理通信サブシステムにおいてＩＣカード情報管理サブシステムのＩＣカード管理情報を用いて、前記ＩＣカードサービス提供管理システムと所定のＩＣカード運用業務を実現するための通信データを生成し、ＩＣカードサービス提供管理システムからのＩＣカード運用業務に関する通信データを受信し、ＩＣカードサービス提供管理システムへＩＣカード運用業務に関する通信データを送信し、
前記所定のＩＣカード運用業務とは、許可書発行業務で登録要求された際の受信メッセージに記載されたすべての許可書に関してまとめて問合せすることをＩＣカードサービス提供管理システムから要求される許可書発行バッチ問合せ業務であり、
該許可書発行バッチ問合せ業務においてＩＣカード発行管理通信サブシステムがＩＣカードサービス提供管理システムから受信するデータは、許可書発行問合せを受信した際のメッセージ属性情報を含んでおり、
前記許可書発行バッチ問合せ業務においてＩＣカード発行管理通信サブシステムがＩＣカードサービス提供管理システムへ送信するデータは、許可書発行バッチ問合せの結果を含んでおり、
前記ＩＣカード情報管理サブシステムは、
前記受信した情報を基に所定の許可書発行に関する情報を照会する照会手段と、
許可書発行問合せ処理終了後、必要により許可書発行バッチ問合せに関する情報をＩＣカード管理データベースに登録するデータベース登録手段とを有し、
前記ＩＣカードサービス提供管理システムにおける前記所定のＩＣカード運用業務とは、許可書発行業務で発行要求した際の送信メッセージに記載されたすべての許可書に関してまとめて問合せすることをＩＣカード発行管理システムに要求する許可書発行バッチ問合せ業務であり、
該許可書発行バッチ問合せ業務においてＩＣカードサービス提供管理通信サブシステムがＩＣカード発行管理システムへ送信するデータは、許可書発行要求を送信した際のメッセージ属性情報を含んでおり、
前記許可書発行バッチ問合せ業務においてＩＣカードサービス提供管理通信サブシステムがＩＣカード発行管理システムから受信するデータは、許可書発行バッチ問合せの結果を含んでおり、
前記ＩＣカードアプリケーション情報管理サブシステムは、
許可書発行問合せを希望するＩＣカードの属性情報および該ＩＣカードへの搭載対象アプリケーションの属性情報を取得する情報取得手段と、
前記受信した情報を必要によりＩＣカードアプリケーション管理データベースに登録するデータベース登録手段とを有し、
前記ＩＣカード管理情報の一部としてカードＯＳの種類を有し、
前記通信データの情報の一部としてカードＯＳの種類を有し、
ＩＣカードサービス提供管理システムは、
ＩＣカードに搭載するアプリケーションに関連する所定のＩＣカードアプリケーション管理情報をＩＣカードアプリケーション管理データベースに登録管理し、
所定のＩＣカード運用業務処理をＩＣカードアプリケーション情報管理サブシステムで行い、
ＩＣカードサービス提供管理通信サブシステムにおいてＩＣカードアプリケーション情報管理サブシステムのＩＣカードアプリケーション管理情報を用いて、前記ＩＣカード発行管理システムと所定のＩＣカード運用業務を実現するための通信データを生成し、ＩＣカード発行管理システムからのＩＣカード運用業務に関する通信データを受信し、ＩＣカード発行管理システムへＩＣカード運用業務に関する通信データを送信し、
前記ＩＣカードアプリケーション管理情報の一部としてカードＯＳの種類を有し、
前記通信データの情報の一部としてカードＯＳの種類
を有することを特徴とするＩＣカード運用管理方法。
【請求項２９】
ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理方法であって、
前記ＩＣカード発行管理システムは、
ＩＣカードに関連する所定のＩＣカード管理情報をＩＣカード管理データベースに登録管理し、
所定のＩＣカード運用業務処理をＩＣカード情報管理サブシステムで行い、
ＩＣカード発行管理通信サブシステムにおいてＩＣカード情報管理サブシステムのＩＣカード管理情報を用いて、前記ＩＣカードサービス提供管理システムと所定のＩＣカード運用業務を実現するための通信データを生成し、ＩＣカードサービス提供管理システムからのＩＣカード運用業務に関する通信データを受信し、ＩＣカードサービス提供管理システムへＩＣカード運用業務に関する通信データを送信し、
前記所定のＩＣカード運用業務とは、ＩＣカードの運用状態、再発行情報を含むＩＣカードに関連する情報の照会をＩＣカードサービス提供管理システムから要求されるカード情報照会業務であり、
該カード情報照会業務においてＩＣカード発行管理通信サブシステムがＩＣカードサービス提供管理システムから受信するデータは、照会対象ＩＣカードの属性情報を含んでおり、
前記カード情報照会業務においてＩＣカード発行管理通信サブシステムがＩＣカードサービス提供管理システムへ送信するデータは、該ＩＣカードに関して照会要求のあった情報を含んでおり、
前記ＩＣカード情報管理サブシステムは、
前記受信した情報を基に照会対象ＩＣカード属性情報をＩＣカード管理データベース内で検索する検索手段と、
カード情報照会処理終了後、必要により照会したＩＣカードに関する情報をＩＣカード管理データベースに登録するデータベース登録手段とを有し、
前記ＩＣカードサービス提供管理システムにおける前記所定のＩＣカード運用業務とは、ＩＣカードの運用状態、再発行情報を含むＩＣカードに関連する情報の照会をＩＣカード発行管理システムへ要求するカード情報照会業務であり、
該カード情報照会業務においてＩＣカードサービス提供管理通信サブシステムがＩＣカード発行管理システムへ送信するデータは、照会対象ＩＣカードの属性情報を含んでおり、
前記カード情報照会業務においてＩＣカードサービス提供管理通信サブシステムがＩＣカード発行管理システムから受信するデータは、該ＩＣカードに関して照会要求した情報を含んでおり、
前記ＩＣカードアプリケーション情報管理サブシステムは、
前記受信した情報を必要によりＩＣカードアプリケーション管理データベースに登録するデータベース登録手段とを有し、
前記ＩＣカード管理情報の一部としてカードＯＳの種類を有し、
前記通信データの情報の一部としてカードＯＳの種類を有し、
ＩＣカードサービス提供管理システムは、
ＩＣカードに搭載するアプリケーションに関連する所定のＩＣカードアプリケーション管理情報をＩＣカードアプリケーション管理データベースに登録管理し、
所定のＩＣカード運用業務処理をＩＣカードアプリケーション情報管理サブシステムで行い、
ＩＣカードサービス提供管理通信サブシステムにおいてＩＣカードアプリケーション情報管理サブシステムのＩＣカードアプリケーション管理情報を用いて、前記ＩＣカード発行管理システムと所定のＩＣカード運用業務を実現するための通信データを生成し、ＩＣカード発行管理システムからのＩＣカード運用業務に関する通信データを受信し、ＩＣカード発行管理システムへＩＣカード運用業務に関する通信データを送信し、
前記ＩＣカードアプリケーション管理情報の一部としてカードＯＳの種類を有し、
前記通信データの情報の一部としてカードＯＳの種類
を有することを特徴とするＩＣカード運用管理方法。
【請求項３０】
ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理方法であって、
前記ＩＣカード発行管理システムは、
ＩＣカードに関連する所定のＩＣカード管理情報をＩＣカード管理データベースに登録管理し、
所定のＩＣカード運用業務処理をＩＣカード情報管理サブシステムで行い、
ＩＣカード発行管理通信サブシステムにおいてＩＣカード情報管理サブシステムのＩＣカード管理情報を用いて、前記ＩＣカードサービス提供管理システムと所定のＩＣカード運用業務を実現するための通信データを生成し、ＩＣカードサービス提供管理システムからのＩＣカード運用業務に関する通信データを受信し、ＩＣカードサービス提供管理システムへＩＣカード運用業務に関する通信データを送信し、
前記所定のＩＣカード運用業務は、ＩＣカードが廃止されたことをＩＣカードサービス提供管理システムに通知するＩＣカード廃止通知業務であり、
該ＩＣカード廃止通知業務においてＩＣカード発行管理通信サブシステムがＩＣカードサービス提供管理システムへ送信するデータは、廃止されたＩＣカードの属性情報または該ＩＣカードへの許可書発行要求を受信した際のメッセージの属性情報を含んでおり、
前記ＩＣカード情報管理サブシステムは、
ＩＣカードの廃止処理を行うＩＣカード廃止処理手段と、
ＩＣカード廃止通知処理終了後、必要により廃止通知したＩＣカードに関する情報をＩＣカード管理データベースに登録するデータベース登録手段とを有し、
前記ＩＣカードサービス提供管理システムにおける前記所定のＩＣカード運用業務とは、ＩＣカードが廃止されたことをＩＣカード発行管理システムから受信するＩＣカード廃止通知業務であり、
該ＩＣカード廃止通知業務においてＩＣカードサービス提供管理通信サブシステムがＩＣカード発行管理システムから受信するデータは、廃止されたＩＣカードの属性情報または該ＩＣカードへの許可書発行要求を受信した際のメッセージの属性情報を含んでおり、
前記ＩＣカードアプリケーション情報管理サブシステムは、
前記受信した情報をＩＣカードアプリケーション管理データベースに登録するデータベース登録手段と、
前記受信した情報に基づきＩＣカード運用業務を制御する運用業務制御手段とを有し、
前記ＩＣカード管理情報の一部としてカードＯＳの種類を有し、
前記通信データの情報の一部としてカードＯＳの種類を有し、
ＩＣカードサービス提供管理システムは、
ＩＣカードに搭載するアプリケーションに関連する所定のＩＣカードアプリケーション管理情報をＩＣカードアプリケーション管理データベースに登録管理し、
所定のＩＣカード運用業務処理をＩＣカードアプリケーション情報管理サブシステムで行い、
ＩＣカードサービス提供管理通信サブシステムにおいてＩＣカードアプリケーション情報管理サブシステムのＩＣカードアプリケーション管理情報を用いて、前記ＩＣカード発行管理システムと所定のＩＣカード運用業務を実現するための通信データを生成し、ＩＣカード発行管理システムからのＩＣカード運用業務に関する通信データを受信し、ＩＣカード発行管理システムへＩＣカード運用業務に関する通信データを送信し、
前記ＩＣカードアプリケーション管理情報の一部としてカードＯＳの種類を有し、
前記通信データの情報の一部としてカードＯＳの種類
を有することを特徴とするＩＣカード運用管理方法。
【請求項３１】
ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理方法であって、
前記ＩＣカード発行管理システムは、
ＩＣカードに関連する所定のＩＣカード管理情報をＩＣカード管理データベースに登録管理し、
所定のＩＣカード運用業務処理をＩＣカード情報管理サブシステムで行い、
ＩＣカード発行管理通信サブシステムにおいてＩＣカード情報管理サブシステムのＩＣカード管理情報を用いて、前記ＩＣカードサービス提供管理システムと所定のＩＣカード運用業務を実現するための通信データを生成し、ＩＣカードサービス提供管理システムからのＩＣカード運用業務に関する通信データを受信し、ＩＣカードサービス提供管理システムへＩＣカード運用業務に関する通信データを送信し、
前記所定のＩＣカード運用業務とは、ＩＣカードが再発行されたことをＩＣカードサービス提供管理システムに通知するＩＣカード再発行通知業務であり、
該ＩＣカード再発行通知業務においてＩＣカード発行管理通信サブシステムがＩＣカードサービス提供管理システムへ送信するデータは、再発行されたＩＣカードの属性情報を含んでおり、
前記ＩＣカード情報管理サブシステムは、
プラットフォーム毎のＩＣカード再発行処理を行う再発行処理手段と、
ＩＣカード再発行通知処理終了後、必要により再発行通知したＩＣカードに関する情報をＩＣカード管理データベースに登録するデータベース登録手段とを有し、
前記ＩＣカードサービス提供管理システムにおける前記所定のＩＣカード運用業務とは、ＩＣカードが再発行されたことをＩＣカード発行管理システムから受信するＩＣカード再発行通知業務であり、
該ＩＣカード再発行通知業務においてＩＣカードサービス提供管理通信サブシステムがＩＣカード発行管理システムから受信するデータは、再発行されたＩＣカードの属性情報を含んでおり、
前記ＩＣカードアプリケーション情報管理サブシステムは、
前記受信した情報をＩＣカードアプリケーション管理データベースに登録するデータベース登録手段と、
前記受信した情報に基づきＩＣカード運用業務を制御する運用業務制御手段とを有し、
前記ＩＣカード管理情報の一部としてカードＯＳの種類を有し、
前記通信データの情報の一部としてカードＯＳの種類を有し、
ＩＣカードサービス提供管理システムは、
ＩＣカードに搭載するアプリケーションに関連する所定のＩＣカードアプリケーション管理情報をＩＣカードアプリケーション管理データベースに登録管理し、
所定のＩＣカード運用業務処理をＩＣカードアプリケーション情報管理サブシステムで行い、
ＩＣカードサービス提供管理通信サブシステムにおいてＩＣカードアプリケーション情報管理サブシステムのＩＣカードアプリケーション管理情報を用いて、前記ＩＣカード発行管理システムと所定のＩＣカード運用業務を実現するための通信データを生成し、ＩＣカード発行管理システムからのＩＣカード運用業務に関する通信データを受信し、ＩＣカード発行管理システムへＩＣカード運用業務に関する通信データを送信し、
前記ＩＣカードアプリケーション管理情報の一部としてカードＯＳの種類を有し、
前記通信データの情報の一部としてカードＯＳの種類
を有することを特徴とするＩＣカード運用管理方法。
【請求項３２】
ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理方法であって、
前記ＩＣカード発行管理システムは、
ＩＣカードに関連する所定のＩＣカード管理情報をＩＣカード管理データベースに登録管理し、
所定のＩＣカード運用業務処理をＩＣカード情報管理サブシステムで行い、
ＩＣカード発行管理通信サブシステムにおいてＩＣカード情報管理サブシステムのＩＣカード管理情報を用いて、前記ＩＣカードサービス提供管理システムと所定のＩＣカード運用業務を実現するための通信データを生成し、ＩＣカードサービス提供管理システムからのＩＣカード運用業務に関する通信データを受信し、ＩＣカードサービス提供管理システムへＩＣカード運用業務に関する通信データを送信し、
前記所定のＩＣカード運用業務とは、ＩＣカードへアプリケーションを搭載したことをＩＣカードサービス提供管理システムから受信するレシート通知業務であり、
該レシート通知業務においてＩＣカード発行管理通信サブシステムがＩＣカードサービス提供管理システムから受信するデータは、アプリケーションが搭載されたＩＣカードの属性情報または該ＩＣカードへの許可書発行要求を受信した際のメッセージの属性情報を含んでおり、
前記ＩＣカード情報管理サブシステムは、
前記受信した情報をＩＣカード管理データベースに登録するデータベース登録手段と、
前記受信した情報に基づきＩＣカード運用業務を制御する制御手段とを有し、
前記ＩＣカードサービス提供管理システムにおける前記所定のＩＣカード運用業務とは、ＩＣカードへアプリケーションを搭載したことをＩＣカード発行管理システムに通知するレシート通知業務であり、
該レシート通知業務においてＩＣカードサービス提供管理通信サブシステムがＩＣカード発行管理システムへ送信するデータは、アプリケーションが搭載されたＩＣカードの属性情報または該ＩＣカードへの許可書発行要求を送信した際のメッセージの属性情報を含んでおり、
前記ＩＣカードアプリケーション情報管理サブシステムは、
レシートを作成するレシート作成手段と、
レシート通知処理終了後、必要によりレシート通知したＩＣカードに関する情報をＩＣカードアプリケーション管理データベースに登録するデータベース登録手段とを有し、
前記ＩＣカード管理情報の一部としてカードＯＳの種類を有し、
前記通信データの情報の一部としてカードＯＳの種類を有し、
ＩＣカードサービス提供管理システムは、
ＩＣカードに搭載するアプリケーションに関連する所定のＩＣカードアプリケーション管理情報をＩＣカードアプリケーション管理データベースに登録管理し、
所定のＩＣカード運用業務処理をＩＣカードアプリケーション情報管理サブシステムで行い、
ＩＣカードサービス提供管理通信サブシステムにおいてＩＣカードアプリケーション情報管理サブシステムのＩＣカードアプリケーション管理情報を用いて、前記ＩＣカード発行管理システムと所定のＩＣカード運用業務を実現するための通信データを生成し、ＩＣカード発行管理システムからのＩＣカード運用業務に関する通信データを受信し、ＩＣカード発行管理システムへＩＣカード運用業務に関する通信データを送信し、
前記ＩＣカードアプリケーション管理情報の一部としてカードＯＳの種類を有し、
前記通信データの情報の一部としてカードＯＳの種類
を有することを特徴とするＩＣカード運用管理方法。
【請求項３３】
ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理方法であって、
前記ＩＣカード発行管理システムは、
ＩＣカードに関連する所定のＩＣカード管理情報をＩＣカード管理データベースに登録管理し、
所定のＩＣカード運用業務処理をＩＣカード情報管理サブシステムで行い、
ＩＣカード発行管理通信サブシステムにおいてＩＣカード情報管理サブシステムのＩＣカード管理情報を用いて、前記ＩＣカードサービス提供管理システムと所定のＩＣカード運用業務を実現するための通信データを生成し、ＩＣカードサービス提供管理システムからのＩＣカード運用業務に関する通信データを受信し、ＩＣカードサービス提供管理システムへＩＣカード運用業務に関する通信データを送信し、
前記所定のＩＣカード運用業務とは、ＩＣカードの紛失、盗難、その他の何らかの理由により利用を停止したいＩＣカードに関する情報をＩＣカードサービス提供管理システムに通知するホットリスト通知業務であり、
該ホットリスト通知業務においてＩＣカード発行管理通信サブシステムがＩＣカードサービス提供管理システムへ送信するデータは、利用停止を希望するＩＣカードの属性情報を含んでおり、
前記ＩＣカード情報管理サブシステムは、
ホットリストを作成するホットリスト作成手段と、
ホットリスト通知処理終了後、必要によりホットリスト通知したＩＣカードに関する情報をＩＣカード管理データベースに登録するデータベース登録手段とを有し、
前記ＩＣカードサービス提供管理システムにおける前記所定のＩＣカード運用業務とは、ＩＣカードの紛失、盗難、その他の何らかの理由により利用を停止したいＩＣカードに関する情報をＩＣカード発行管理システムから受信するホットリスト通知業務であり、
該ホットリスト通知業務においてＩＣカードサービス提供管理通信サブシステムがＩＣカード発行管理システムから受信するデータは、利用停止を希望するＩＣカードの属性情報を含んでおり、
前記ＩＣカードアプリケーション情報管理サブシステムは、
前記受信した情報をＩＣカードアプリケーション管理データベースに登録するデータベース登録手段と、
前記受信した情報に基づきＩＣカード運用業務を制御する運用業務制御手段とを有し、
前記ＩＣカード管理情報の一部としてカードＯＳの種類を有し、
前記通信データの情報の一部としてカードＯＳの種類を有し、
ＩＣカードサービス提供管理システムは、
ＩＣカードに搭載するアプリケーションに関連する所定のＩＣカードアプリケーション管理情報をＩＣカードアプリケーション管理データベースに登録管理し、
所定のＩＣカード運用業務処理をＩＣカードアプリケーション情報管理サブシステムで行い、
ＩＣカードサービス提供管理通信サブシステムにおいてＩＣカードアプリケーション情報管理サブシステムのＩＣカードアプリケーション管理情報を用いて、前記ＩＣカード発行管理システムと所定のＩＣカード運用業務を実現するための通信データを生成し、ＩＣカード発行管理システムからのＩＣカード運用業務に関する通信データを受信し、ＩＣカード発行管理システムへＩＣカード運用業務に関する通信データを送信し、
前記ＩＣカードアプリケーション管理情報の一部としてカードＯＳの種類を有し、
前記通信データの情報の一部としてカードＯＳの種類
を有することを特徴とするＩＣカード運用管理方法。
【請求項３４】
ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理方法であって、
前記ＩＣカード発行管理システムは、
ＩＣカードに関連する所定のＩＣカード管理情報をＩＣカード管理データベースに登録管理し、
所定のＩＣカード運用業務処理をＩＣカード情報管理サブシステムで行い、
ＩＣカード発行管理通信サブシステムにおいてＩＣカード情報管理サブシステムのＩＣカード管理情報を用いて、前記ＩＣカードサービス提供管理システムと所定のＩＣカード運用業務を実現するための通信データを生成し、ＩＣカードサービス提供管理システムからのＩＣカード運用業務に関する通信データを受信し、ＩＣカードサービス提供管理システムへＩＣカード運用業務に関する通信データを送信し、
前記所定のＩＣカード運用業務とは、ＩＣカードの紛失、盗難、その他の何らかの理由により利用を停止したいＩＣカードに関する問合せをＩＣカードサービス提供管理システムから受信するホットリスト問合せ業務であり、
該ホットリスト問合せ業務においてＩＣカード発行管理通信サブシステムがＩＣカードサービス提供管理システムから受信するデータは、配信を希望するホットリストのバージョン情報を含んでおり、
前記ＩＣカード情報管理サブシステムは、
ＩＣカードサービス提供管理システムからの希望に応じたホットリストを作成するホットリスト作成手段と、
ＩＣカードサービス提供管理システムへ前記ホットリストを送信するホットリスト送信手段とを有し、
前記ＩＣカードサービス提供管理システムにおける前記所定のＩＣカード運用業務とは、ＩＣカードの紛失、盗難、その他の何らかの理由により利用を停止したいＩＣカードに関する問合せをＩＣカード発行管理システムへ行うホットリスト問合せ業務であり、
該ホットリスト問合せ業務においてＩＣカードサービス提供管理通信サブシステムがＩＣカード発行管理システムへ送信するデータは、配信を希望するホットリストバージョン番号を含んでおり、
ＩＣカードアプリケーション情報管理サブシステムは、
ＩＣカード発行管理システムからホットリストを受信するホットリスト受信手段と、
前記受信した情報に基づきＩＣカードアプリケーション管理データベースを更新するデータベース更新手段とを有し、
前記ＩＣカード管理情報の一部としてカードＯＳの種類を有し、
前記通信データの情報の一部としてカードＯＳの種類を有し、
ＩＣカードサービス提供管理システムは、
ＩＣカードに搭載するアプリケーションに関連する所定のＩＣカードアプリケーション管理情報をＩＣカードアプリケーション管理データベースに登録管理し、
所定のＩＣカード運用業務処理をＩＣカードアプリケーション情報管理サブシステムで行い、
ＩＣカードサービス提供管理通信サブシステムにおいてＩＣカードアプリケーション情報管理サブシステムのＩＣカードアプリケーション管理情報を用いて、前記ＩＣカード発行管理システムと所定のＩＣカード運用業務を実現するための通信データを生成し、ＩＣカード発行管理システムからのＩＣカード運用業務に関する通信データを受信し、ＩＣカード発行管理システムへＩＣカード運用業務に関する通信データを送信し、
前記ＩＣカードアプリケーション管理情報の一部としてカードＯＳの種類を有し、
前記通信データの情報の一部としてカードＯＳの種類
を有することを特徴とするＩＣカード運用管理方法。
【発明の詳細な説明】
【０００１】
【発明の属する技術分野】
本発明は、複数種類のＩＣカード運用管理システムをオンラインで統一的に運用管理するＩＣカード運用管理システムおよび方法に関し、更に詳しくは、ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理システムおよび方法に関する。
【０００２】
【従来の技術】
ＩＣカードは、大量の情報が記録可能であり、かつ高度なセキュリティを有するため、磁気カードに代わる新しい情報記録媒体として近年普及しつつある。また最近ではＩＣカードに複数のアプリケーションを搭載できるマルチアプリケーション機能や、カード発行後にアプリケーションを搭載可能なダイナミックローディング機能を備えたＩＣカードおよびカードＯＳが主流となってきている。既に登場している、ＭＵＬＴＯＳ（Mondex International社商標）カードＯＳやＪａｖａ Ｃａｒｄ（Sun Microsystems社商標）ＯＳはこれらの機能に対応するカ ードＯＳである。
【０００３】
図１２にこのようなＩＣカード１９内に搭載されているＩＣ内部の基本的な領域の論理的な構成を示す。当該ＩＣは、ハードウェア層２１０３と、ＯＳが搭載される領域、即ちＯＳ層１２０２と、アプリケーションが搭載される領域、即ちアプリケーション層１２０１とを有する。ここで、マルチアプリケーション搭載可能とは、アプリケーション層１２０１に複数のアプリケーション１２０４−１２０６が搭載できるということである。また、ダイナミックローディング可能とは、このアプリケーション１２０４−１２０６をカード発行後に搭載あるいは削除することが可能であることを示す。ＯＳ層１２０２は通信処理部１２０７、インタープリタ１２０８、セキュリティ機能１２０９などを有し、外部端末からのコマンドの受信やアプリケーションのコマンドの転送などを行っている。当然、アプリケーション層１２０１とＯＳ層１２０２との間にはアプリケーション・インターフェイス、ＯＳ層１２０２とハードウェア層１２０３との間はハードウェア・インターフェイスが設けられる。
【０００４】
図１はＩＣカードの発行やサービスの提供に関わるシステム構成図である。カード発行者とは、ＩＣカード発行管理システム１２を用いてＩＣカードの発行と管理の業務を行う事業主体者であり、ＩＣカードの責任を負う事業主体者である。カード発行者はＩＣカード管理データベース１４にＩＣカード管理情報を保持しており、そのデータに従いＩＣカードを発行し利用者に配布する。ＩＣカード管理情報には、利用者からの申請情報や、カードの発行に必要な基本情報が記載されている。
【０００５】
また、サービス提供者とは、ＩＣカードサービス提供管理システム１１を用いて、ＩＣカード上に搭載されるアプリケーションの発行と管理の業務を行う事業主体者である。ＩＣカード搭載用アプリケーションは、サービス提供者が作成もしくは取得し、ＩＣカードへのアプリケーション搭載を行う。ＩＣカードアプリケーション管理データベース１３にはアプリケーション関連（以下、ＡＰ関連と称する）データが格納されている。
【０００６】
カード発行者とサービス提供者は、ＩＣカードの管理運用のためにいくつかの業務を行う必要がある。その業務とは、アプリケーション登録業務（以下、ＡＰ登録業務と称する）、許可書発行業務、カード情報照会業務、カード廃止通知業務、カード再発行通知業務、レシート通知業務、ホットリスト通知業務、ホットリスト問合せ業務などである。
【０００７】
ＡＰ登録業務とは、サービス提供者がカードにＡＰを搭載することに先だって、カード発行者にＡＰの名称、ハッシュ値、データサイズなどを登録することである。サービス提供者がカード発行者にＡＰ登録することが、すべての業務の出発点となる。
【０００８】
また、前記ＡＰ登録業務に伴って、ＡＰ登録取消業務、ＡＰ登録取消業務（バッチ型）、ＡＰ登録問合せ業務、ＡＰ登録問合せ業務（バッチ型）、ＡＰ登録抹消業務がある。
【０００９】
ＡＰ登録抹消業務とは、サービス提供者がカード発行者にＡＰ登録を依頼した場合、該ＡＰ登録の可否をサービス提供者がカード発行者より通知される前に、サービス提供者が該ＡＰ登録の依頼の取り消しを行うことである。
【００１０】
また、ＡＰ登録取消業務（バッチ型）とは、ＡＰ登録取消業務のバッチ処理である。ＡＰ登録は、１つのＡＰだけでなく、複数のＡＰ登録を同時に行う場合があるため、該ＡＰ登録取消業務（バッチ型）は、これらの複数のＡＰの登録依頼を同時に一括して取り消すために必要である。
【００１１】
ＡＰ登録問合せ業務とは、サービス提供者がＡＰ登録依頼後、その後の経過をカード発行者に問合せる業務である。サービス提供者のＡＰ登録問合せに対し、カード発行者はＡＰ登録処理中やＡＰ登録済みなどのＡＰ登録業務における現在の状態を通知する。
【００１２】
また、ＡＰ登録問合せ業務（バッチ型）とは、ＡＰ登録問合せ業務のバッチ処理である。前記ＡＰ登録取消業務（バッチ型）と同様な利用により、該業務は、複数のＡＰ登録依頼の状態問合せに必要である。
【００１３】
ＡＰ登録抹消業務とは、サービス提供者がカード発行者に、既に登録されたＡＰの登録抹消を依頼する業務である。ＡＰ登録業務の結果、登録されたＡＰの登録抹消のために、該業務は必要である。
【００１４】
許可書発行業務とは、サービス提供者がカード発行者に対して、カードへのＡＰの搭載許可を依頼し、この依頼に対してカード発行者はカードへのＡＰの搭載許可（許可書）を発行する業務である。ＡＰの搭載許可が認められない場合は、カード発行者は許可書を発行しない。該業務により、サービス提供者はカードへＡＰを搭載することが可能となる。
【００１５】
また、前記許可書発行業務に伴って、許可書発行取消業務、許可書発行取消業務（バッチ型）、許可書発行問合せ業務、許可書発行問合せ業務（バッチ型）がある。
【００１６】
許可書発行取消業務とは、サービス提供者がカード発行者に許可書発行を依頼した場合、サービス提供者がカード発行者より許可書を受理する前に、サービス提供者が該許可書発行の依頼の取り消しを行うことである。
【００１７】
また、許可書発行取消業務（バッチ型）とは、許可書発行取消業務のバッチ処理である。許可書発行は、１つのＡＰだけでなく、複数の許可書発行を同時に行う場合があるため、該業務は、これらの許可書発行依頼を同時に一括して取り消すために必要である。
【００１８】
許可書発行問合せ業務とは、サービス提供者が許可書発行依頼後、その後の経過をカード発行者に問合せる業務である。サービス提供者の許可書発行問合せに対し、カード発行者は許可書発行処理中や許可書発行済みなどの許可書発行業務における現在の状態を通知する。
【００１９】
また、許可書発行問合せ業務（バッチ型）とは、許可書発行問合せ業務のバッチ処理である。前記許可書発行取消業務（バッチ型）と同様な理由により、該業務は、複数の許可書発行依頼の状態問合せに必要である。
【００２０】
カード情報照会業務とは、カード発行者がサービス提供者の依頼を受けて、カードに関する情報を照会する業務である。カード発行者はカードの現在の状態（運用中、運用停止、廃止、盗難、紛失など）を通知する。
【００２１】
カード廃止通知業務とは、カードを廃止したことをカード発行者がサービス提供者へ通知する業務である。該業務は、カードを新規発行し、旧カードを廃止する場合に用いられる。
【００２２】
カード再発行通知業務とは、カード発行者がサービス提供者にカードを再発行したことを通知する業務である。該業務により、サービス提供者はシステム上の旧カードの情報（審査情報、課金情報など）を再発行されたカードに引き継ぐことが可能となり、大幅な業務効率の向上が可能となる。
【００２３】
レシート通知業務とは、サービス提供者がカード発行者へレシートを通知する業務である。レシートとは、サービス提供者がカードへある行為（ＡＰ搭載など）を行ったときに、その証しとしてレシートをサービス提供者へ送信するものである。カード発行者はレシートをサービス提供者より受け取ることにより、サービス提供者のカードに対する行為（ＡＰ搭載など）を確認できる。
【００２４】
ホットリスト通知業務とは、カード発行者がサービス提供者にホットリストを通知する業務である。ホットリストとは、紛失・盗難などの事故が起きたカードのカード情報である。カード発行者とサービス提供者がホットリストを共有することにより、カードの不正利用を防止することが可能となる。
【００２５】
ホットリスト問合せ業務とは、サービス提供者がカード発行者に最新ホットリストについて問合せる業務である。該業務により、サービス提供者はシステムが事故などにより停止した場合でも、ホットリストを最新状態に更新することが可能となる。
【００２６】
【発明が解決しようとする課題】
ＩＣカードの運用管理システムには上記のような共通的な業務があるが、カード発行者のシステムとサービス提供者のシステムの間で上記業務を遂行するための共通的な手段がなかったために、カード発行者とサービス提供者のそれぞれのシステムが異なるベンダによるものの場合、カード発行者とサービス提供者はインターネットなどのオンラインで、上記業務を遂行することができないという問題があった。
【００２７】
また、カード発行者とサービス提供者のそれぞれのシステムが複数種類のカードＯＳを運用管理する場合、それぞれのカードＯＳの運用手順が異なるため、統一的に運用管理することができないというシステム統合性の問題があった。
【００２８】
本発明は、上記に鑑みてなされたもので、その目的とするところは、各種業務をインターネットなどのネットワークを介してオンラインで遂行するための標準的な手段を提供し、カード発行者とサービス提供者のそれぞれのシステムが異なるベンダによるシステムである場合の相互接続性問題を解決し得るＩＣカード運用管理システムおよび方法を提供することにある。
【００２９】
【課題を解決するための手段】
上記目的を達成するため、請求項１記載の本発明は、ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理システムであって、前記ＩＣカード発行管理システムは、ＩＣカードに関連する所定のＩＣカード管理情報を管理するＩＣカード管理データベースと、所定のＩＣカード運用業務処理を行うＩＣカード情報管理サブシステムと、前記ＩＣカード情報管理サブシステムのＩＣカード管理情報を用いて、前記ＩＣカードサービス提供管理システムと所定のＩＣカード運用業務を実現するための通信データを生成する通信データ生成手段、ＩＣカードサービス提供管理システムからのＩＣカード運用業務に関する通信データを受信する通信データ受信手段、およびＩＣカードサービス提供管理システムへＩＣカード運用業務に関する通信データを送信する通信データ送信手段を備えるＩＣカード発行管理通信サブシステムとを有し、前記所定のＩＣカード運用業務とは、ＩＣカードに搭載を希望するアプリケーションに関連する情報をＩＣカードサービス提供管理システムから要求されて登録するアプリケーション登録業務であり、該アプリケーション登録業務においてＩＣカード発行管理通信サブシステムがＩＣカードサービス提供管理システムから受信するデータは、登録を希望するアプリケーションの属性情報を含んでおり、前記アプリケーション登録業務においてＩＣカード発行管理通信サブシステムがＩＣカードサービス提供管理システムへ送信するデータは、アプリケーション登録の結果を含んでおり、前記ＩＣカード情報管理サブシステムは、アプリケーションを登録するアプリケーション登録手段と、アプリケーション登録処理終了後、登録するアプリケーションに関する情報をＩＣカード管理データベースに登録するデータベース登録手段とを有し、前記ＩＣカードサービス提供管理システムにおける前記所定のＩＣカード運用業務とは、ＩＣカードに搭載を希望するアプリケーションに関連する情報をＩＣカード発行管理システムに要求するアプリケーション登録業務であり、該アプリケーション登録業務においてＩＣカードサービス提供管理通信サブシステムがＩＣカード発行管理システムへ送信するデータは、登録を希望するアプリケーションの属性情報を含んでおり、前記アプリケーション登録業務においてＩＣカードサービス提供管理通信サブシステムがＩＣカード発行管理システムから受信するデータは、アプリケーション登録の結果を含んでおり、前記ＩＣカードアプリケーション情報管理サブシステムは、アプリケーション登録情報を取得するアプリケーション取得手段と、この取得したアプリケーション登録情報を必要によりＩＣカードアプリケーション管理データベースに登録するデータベース登録手段とを有し、前記ＩＣカード管理情報の一部としてカードＯＳの種類を有し、前記通信データの情報の一部としてカードＯＳの種類を有し、ＩＣカードサービス提供管理システムは、ＩＣカードに搭載するアプリケーションに関連する所定のＩＣカードアプリケーション管理情報を管理するＩＣカードアプリケーション管理データベースと、所定のＩＣカード運用業務処理を行うＩＣカードアプリケーション情報管理サブシステムと、前記ＩＣカードアプリケーション情報管理サブシステムのＩＣカードアプリケーション管理情報を用いて、前記ＩＣカード発行管理システムと所定のＩＣカード運用業務を実現するための通信データを生成する通信データ生成手段、ＩＣカード発行管理システムからのＩＣカード運用業務に関する通信データを受信する通信データ受信手段、およびＩＣカード発行管理システムへＩＣカード運用業務に関する通信データを送信する通信データ送信手段を備えたＩＣカードサービス提供管理通信サブシステムとを有し、前記ＩＣカードアプリケーション管理情報の一部としてカードＯＳの種類を有し、前記通信データの情報の一部としてカードＯＳの種類を有することを要旨とする。
【００３０】
また、請求項２記載の本発明は、ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理システムであって、前記ＩＣカード発行管理システムは、ＩＣカードに関連する所定のＩＣカード管理情報を管理するＩＣカード管理データベースと、所定のＩＣカード運用業務処理を行うＩＣカード情報管理サブシステムと、前記ＩＣカード情報管理サブシステムのＩＣカード管理情報を用いて、前記ＩＣカードサービス提供管理システムと所定のＩＣカード運用業務を実現するための通信データを生成する通信データ生成手段、ＩＣカードサービス提供管理システムからのＩＣカード運用業務に関する通信データを受信する通信データ受信手段、およびＩＣカードサービス提供管理システムへＩＣカード運用業務に関する通信データを送信する通信データ送信手段を備えるＩＣカード発行管理通信サブシステムとを有し、前記所定のＩＣカード運用業務とは、アプリケーション登録業務で登録要求されたアプリケーションを登録終了前に取り消しすることをＩＣカードサービス提供管理システムから要求されるアプリケーション登録取り消し業務であり、該アプリケーション登録取り消し業務においてＩＣカード発行管理通信サブシステムがＩＣカードサービス提供管理システムから受信するデータは、登録取り消しを希望するアプリケーションの属性情報を含んでおり、前記アプリケーション登録取り消し業務においてＩＣカード発行管理通信サブシステムがＩＣカードサービス提供管理システムへ送信するデータは、アプリケーション登録取り消しの結果を含んでおり、前記ＩＣカード情報管理サブシステムは、前記受信した情報を基に所定のプラットフォームのアプリケーションの登録を取り消すアプリケーション登録取り消し手段と、アプリケーション登録取り消し処理終了後、必要により登録取り消しに関する情報をＩＣカード管理データベースに登録するデータベース登録手段とを有し、前記ＩＣカードサービス提供管理システムにおける前記所定のＩＣカード運用業務とは、アプリケーション登録業務で登録要求したアプリケーションを登録終了前に取り消しすることをＩＣカード発行管理システムに要求するアプリケーション登録取り消し業務であり、該アプリケーション登録取り消し業務においてＩＣカードサービス提供管理通信サブシステムがＩＣカード発行管理システムへ送信するデータは、登録取り消しを希望するアプリケーションの属性情報を含んでおり、前記アプリケーション登録取り消し業務においてＩＣカードサービス提供管理通信サブシステムがＩＣカード発行管理システムから受信するデータは、アプリケーション登録取り消しの結果を含んでおり、前記ＩＣカードアプリケーション情報管理サブシステムは、アプリケーション登録取り消しを希望するアプリケーションの属性情報を取得するアプリケーション属性情報取得手段と、前記受信した情報を必要によりＩＣカードアプリケーション管理データベースに登録するデータベース登録手段とを有し、前記ＩＣカード管理情報の一部としてカードＯＳの種類を有し、前記通信データの情報の一部としてカードＯＳの種類を有し、ＩＣカードサービス提供管理システムは、ＩＣカードに搭載するアプリケーションに関連する所定のＩＣカードアプリケーション管理情報を管理するＩＣカードアプリケーション管理データベースと、所定のＩＣカード運用業務処理を行うＩＣカードアプリケーション情報管理サブシステムと、前記ＩＣカードアプリケーション情報管理サブシステムのＩＣカードアプリケーション管理情報を用いて、前記ＩＣカード発行管理システムと所定のＩＣカード運用業務を実現するための通信データを生成する通信データ生成手段、ＩＣカード発行管理システムからのＩＣカード運用業務に関する通信データを受信する通信データ受信手段、およびＩＣカード発行管理システムへＩＣカード運用業務に関する通信データを送信する通信データ送信手段を備えたＩＣカードサービス提供管理通信サブシステムとを有し、前記ＩＣカードアプリケーション管理情報の一部としてカードＯＳの種類を有し、前記通信データの情報の一部としてカードＯＳの種類を有することを要旨とする。
【００３１】
また、請求項３記載の本発明は、ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理システムであって、前記ＩＣカード発行管理システムは、ＩＣカードに関連する所定のＩＣカード管理情報を管理するＩＣカード管理データベースと、所定のＩＣカード運用業務処理を行うＩＣカード情報管理サブシステムと、前記ＩＣカード情報管理サブシステムのＩＣカード管理情報を用いて、前記ＩＣカードサービス提供管理システムと所定のＩＣカード運用業務を実現するための通信データを生成する通信データ生成手段、ＩＣカードサービス提供管理システムからのＩＣカード運用業務に関する通信データを受信する通信データ受信手段、およびＩＣカードサービス提供管理システムへＩＣカード運用業務に関する通信データを送信する通信データ送信手段を備えるＩＣカード発行管理通信サブシステムとを有し、前記所定のＩＣカード運用業務とは、アプリケーション登録業務で登録要求された際の受信メッセージに記載されたすべてのアプリケーションを登録終了前にまとめて取り消しすることをＩＣカードサービス提供管理システムから要求されるアプリケーション登録バッチ取り消し業務であり、該アプリケーション登録バッチ取り消し業務においてＩＣカード発行管理通信サブシステムがＩＣカードサービス提供管理システムから受信するデータは、アプリケーション登録要求を受信した際のメッセージ属性情報を含んでおり、前記アプリケーション登録バッチ取り消し業務においてＩＣカード発行管理通信サブシステムがＩＣカードサービス提供管理システムへ送信するデータは、アプリケーション登録バッチ取り消しの結果を含んでおり、前記ＩＣカード情報管理サブシステムは、前記受信した情報を基に所定のプラットフォームのアプリケーションの登録を取り消すアプリケーション登録取り消し手段と、アプリケーション登録取り消し処理終了後、必要により登録バッチ取り消しに関する情報をＩＣカード管理データベースに登録するデータベース登録手段とを有し、前記ＩＣカードサービス提供管理システムにおける前記所定のＩＣカード運用業務とは、アプリケーション登録業務で登録要求した際の送信メッセージに記載されたすべてのアプリケーションを登録終了前にまとめて取り消しすることをＩＣカード発行管理システムに要求するアプリケーション登録バッチ取り消し業務であり、該アプリケーション登録バッチ取り消し業務においてＩＣカードサービス提供管理通信サブシステムがＩＣカード発行管理システムへ送信するデータは、アプリケーション登録要求を送信した際のメッセージ属性情報を含んでおり、前記アプリケーション登録バッチ取り消し業務においてＩＣカードサービス提供管理通信サブシステムがＩＣカード発行管理システムから受信するデータは、アプリケーション登録バッチ取り消しの結果を含んでおり、前記ＩＣカードアプリケーション情報管理サブシステムは、アプリケーション登録取り消しを希望するアプリケーションの属性情報を取得するアプリケーション属性情報取得手段と、前記受信した情報を必要によりＩＣカードアプリケーション管理データベースに登録するデータベース登録手段とを有し、前記ＩＣカード管理情報の一部としてカードＯＳの種類を有し、前記通信データの情報の一部としてカードＯＳの種類を有し、ＩＣカードサービス提供管理システムは、ＩＣカードに搭載するアプリケーションに関連する所定のＩＣカードアプリケーション管理情報を管理するＩＣカードアプリケーション管理データベースと、所定のＩＣカード運用業務処理を行うＩＣカードアプリケーション情報管理サブシステムと、前記ＩＣカードアプリケーション情報管理サブシステムのＩＣカードアプリケーション管理情報を用いて、前記ＩＣカード発行管理システムと所定のＩＣカード運用業務を実現するための通信データを生成する通信データ生成手段、ＩＣカード発行管理システムからのＩＣカード運用業務に関する通信データを受信する通信データ受信手段、およびＩＣカード発行管理システムへＩＣカード運用業務に関する通信データを送信する通信データ送信手段を備えたＩＣカードサービス提供管理通信サブシステムとを有し、前記ＩＣカードアプリケーション管理情報の一部としてカードＯＳの種類を有し、前記通信データの情報の一部としてカードＯＳの種類を有することを要旨とする。
【００３２】
また、請求項４記載の本発明は、ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理システムであって、前記ＩＣカード発行管理システムは、ＩＣカードに関連する所定のＩＣカード管理情報を管理するＩＣカード管理データベースと、所定のＩＣカード運用業務処理を行うＩＣカード情報管理サブシステムと、前記ＩＣカード情報管理サブシステムのＩＣカード管理情報を用いて、前記ＩＣカードサービス提供管理システムと所定のＩＣカード運用業務を実現するための通信データを生成する通信データ生成手段、ＩＣカードサービス提供管理システムからのＩＣカード運用業務に関する通信データを受信する通信データ受信手段、およびＩＣカードサービス提供管理システムへＩＣカード運用業務に関する通信データを送信する通信データ送信手段を備えるＩＣカード発行管理通信サブシステムとを有し、前記所定のＩＣカード運用業務は、アプリケーション登録業務で登録要求されたアプリケーションに関する問合せをＩＣカードサービス提供管理システムから要求されるアプリケーション登録問合せ業務であり、該アプリケーション登録問合せ業務においてＩＣカード発行管理通信サブシステムがＩＣカードサービス提供管理システムから受信するデータは、登録問合せを希望するアプリケーションの属性情報を含んでおり、前記アプリケーション登録問合せ業務においてＩＣカード発行管理通信サブシステムがＩＣカードサービス提供管理システムへ送信するデータは、アプリケーション登録問合せの結果を含んでおり、前記ＩＣカード情報管理サブシステムは、前記受信した情報を基に所定のプラットフォームのアプリケーション登録情報を照会する照会手段と、アプリケーション登録問合せ処理終了後、必要により登録問合せに関する情報をＩＣカード管理データベースに登録するデータベース登録手段とを有し、前記ＩＣカードサービス提供管理システムにおける前記所定のＩＣカード運用業務とは、アプリケーション登録業務で登録要求したアプリケーションに関する問合せをＩＣカード発行管理システムに要求するアプリケーション登録問合せ業務であり、該アプリケーション登録問合せ業務においてＩＣカードサービス提供管理通信サブシステムがＩＣカード発行管理システムへ送信するデータは、登録問合せを希望するアプリケーションの属性情報を含んでおり、前記アプリケーション登録業務においてＩＣカードサービス提供管理通信サブシステムがＩＣカード発行管理システムから受信するデータは、アプリケーション登録問合せの結果を含んでおり、前記ＩＣカードアプリケーション情報管理サブシステムは、登録問合せを希望するアプリケーションの属性情報を取得する属性情報取得手段と、前記受信した情報を必要によりＩＣカードアプリケーション管理データベースに登録するデータベース登録手段とを有し、前記ＩＣカード管理情報の一部としてカードＯＳの種類を有し、前記通信データの情報の一部としてカードＯＳの種類を有し、ＩＣカードサービス提供管理システムは、ＩＣカードに搭載するアプリケーションに関連する所定のＩＣカードアプリケーション管理情報を管理するＩＣカードアプリケーション管理データベースと、所定のＩＣカード運用業務処理を行うＩＣカードアプリケーション情報管理サブシステムと、前記ＩＣカードアプリケーション情報管理サブシステムのＩＣカードアプリケーション管理情報を用いて、前記ＩＣカード発行管理システムと所定のＩＣカード運用業務を実現するための通信データを生成する通信データ生成手段、ＩＣカード発行管理システムからのＩＣカード運用業務に関する通信データを受信する通信データ受信手段、およびＩＣカード発行管理システムへＩＣカード運用業務に関する通信データを送信する通信データ送信手段を備えたＩＣカードサービス提供管理通信サブシステムとを有し、前記ＩＣカードアプリケーション管理情報の一部としてカードＯＳの種類を有し、前記通信データの情報の一部としてカードＯＳの種類を有することを要旨とする。
【００３３】
また、請求項５記載の本発明は、ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理システムであって、前記ＩＣカード発行管理システムは、ＩＣカードに関連する所定のＩＣカード管理情報を管理するＩＣカード管理データベースと、所定のＩＣカード運用業務処理を行うＩＣカード情報管理サブシステムと、前記ＩＣカード情報管理サブシステムのＩＣカード管理情報を用いて、前記ＩＣカードサービス提供管理システムと所定のＩＣカード運用業務を実現するための通信データを生成する通信データ生成手段、ＩＣカードサービス提供管理システムからのＩＣカード運用業務に関する通信データを受信する通信データ受信手段、およびＩＣカードサービス提供管理システムへＩＣカード運用業務に関する通信データを送信する通信データ送信手段を備えるＩＣカード発行管理通信サブシステムとを有し、前記所定のＩＣカード運用業務とは、アプリケーション登録業務で登録要求された際の受信メッセージに記載されたすべてのアプリケーションに関してまとめて問合せすることをＩＣカードサービス提供管理システムから要求されるアプリケーション登録バッチ問合せ業務であり、該アプリケーション登録バッチ問合せ業務においてＩＣカード発行管理通信サブシステムがＩＣカードサービス提供管理システムから受信するデータは、アプリケーション登録要求を受信した際のメッセージ属性情報を含んでおり、前記アプリケーション登録バッチ問合せ業務においてＩＣカード発行管理通信サブシステムがＩＣカードサービス提供管理システムへ送信するデータは、アプリケーション登録バッチ問合せの結果を含んでおり、前記ＩＣカード情報管理サブシステムは、前記受信した情報を基に所定のプラットフォームのアプリケーション登録情報を照会する照会手段と、アプリケーション登録バッチ問合せ処理終了後、必要により登録バッチ問合せに関する情報をＩＣカード管理データベースに登録するデータベース登録手段とを有し、前記ＩＣカードサービス提供管理システムにおける前記所定のＩＣカード運用業務とは、アプリケーション登録業務で登録要求した際の送信メッセージに記載されたすべてのアプリケーションに関してまとめて問合せすることをＩＣカード発行管理システムに要求するアプリケーション登録バッチ問合せ業務であり、該アプリケーション登録バッチ問合せ業務においてＩＣカードサービス提供管理通信サブシステムがＩＣカード発行管理システムへ送信するデータは、アプリケーション登録要求を送信した際のメッセージ属性情報を含んでおり、前記アプリケーション登録バッチ業務においてＩＣカードサービス提供管理通信サブシステムがＩＣカード発行管理システムから受信するデータは、アプリケーション登録バッチ問合せの結果を含んでおり、前記ＩＣカードアプリケーション情報管理サブシステムは、登録問合せを希望するアプリケーションの属性情報を取得する属性情報取得手段と、前記受信した情報を必要によりＩＣカードアプリケーション管理データベースに登録するデータベース登録手段とを有し、前記ＩＣカード管理情報の一部としてカードＯＳの種類を有し、前記通信データの情報の一部としてカードＯＳの種類を有し、ＩＣカードサービス提供管理システムは、ＩＣカードに搭載するアプリケーションに関連する所定のＩＣカードアプリケーション管理情報を管理するＩＣカードアプリケーション管理データベースと、所定のＩＣカード運用業務処理を行うＩＣカードアプリケーション情報管理サブシステムと、前記ＩＣカードアプリケーション情報管理サブシステムのＩＣカードアプリケーション管理情報を用いて、前記ＩＣカード発行管理システムと所定のＩＣカード運用業務を実現するための通信データを生成する通信データ生成手段、ＩＣカード発行管理システムからのＩＣカード運用業務に関する通信データを受信する通信データ受信手段、およびＩＣカード発行管理システムへＩＣカード運用業務に関する通信データを送信する通信データ送信手段を備えたＩＣカードサービス提供管理通信サブシステムとを有し、前記ＩＣカードアプリケーション管理情報の一部としてカードＯＳの種類を有し、前記通信データの情報の一部としてカードＯＳの種類を有することを要旨とする。
【００３４】
また、請求項６記載の本発明は、ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理システムであって、前記ＩＣカード発行管理システムは、ＩＣカードに関連する所定のＩＣカード管理情報を管理するＩＣカード管理データベースと、所定のＩＣカード運用業務処理を行うＩＣカード情報管理サブシステムと、前記ＩＣカード情報管理サブシステムのＩＣカード管理情報を用いて、前記ＩＣカードサービス提供管理システムと所定のＩＣカード運用業務を実現するための通信データを生成する通信データ生成手段、ＩＣカードサービス提供管理システムからのＩＣカード運用業務に関する通信データを受信する通信データ受信手段、およびＩＣカードサービス提供管理システムへＩＣカード運用業務に関する通信データを送信する通信データ送信手段を備えるＩＣカード発行管理通信サブシステムとを有し、前記所定のＩＣカード運用業務とは、アプリケーション登録業務により既に登録済みのアプリケーションに対して登録抹消をＩＣカードサービス提供管理システムから要求されるアプリケーション登録抹消業務であり、該アプリケーション登録抹消業務においてＩＣカード発行管理通信サブシステムがＩＣカードサービス提供管理システムから受信するデータは、登録抹消を希望するアプリケーションの属性情報を含んでおり、前記アプリケーション登録問合せ業務においてＩＣカード発行管理通信サブシステムがＩＣカードサービス提供管理システムへ送信するデータは、アプリケーション登録抹消の結果を含んでおり、前記ＩＣカード情報管理サブシステムは、前記受信した情報を基に所定のプラットフォームのアプリケーション登録抹消処理を制御する抹消制御手段と、アプリケーション登録抹消処理終了後、必要により登録抹消に関する情報をＩＣカード管理データベースに登録するデータベース登録手段とを有し、前記ＩＣカードサービス提供管理システムにおける前記所定のＩＣカード運用業務とは、アプリケーション登録業務で登録要求したアプリケーションを登録抹消することをＩＣカード発行管理システムに要求するアプリケーション登録抹消業務であり、該アプリケーション登録抹消業務においてＩＣカードサービス提供管理通信サブシステムがＩＣカード発行管理システムへ送信するデータは、登録抹消を希望するアプリケーションの属性情報を含んでおり、前記アプリケーション登録抹消業務においてＩＣカードサービス提供管理通信サブシステムがＩＣカード発行管理システムから受信するデータは、アプリケーション登録抹消の結果を含んでおり、前記ＩＣカードアプリケーション情報管理サブシステムは、登録抹消を希望するアプリケーションに関する情報を取得する情報取得手段と、前記受信した情報を必要によりＩＣカードアプリケーション管理データベースに登録するデータベース登録手段とを有し、前記ＩＣカード管理情報の一部としてカードＯＳの種類を有し、前記通信データの情報の一部としてカードＯＳの種類を有し、ＩＣカードサービス提供管理システムは、ＩＣカードに搭載するアプリケーションに関連する所定のＩＣカードアプリケーション管理情報を管理するＩＣカードアプリケーション管理データベースと、所定のＩＣカード運用業務処理を行うＩＣカードアプリケーション情報管理サブシステムと、前記ＩＣカードアプリケーション情報管理サブシステムのＩＣカードアプリケーション管理情報を用いて、前記ＩＣカード発行管理システムと所定のＩＣカード運用業務を実現するための通信データを生成する通信データ生成手段、ＩＣカード発行管理システムからのＩＣカード運用業務に関する通信データを受信する通信データ受信手段、およびＩＣカード発行管理システムへＩＣカード運用業務に関する通信データを送信する通信データ送信手段を備えたＩＣカードサービス提供管理通信サブシステムとを有し、前記ＩＣカードアプリケーション管理情報の一部としてカードＯＳの種類を有し、前記通信データの情報の一部としてカードＯＳの種類を有することを要旨とする。
【００３５】
また、請求項７記載の本発明は、ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理システムであって、前記ＩＣカード発行管理システムは、ＩＣカードに関連する所定のＩＣカード管理情報を管理するＩＣカード管理データベースと、所定のＩＣカード運用業務処理を行うＩＣカード情報管理サブシステムと、前記ＩＣカード情報管理サブシステムのＩＣカード管理情報を用いて、前記ＩＣカードサービス提供管理システムと所定のＩＣカード運用業務を実現するための通信データを生成する通信データ生成手段、ＩＣカードサービス提供管理システムからのＩＣカード運用業務に関する通信データを受信する通信データ受信手段、およびＩＣカードサービス提供管理システムへＩＣカード運用業務に関する通信データを送信する通信データ送信手段を備えるＩＣカード発行管理通信サブシステムとを有し、前記所定のＩＣカード運用業務とは、ＩＣカードにアプリケーションを搭載する際に必要とされるアプリケーションの搭載許可をＩＣカードサービス提供管理システムから要求される許可書発行業務であり、該許可書発行業務においてＩＣカード発行管理通信サブシステムがＩＣカードサービス提供管理システムから受信するデータは、許可書発行を希望するＩＣカードの属性情報および該ＩＣカードへの搭載を希望するアプリケーションの属性情報を含んでおり、前記許可書発行業務においてＩＣカード発行管理通信サブシステムがＩＣカードサービス提供管理システムへ送信するデータは、許可書発行の結果を含んでおり、前記ＩＣカード情報管理サブシステムは、許可書を発行する許可書発行手段と、前記受信した情報を基に所定の許可書発行処理を制御する制御手段と、許可書発行処理終了後、必要により許可書を発行するＩＣカードに関する情報をＩＣカード管理データベースに登録するデータベース登録手段とを有し、前記ＩＣカードサービス提供管理システムにおける前記所定のＩＣカード運用業務とは、ＩＣカードにアプリケーションを搭載する際に必要となるアプリケーション搭載許可書をＩＣカード発行管理システムに要求する許可書発行業務であり、該許可書発行業務においてＩＣカードサービス提供管理通信サブシステムがＩＣカード発行管理システムへ送信するデータは、許可書発行を希望するＩＣカードの属性情報および該ＩＣカードへの搭載を希望するアプリケーションの属性情報を含んでおり、前記許可書発行業務においてＩＣカードサービス提供管理通信サブシステムがＩＣカード発行管理システムから受信するデータは、許可書発行の結果を含んでおり、前記ＩＣカードアプリケーション情報管理サブシステムは、許可書発行要求に必要な情報を取得する情報取得手段と、前記受信した情報を必要によりＩＣカードアプリケーション管理データベースに登録するデータベース登録手段とを有し、前記ＩＣカード管理情報の一部としてカードＯＳの種類を有し、前記通信データの情報の一部としてカードＯＳの種類を有し、ＩＣカードサービス提供管理システムは、ＩＣカードに搭載するアプリケーションに関連する所定のＩＣカードアプリケーション管理情報を管理するＩＣカードアプリケーション管理データベースと、所定のＩＣカード運用業務処理を行うＩＣカードアプリケーション情報管理サブシステムと、前記ＩＣカードアプリケーション情報管理サブシステムのＩＣカードアプリケーション管理情報を用いて、前記ＩＣカード発行管理システムと所定のＩＣカード運用業務を実現するための通信データを生成する通信データ生成手段、ＩＣカード発行管理システムからのＩＣカード運用業務に関する通信データを受信する通信データ受信手段、およびＩＣカード発行管理システムへＩＣカード運用業務に関する通信データを送信する通信データ送信手段を備えたＩＣカードサービス提供管理通信サブシステムとを有し、前記ＩＣカードアプリケーション管理情報の一部としてカードＯＳの種類を有し、前記通信データの情報の一部としてカードＯＳの種類を有することを要旨とする。
【００３６】
また、請求項８記載の本発明は、ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理システムであって、前記ＩＣカード発行管理システムは、ＩＣカードに関連する所定のＩＣカード管理情報を管理するＩＣカード管理データベースと、所定のＩＣカード運用業務処理を行うＩＣカード情報管理サブシステムと、前記ＩＣカード情報管理サブシステムのＩＣカード管理情報を用いて、前記ＩＣカードサービス提供管理システムと所定のＩＣカード運用業務を実現するための通信データを生成する通信データ生成手段、ＩＣカードサービス提供管理システムからのＩＣカード運用業務に関する通信データを受信する通信データ受信手段、およびＩＣカードサービス提供管理システムへＩＣカード運用業務に関する通信データを送信する通信データ送信手段を備えるＩＣカード発行管理通信サブシステムとを有し、前記所定のＩＣカード運用業務とは、許可書発行業務で発行要求された許可書を発行処理終了前に取り消しすることをＩＣカードサービス提供管理システムから要求される許可書発行取り消し業務であり、該許可書発行取り消し業務においてＩＣカード発行管理通信サブシステムがＩＣカードサービス提供管理システムから受信するデータは、許可書発行対象であるＩＣカードの属性情報および該ＩＣカードへの搭載対象アプリケーションの属性情報を含んでおり、前記許可書発行取り消し業務においてＩＣカード発行管理通信サブシステムがＩＣカードサービス提供管理システムへ送信するデータは、許可書発行取り消しの結果を含んでおり、前記ＩＣカード情報管理サブシステムは、前記受信した情報を基に所定の許可書発行を取り消す許可書発行取り消し手段と、許可書発行取り消し処理終了後、必要により許可書発行取り消しに関する情報をＩＣカード管理データベースに登録するデータベース登録手段とを有し、前記ＩＣカードサービス提供管理システムにおける前記所定のＩＣカード運用業務とは、許可書発行業務で発行要求した許可書を発行処理終了前に取り消すことをＩＣカード発行管理システムに要求する許可書発行取り消し業務であり、該許可書発行取り消し業務においてＩＣカードサービス提供管理通信サブシステムがＩＣカード発行管理システムへ送信するデータは、許可書発行取り消しを希望するＩＣカードの属性情報および該ＩＣカードへの搭載対象アプリケーションの属性情報を含んでおり、前記許可書発行取り消し業務においてＩＣカードサービス提供管理通信サブシステムがＩＣカード発行管理システムから受信するデータは、許可書発行取り消しの結果を含んでおり、前記ＩＣカードアプリケーション情報管理サブシステムは、許可書発行取り消しを要求するＩＣカードの属性情報および該ＩＣカードへの搭載対象アプリケーションの属性情報を取得する属性情報取得手段と、前記受信した情報を必要によりＩＣカードアプリケーション管理データベースに登録するデータベース登録手段とを有し、前記ＩＣカード管理情報の一部としてカードＯＳの種類を有し、前記通信データの情報の一部としてカードＯＳの種類を有し、ＩＣカードサービス提供管理システムは、ＩＣカードに搭載するアプリケーションに関連する所定のＩＣカードアプリケーション管理情報を管理するＩＣカードアプリケーション管理データベースと、所定のＩＣカード運用業務処理を行うＩＣカードアプリケーション情報管理サブシステムと、前記ＩＣカードアプリケーション情報管理サブシステムのＩＣカードアプリケーション管理情報を用いて、前記ＩＣカード発行管理システムと所定のＩＣカード運用業務を実現するための通信データを生成する通信データ生成手段、ＩＣカード発行管理システムからのＩＣカード運用業務に関する通信データを受信する通信データ受信手段、およびＩＣカード発行管理システムへＩＣカード運用業務に関する通信データを送信する通信データ送信手段を備えたＩＣカードサービス提供管理通信サブシステムとを有し、前記ＩＣカードアプリケーション管理情報の一部としてカードＯＳの種類を有し、前記通信データの情報の一部としてカードＯＳの種類を有することを要旨とする。
【００３７】
また、請求項９記載の本発明は、ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理システムであって、前記ＩＣカード発行管理システムは、ＩＣカードに関連する所定のＩＣカード管理情報を管理するＩＣカード管理データベースと、所定のＩＣカード運用業務処理を行うＩＣカード情報管理サブシステムと、前記ＩＣカード情報管理サブシステムのＩＣカード管理情報を用いて、前記ＩＣカードサービス提供管理システムと所定のＩＣカード運用業務を実現するための通信データを生成する通信データ生成手段、ＩＣカードサービス提供管理システムからのＩＣカード運用業務に関する通信データを受信する通信データ受信手段、およびＩＣカードサービス提供管理システムへＩＣカード運用業務に関する通信データを送信する通信データ送信手段を備えるＩＣカード発行管理通信サブシステムとを有し、前記所定のＩＣカード運用業務とは、許可書発行業務で発行要求された受信メッセージに記載されたすべての許可書を発行処理終了前にまとめて取り消しすることをＩＣカードサービス提供管理システムから要求される許可書発行バッチ取り消し業務であり、該許可書発行バッチ取り消し業務においてＩＣカード発行管理通信サブシステムがＩＣカードサービス提供管理システムから受信するデータは、許可書発行要求を受信した際のメッセージ属性情報を含んでおり、前記許可書発行バッチ取り消し業務においてＩＣカード発行管理通信サブシステムがＩＣカードサービス提供管理システムへ送信するデータは、許可書発行バッチ取り消しの結果を含んでおり、前記ＩＣカード情報管理サブシステムは、前記受信した情報を基に所定の許可書発行を取り消す許可書発行取り消し手段と、許可書発行取り消し処理終了後、必要により許可書発行バッチ取り消しに関する情報をＩＣカード管理データベースに登録するデータベース登録手段とを有し、前記ＩＣカードサービス提供管理システムにおける前記所定のＩＣカード運用業務とは、許可書発行業務で発行要求した際の送信メッセージに記載されたすべての許可書を発行処理終了前に取り消すことをＩＣカード発行管理システムに要求する許可書発行バッチ取り消し業務であり、該許可書発行バッチ取り消し業務においてＩＣカードサービス提供管理通信サブシステムがＩＣカード発行管理システムへ送信するデータは、許可書発行要求を送信した際のメッセージ属性情報を含んでおり、前記許可書発行バッチ取り消し業務においてＩＣカードサービス提供管理通信サブシステムがＩＣカード発行管理システムから受信するデータは、許可書発行バッチ取り消しの結果を含んでおり、前記ＩＣカードアプリケーション情報管理サブシステムは、許可書発行取り消しを要求するＩＣカードの属性情報および該ＩＣカードへの搭載対象アプリケーションの属性情報を取得する属性情報取得手段と、前記受信した情報を必要によりＩＣカードアプリケーション管理データベースに登録するデータベース登録手段とを有し、前記ＩＣカード管理情報の一部としてカードＯＳの種類を有し、前記通信データの情報の一部としてカードＯＳの種類を有し、ＩＣカードサービス提供管理システムは、ＩＣカードに搭載するアプリケーションに関連する所定のＩＣカードアプリケーション管理情報を管理するＩＣカードアプリケーション管理データベースと、所定のＩＣカード運用業務処理を行うＩＣカードアプリケーション情報管理サブシステムと、前記ＩＣカードアプリケーション情報管理サブシステムのＩＣカードアプリケーション管理情報を用いて、前記ＩＣカード発行管理システムと所定のＩＣカード運用業務を実現するための通信データを生成する通信データ生成手段、ＩＣカード発行管理システムからのＩＣカード運用業務に関する通信データを受信する通信データ受信手段、およびＩＣカード発行管理システムへＩＣカード運用業務に関する通信データを送信する通信データ送信手段を備えたＩＣカードサービス提供管理通信サブシステムとを有し、前記ＩＣカードアプリケーション管理情報の一部としてカードＯＳの種類を有し、前記通信データの情報の一部としてカードＯＳの種類を有することを要旨とする。
【００３８】
また、請求項１０記載の本発明は、ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理システムであって、前記ＩＣカード発行管理システムは、ＩＣカードに関連する所定のＩＣカード管理情報を管理するＩＣカード管理データベースと、所定のＩＣカード運用業務処理を行うＩＣカード情報管理サブシステムと、前記ＩＣカード情報管理サブシステムのＩＣカード管理情報を用いて、前記ＩＣカードサービス提供管理システムと所定のＩＣカード運用業務を実現するための通信データを生成する通信データ生成手段、ＩＣカードサービス提供管理システムからのＩＣカード運用業務に関する通信データを受信する通信データ受信手段、およびＩＣカードサービス提供管理システムへＩＣカード運用業務に関する通信データを送信する通信データ送信手段を備えるＩＣカード発行管理通信サブシステムとを有し、前記所定のＩＣカード運用業務とは、許可書発行業務で登録要求された許可書に関する問合せをＩＣカードサービス提供管理システムから要求される許可書発行問合せ業務であり、該許可書発行問合せ業務においてＩＣカード発行管理通信サブシステムがＩＣカードサービス提供管理システムから受信するデータは、許可書発行問合せを希望するＩＣカードの属性情報および該ＩＣカードへの搭載対象アプリケーションの属性情報を含んでおり、前記許可書発行問合せ業務においてＩＣカード発行管理通信サブシステムがＩＣカードサービス提供管理システムへ送信するデータは、許可書発行問合せの結果を含んでおり、前記ＩＣカード情報管理サブシステムは、前記受信した情報を基に所定の許可書発行に関する情報を照会する照会手段と、許可書発行問合せ処理終了後、必要により許可書発行問合せに関する情報をＩＣカード管理データベースに登録するデータベース登録手段とを有し、前記ＩＣカードサービス提供管理システムにおける前記所定のＩＣカード運用業務とは、許可書発行業務で発行要求した許可書に関する問合せをＩＣカード発行管理システムに要求する許可書発行問合せ業務であり、該許可書発行問合せ業務においてＩＣカードサービス提供管理通信サブシステムがＩＣカード発行管理システムへ送信するデータは、許可書発行問合せを希望するＩＣカードの属性情報および該ＩＣカードへの搭載対象アプリケーションの属性情報を含んでおり、前記許可書発行問合せ業務においてＩＣカードサービス提供管理通信サブシステムがＩＣカード発行管理システムから受信するデータは、許可書発行問合せの結果を含んでおり、前記ＩＣカードアプリケーション情報管理サブシステムは、許可書発行問合せを希望するＩＣカードの属性情報および該ＩＣカードへの搭載対象アプリケーションに関する情報を取得する情報取得手段と、前記受信した情報を必要によりＩＣカードアプリケーション管理データベースに登録するデータベース登録手段とを有し、前記ＩＣカード管理情報の一部としてカードＯＳの種類を有し、前記通信データの情報の一部としてカードＯＳの種類を有し、ＩＣカードサービス提供管理システムは、ＩＣカードに搭載するアプリケーションに関連する所定のＩＣカードアプリケーション管理情報を管理するＩＣカードアプリケーション管理データベースと、所定のＩＣカード運用業務処理を行うＩＣカードアプリケーション情報管理サブシステムと、前記ＩＣカードアプリケーション情報管理サブシステムのＩＣカードアプリケーション管理情報を用いて、前記ＩＣカード発行管理システムと所定のＩＣカード運用業務を実現するための通信データを生成する通信データ生成手段、ＩＣカード発行管理システムからのＩＣカード運用業務に関する通信データを受信する通信データ受信手段、およびＩＣカード発行管理システムへＩＣカード運用業務に関する通信データを送信する通信データ送信手段を備えたＩＣカードサービス提供管理通信サブシステムとを有し、前記ＩＣカードアプリケーション管理情報の一部としてカードＯＳの種類を有し、前記通信データの情報の一部としてカードＯＳの種類を有することを要旨とする。
【００３９】
また、請求項１１記載の本発明は、ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理システムであって、前記ＩＣカード発行管理システムは、ＩＣカードに関連する所定のＩＣカード管理情報を管理するＩＣカード管理データベースと、所定のＩＣカード運用業務処理を行うＩＣカード情報管理サブシステムと、前記ＩＣカード情報管理サブシステムのＩＣカード管理情報を用いて、前記ＩＣカードサービス提供管理システムと所定のＩＣカード運用業務を実現するための通信データを生成する通信データ生成手段、ＩＣカードサービス提供管理システムからのＩＣカード運用業務に関する通信データを受信する通信データ受信手段、およびＩＣカードサービス提供管理システムへＩＣカード運用業務に関する通信データを送信する通信データ送信手段を備えるＩＣカード発行管理通信サブシステムとを有し、前記所定のＩＣカード運用業務とは、許可書発行業務で登録要求された際の受信メッセージに記載されたすべての許可書に関してまとめて問合せすることをＩＣカードサービス提供管理システムから要求される許可書発行バッチ問合せ業務であり、該許可書発行バッチ問合せ業務においてＩＣカード発行管理通信サブシステムがＩＣカードサービス提供管理システムから受信するデータは、許可書発行問合せを受信した際のメッセージ属性情報を含んでおり、前記許可書発行バッチ問合せ業務においてＩＣカード発行管理通信サブシステムがＩＣカードサービス提供管理システムへ送信するデータは、許可書発行バッチ問合せの結果を含んでおり、前記ＩＣカード情報管理サブシステムは、前記受信した情報を基に所定の許可書発行に関する情報を照会する照会手段と、許可書発行問合せ処理終了後、必要により許可書発行バッチ問合せに関する情報をＩＣカード管理データベースに登録するデータベース登録手段とを有し、前記ＩＣカードサービス提供管理システムにおける前記所定のＩＣカード運用業務とは、許可書発行業務で発行要求した際の送信メッセージに記載されたすべての許可書に関してまとめて問合せすることをＩＣカード発行管理システムに要求する許可書発行バッチ問合せ業務であり、該許可書発行バッチ問合せ業務においてＩＣカードサービス提供管理通信サブシステムがＩＣカード発行管理システムへ送信するデータは、許可書発行要求を送信した際のメッセージ属性情報を含んでおり、前記許可書発行バッチ問合せ業務においてＩＣカードサービス提供管理通信サブシステムがＩＣカード発行管理システムから受信するデータは、許可書発行バッチ問合せの結果を含んでおり、前記ＩＣカードアプリケーション情報管理サブシステムは、許可書発行問合せを希望するＩＣカードの属性情報および該ＩＣカードへの搭載対象アプリケーションの属性情報を取得する情報取得手段と、前記受信した情報を必要によりＩＣカードアプリケーション管理データベースに登録するデータベース登録手段とを有し、前記ＩＣカード管理情報の一部としてカードＯＳの種類を有し、前記通信データの情報の一部としてカードＯＳの種類を有し、ＩＣカードサービス提供管理システムは、ＩＣカードに搭載するアプリケーションに関連する所定のＩＣカードアプリケーション管理情報を管理するＩＣカードアプリケーション管理データベースと、所定のＩＣカード運用業務処理を行うＩＣカードアプリケーション情報管理サブシステムと、前記ＩＣカードアプリケーション情報管理サブシステムのＩＣカードアプリケーション管理情報を用いて、前記ＩＣカード発行管理システムと所定のＩＣカード運用業務を実現するための通信データを生成する通信データ生成手段、ＩＣカード発行管理システムからのＩＣカード運用業務に関する通信データを受信する通信データ受信手段、およびＩＣカード発行管理システムへＩＣカード運用業務に関する通信データを送信する通信データ送信手段を備えたＩＣカードサービス提供管理通信サブシステムとを有し、前記ＩＣカードアプリケーション管理情報の一部としてカードＯＳの種類を有し、前記通信データの情報の一部としてカードＯＳの種類を有することを要旨とする。
【００４０】
また、請求項１２記載の本発明は、ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理システムであって、前記ＩＣカード発行管理システムは、ＩＣカードに関連する所定のＩＣカード管理情報を管理するＩＣカード管理データベースと、所定のＩＣカード運用業務処理を行うＩＣカード情報管理サブシステムと、前記ＩＣカード情報管理サブシステムのＩＣカード管理情報を用いて、前記ＩＣカードサービス提供管理システムと所定のＩＣカード運用業務を実現するための通信データを生成する通信データ生成手段、ＩＣカードサービス提供管理システムからのＩＣカード運用業務に関する通信データを受信する通信データ受信手段、およびＩＣカードサービス提供管理システムへＩＣカード運用業務に関する通信データを送信する通信データ送信手段を備えるＩＣカード発行管理通信サブシステムとを有し、前記所定のＩＣカード運用業務とは、ＩＣカードの運用状態、再発行情報を含むＩＣカードに関連する情報の照会をＩＣカードサービス提供管理システムから要求されるカード情報照会業務であり、該カード情報照会業務においてＩＣカード発行管理通信サブシステムがＩＣカードサービス提供管理システムから受信するデータは、照会対象ＩＣカードの属性情報を含んでおり、前記カード情報照会業務においてＩＣカード発行管理通信サブシステムがＩＣカードサービス提供管理システムへ送信するデータは、該ＩＣカードに関して照会要求のあった情報を含んでおり、前記ＩＣカード情報管理サブシステムは、前記受信した情報を基に照会対象ＩＣカード属性情報をＩＣカード管理データベース内で検索する検索手段と、カード情報照会処理終了後、必要により照会したＩＣカードに関する情報をＩＣカード管理データベースに登録するデータベース登録手段とを有し、前記ＩＣカードサービス提供管理システムにおける前記所定のＩＣカード運用業務とは、ＩＣカードの運用状態、再発行情報を含むＩＣカードに関連する情報の照会をＩＣカード発行管理システムへ要求するカード情報照会業務であり、該カード情報照会業務においてＩＣカードサービス提供管理通信サブシステムがＩＣカード発行管理システムへ送信するデータは、照会対象ＩＣカードの属性情報を含んでおり、前記カード情報照会業務においてＩＣカードサービス提供管理通信サブシステムがＩＣカード発行管理システムから受信するデータは、該ＩＣカードに関して照会要求した情報を含んでおり、前記ＩＣカードアプリケーション情報管理サブシステムは、前記受信した情報を必要によりＩＣカードアプリケーション管理データベースに登録するデータベース登録手段とを有し、前記ＩＣカード管理情報の一部としてカードＯＳの種類を有し、前記通信データの情報の一部としてカードＯＳの種類を有し、ＩＣカードサービス提供管理システムは、ＩＣカードに搭載するアプリケーションに関連する所定のＩＣカードアプリケーション管理情報を管理するＩＣカードアプリケーション管理データベースと、所定のＩＣカード運用業務処理を行うＩＣカードアプリケーション情報管理サブシステムと、前記ＩＣカードアプリケーション情報管理サブシステムのＩＣカードアプリケーション管理情報を用いて、前記ＩＣカード発行管理システムと所定のＩＣカード運用業務を実現するための通信データを生成する通信データ生成手段、ＩＣカード発行管理システムからのＩＣカード運用業務に関する通信データを受信する通信データ受信手段、およびＩＣカード発行管理システムへＩＣカード運用業務に関する通信データを送信する通信データ送信手段を備えたＩＣカードサービス提供管理通信サブシステムとを有し、前記ＩＣカードアプリケーション管理情報の一部としてカードＯＳの種類を有し、前記通信データの情報の一部としてカードＯＳの種類を有することを要旨とする。
【００４１】
また、請求項１３記載の本発明は、ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理システムであって、前記ＩＣカード発行管理システムは、ＩＣカードに関連する所定のＩＣカード管理情報を管理するＩＣカード管理データベースと、所定のＩＣカード運用業務処理を行うＩＣカード情報管理サブシステムと、前記ＩＣカード情報管理サブシステムのＩＣカード管理情報を用いて、前記ＩＣカードサービス提供管理システムと所定のＩＣカード運用業務を実現するための通信データを生成する通信データ生成手段、ＩＣカードサービス提供管理システムからのＩＣカード運用業務に関する通信データを受信する通信データ受信手段、およびＩＣカードサービス提供管理システムへＩＣカード運用業務に関する通信データを送信する通信データ送信手段を備えるＩＣカード発行管理通信サブシステムとを有し、前記所定のＩＣカード運用業務とは、ＩＣカードが廃止されたことをＩＣカードサービス提供管理システムに通知するＩＣカード廃止通知業務であり、該ＩＣカード廃止通知業務においてＩＣカード発行管理通信サブシステムがＩＣカードサービス提供管理システムへ送信するデータは、廃止されたＩＣカードの属性情報または該ＩＣカードへの許可書発行要求を受信した際のメッセージの属性情報を含んでおり、前記ＩＣカード情報管理サブシステムは、ＩＣカードの廃止処理を行うＩＣカード廃止処理手段と、ＩＣカード廃止通知処理終了後、必要により廃止通知したＩＣカードに関する情報をＩＣカード管理データベースに登録するデータベース登録手段とを有し、前記ＩＣカードサービス提供管理システムにおける前記所定のＩＣカード運用業務とは、ＩＣカードが廃止されたことをＩＣカード発行管理システムから受信するＩＣカード廃止通知業務であり、該ＩＣカード廃止通知業務においてＩＣカードサービス提供管理通信サブシステムがＩＣカード発行管理システムから受信するデータは、廃止されたＩＣカードの属性情報または該ＩＣカードへの許可書発行要求を受信した際のメッセージの属性情報を含んでおり、前記ＩＣカードアプリケーション情報管理サブシステムは、前記受信した情報をＩＣカードアプリケーション管理データベースに登録するデータベース登録手段と、前記受信した情報に基づきＩＣカード運用業務を制御する運用業務制御手段とを有し、前記ＩＣカード管理情報の一部としてカードＯＳの種類を有し、前記通信データの情報の一部としてカードＯＳの種類を有し、ＩＣカードサービス提供管理システムは、ＩＣカードに搭載するアプリケーションに関連する所定のＩＣカードアプリケーション管理情報を管理するＩＣカードアプリケーション管理データベースと、所定のＩＣカード運用業務処理を行うＩＣカードアプリケーション情報管理サブシステムと、前記ＩＣカードアプリケーション情報管理サブシステムのＩＣカードアプリケーション管理情報を用いて、前記ＩＣカード発行管理システムと所定のＩＣカード運用業務を実現するための通信データを生成する通信データ生成手段、ＩＣカード発行管理システムからのＩＣカード運用業務に関する通信データを受信する通信データ受信手段、およびＩＣカード発行管理システムへＩＣカード運用業務に関する通信データを送信する通信データ送信手段を備えたＩＣカードサービス提供管理通信サブシステムとを有し、前記ＩＣカードアプリケーション管理情報の一部としてカードＯＳの種類を有し、前記通信データの情報の一部としてカードＯＳの種類を有することを要旨とする。
【００４２】
また、請求項１４記載の本発明は、ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理システムであって、前記ＩＣカード発行管理システムは、ＩＣカードに関連する所定のＩＣカード管理情報を管理するＩＣカード管理データベースと、所定のＩＣカード運用業務処理を行うＩＣカード情報管理サブシステムと、前記ＩＣカード情報管理サブシステムのＩＣカード管理情報を用いて、前記ＩＣカードサービス提供管理システムと所定のＩＣカード運用業務を実現するための通信データを生成する通信データ生成手段、ＩＣカードサービス提供管理システムからのＩＣカード運用業務に関する通信データを受信する通信データ受信手段、およびＩＣカードサービス提供管理システムへＩＣカード運用業務に関する通信データを送信する通信データ送信手段を備えるＩＣカード発行管理通信サブシステムとを有し、前記所定のＩＣカード運用業務とは、ＩＣカードが再発行されたことをＩＣカードサービス提供管理システムに通知するＩＣカード再発行通知業務であり、該ＩＣカード再発行通知業務においてＩＣカード発行管理通信サブシステムがＩＣカードサービス提供管理システムへ送信するデータは、再発行されたＩＣカードの属性情報を含んでおり、前記ＩＣカード情報管理サブシステムは、プラットフォーム毎のＩＣカード再発行処理を行う再発行処理手段と、ＩＣカード再発行通知処理終了後、必要により再発行通知したＩＣカードに関する情報をＩＣカード管理データベースに登録するデータベース登録手段とを有し、前記ＩＣカードサービス提供管理システムにおける前記所定のＩＣカード運用業務とは、ＩＣカードが再発行されたことをＩＣカード発行管理システムから受信するＩＣカード再発行通知業務であり、該ＩＣカード再発行通知業務においてＩＣカードサービス提供管理通信サブシステムがＩＣカード発行管理システムから受信するデータは、再発行されたＩＣカードの属性情報を含んでおり、前記ＩＣカードアプリケーション情報管理サブシステムは、前記受信した情報をＩＣカードアプリケーション管理データベースに登録するデータベース登録手段と、前記受信した情報に基づきＩＣカード運用業務を制御する運用業務制御手段とを有し、前記ＩＣカード管理情報の一部としてカードＯＳの種類を有し、前記通信データの情報の一部としてカードＯＳの種類を有し、ＩＣカードサービス提供管理システムは、ＩＣカードに搭載するアプリケーションに関連する所定のＩＣカードアプリケーション管理情報を管理するＩＣカードアプリケーション管理データベースと、所定のＩＣカード運用業務処理を行うＩＣカードアプリケーション情報管理サブシステムと、前記ＩＣカードアプリケーション情報管理サブシステムのＩＣカードアプリケーション管理情報を用いて、前記ＩＣカード発行管理システムと所定のＩＣカード運用業務を実現するための通信データを生成する通信データ生成手段、ＩＣカード発行管理システムからのＩＣカード運用業務に関する通信データを受信する通信データ受信手段、およびＩＣカード発行管理システムへＩＣカード運用業務に関する通信データを送信する通信データ送信手段を備えたＩＣカードサービス提供管理通信サブシステムとを有し、前記ＩＣカードアプリケーション管理情報の一部としてカードＯＳの種類を有し、前記通信データの情報の一部としてカードＯＳの種類を有することを要旨とする。
【００４３】
また、請求項１５記載の本発明は、ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理システムであって、前記ＩＣカード発行管理システムは、ＩＣカードに関連する所定のＩＣカード管理情報を管理するＩＣカード管理データベースと、所定のＩＣカード運用業務処理を行うＩＣカード情報管理サブシステムと、前記ＩＣカード情報管理サブシステムのＩＣカード管理情報を用いて、前記ＩＣカードサービス提供管理システムと所定のＩＣカード運用業務を実現するための通信データを生成する通信データ生成手段、ＩＣカードサービス提供管理システムからのＩＣカード運用業務に関する通信データを受信する通信データ受信手段、およびＩＣカードサービス提供管理システムへＩＣカード運用業務に関する通信データを送信する通信データ送信手段を備えるＩＣカード発行管理通信サブシステムとを有し、前記所定のＩＣカード運用業務とは、ＩＣカードへアプリケーションを搭載したことをＩＣカードサービス提供管理システムから受信するレシート通知業務であり、該レシート通知業務においてＩＣカード発行管理通信サブシステムがＩＣカードサービス提供管理システムから受信するデータは、アプリケーションが搭載されたＩＣカードの属性情報または該ＩＣカードへの許可書発行要求を受信した際のメッセージの属性情報を含んでおり、前記ＩＣカード情報管理サブシステムは、前記受信した情報をＩＣカード管理データベースに登録するデータベース登録手段と、前記受信した情報に基づきＩＣカード運用業務を制御する制御手段とを有し、前記ＩＣカードサービス提供管理システムにおける前記所定のＩＣカード運用業務とは、ＩＣカードへアプリケーションを搭載したことをＩＣカード発行管理システムに通知するレシート通知業務であり、該レシート通知業務においてＩＣカードサービス提供管理通信サブシステムがＩＣカード発行管理システムへ送信するデータは、アプリケーションが搭載されたＩＣカードの属性情報または該ＩＣカードへの許可書発行要求を送信した際のメッセージの属性情報を含んでおり、前記ＩＣカードアプリケーション情報管理サブシステムは、レシートを作成するレシート作成手段と、レシート通知処理終了後、必要によりレシート通知したＩＣカードに関する情報をＩＣカードアプリケーション管理データベースに登録するデータベース登録手段とを有し、前記ＩＣカード管理情報の一部としてカードＯＳの種類を有し、前記通信データの情報の一部としてカードＯＳの種類を有し、ＩＣカードサービス提供管理システムは、ＩＣカードに搭載するアプリケーションに関連する所定のＩＣカードアプリケーション管理情報を管理するＩＣカードアプリケーション管理データベースと、所定のＩＣカード運用業務処理を行うＩＣカードアプリケーション情報管理サブシステムと、前記ＩＣカードアプリケーション情報管理サブシステムのＩＣカードアプリケーション管理情報を用いて、前記ＩＣカード発行管理システムと所定のＩＣカード運用業務を実現するための通信データを生成する通信データ生成手段、ＩＣカード発行管理システムからのＩＣカード運用業務に関する通信データを受信する通信データ受信手段、およびＩＣカード発行管理システムへＩＣカード運用業務に関する通信データを送信する通信データ送信手段を備えたＩＣカードサービス提供管理通信サブシステムとを有し、前記ＩＣカードアプリケーション管理情報の一部としてカードＯＳの種類を有し、前記通信データの情報の一部としてカードＯＳの種類を有することを要旨とする。
【００４４】
また、請求項１６記載の本発明は、ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理システムであって、前記ＩＣカード発行管理システムは、ＩＣカードに関連する所定のＩＣカード管理情報を管理するＩＣカード管理データベースと、所定のＩＣカード運用業務処理を行うＩＣカード情報管理サブシステムと、前記ＩＣカード情報管理サブシステムのＩＣカード管理情報を用いて、前記ＩＣカードサービス提供管理システムと所定のＩＣカード運用業務を実現するための通信データを生成する通信データ生成手段、ＩＣカードサービス提供管理システムからのＩＣカード運用業務に関する通信データを受信する通信データ受信手段、およびＩＣカードサービス提供管理システムへＩＣカード運用業務に関する通信データを送信する通信データ送信手段を備えるＩＣカード発行管理通信サブシステムとを有し、前記所定のＩＣカード運用業務とは、ＩＣカードの紛失、盗難、その他の何らかの理由により利用を停止したいＩＣカードに関する情報をＩＣカードサービス提供管理システムに通知するホットリスト通知業務であり、該ホットリスト通知業務においてＩＣカード発行管理通信サブシステムがＩＣカードサービス提供管理システムへ送信するデータは、利用停止を希望するＩＣカードの属性情報を含んでおり、前記ＩＣカード情報管理サブシステムは、ホットリストを作成するホットリスト作成手段と、ホットリスト通知処理終了後、必要によりホットリスト通知したＩＣカードに関する情報をＩＣカード管理データベースに登録するデータベース登録手段とを有し、前記ＩＣカードサービス提供管理システムにおける前記所定のＩＣカード運用業務とは、ＩＣカードの紛失、盗難、その他の何らかの理由により利用を停止したいＩＣカードに関する情報をＩＣカード発行管理システムから受信するホットリスト通知業務であり、該ホットリスト通知業務においてＩＣカードサービス提供管理通信サブシステムがＩＣカード発行管理システムから受信するデータは、利用停止を希望するＩＣカードの属性情報を含んでおり、前記ＩＣカードアプリケーション情報管理サブシステムは、前記受信した情報をＩＣカードアプリケーション管理データベースに登録するデータベース登録手段と、前記受信した情報に基づきＩＣカード運用業務を制御する運用業務制御手段とを有し、前記ＩＣカード管理情報の一部としてカードＯＳの種類を有し、前記通信データの情報の一部としてカードＯＳの種類を有し、ＩＣカードサービス提供管理システムは、ＩＣカードに搭載するアプリケーションに関連する所定のＩＣカードアプリケーション管理情報を管理するＩＣカードアプリケーション管理データベースと、所定のＩＣカード運用業務処理を行うＩＣカードアプリケーション情報管理サブシステムと、前記ＩＣカードアプリケーション情報管理サブシステムのＩＣカードアプリケーション管理情報を用いて、前記ＩＣカード発行管理システムと所定のＩＣカード運用業務を実現するための通信データを生成する通信データ生成手段、ＩＣカード発行管理システムからのＩＣカード運用業務に関する通信データを受信する通信データ受信手段、およびＩＣカード発行管理システムへＩＣカード運用業務に関する通信データを送信する通信データ送信手段を備えたＩＣカードサービス提供管理通信サブシステムとを有し、前記ＩＣカードアプリケーション管理情報の一部としてカードＯＳの種類を有し、前記通信データの情報の一部としてカードＯＳの種類を有することを要旨とする。
【００４５】
また、請求項１７記載の本発明は、ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理システムであって、前記ＩＣカード発行管理システムは、ＩＣカードに関連する所定のＩＣカード管理情報を管理するＩＣカード管理データベースと、所定のＩＣカード運用業務処理を行うＩＣカード情報管理サブシステムと、前記ＩＣカード情報管理サブシステムのＩＣカード管理情報を用いて、前記ＩＣカードサービス提供管理システムと所定のＩＣカード運用業務を実現するための通信データを生成する通信データ生成手段、ＩＣカードサービス提供管理システムからのＩＣカード運用業務に関する通信データを受信する通信データ受信手段、およびＩＣカードサービス提供管理システムへＩＣカード運用業務に関する通信データを送信する通信データ送信手段を備えるＩＣカード発行管理通信サブシステムとを有し、前記所定のＩＣカード運用業務とは、ＩＣカードの紛失、盗難、その他の何らかの理由により利用を停止したいＩＣカードに関する問合せをＩＣカードサービス提供管理システムから受信するホットリスト問合せ業務であり、該ホットリスト問合せ業務においてＩＣカード発行管理通信サブシステムがＩＣカードサービス提供管理システムから受信するデータは、配信を希望するホットリストのバージョン情報を含んでおり、前記ＩＣカード情報管理サブシステムは、ＩＣカードサービス提供管理システムからの希望に応じたホットリストを作成するホットリスト作成手段と、ＩＣカードサービス提供管理システムへ前記ホットリストを送信するホットリスト送信手段とを有し、前記ＩＣカードサービス提供管理システムにおける前記所定のＩＣカード運用業務とは、ＩＣカードの紛失、盗難、その他の何らかの理由により利用を停止したいＩＣカードに関する問合せをＩＣカード発行管理システムへ行うホットリスト問合せ業務であり、該ホットリスト問合せ業務においてＩＣカードサービス提供管理通信サブシステムがＩＣカード発行管理システムへ送信するデータは、配信を希望するホットリストバージョン番号を含んでおり、ＩＣカードアプリケーション情報管理サブシステムは、ＩＣカード発行管理システムからホットリストを受信するホットリスト受信手段と、前記受信した情報に基づきＩＣカードアプリケーション管理データベースを更新するデータベース更新手段とを有し、前記ＩＣカード管理情報の一部としてカードＯＳの種類を有し、前記通信データの情報の一部としてカードＯＳの種類を有し、ＩＣカードサービス提供管理システムは、ＩＣカードに搭載するアプリケーションに関連する所定のＩＣカードアプリケーション管理情報を管理するＩＣカードアプリケーション管理データベースと、所定のＩＣカード運用業務処理を行うＩＣカードアプリケーション情報管理サブシステムと、前記ＩＣカードアプリケーション情報管理サブシステムのＩＣカードアプリケーション管理情報を用いて、前記ＩＣカード発行管理システムと所定のＩＣカード運用業務を実現するための通信データを生成する通信データ生成手段、ＩＣカード発行管理システムからのＩＣカード運用業務に関する通信データを受信する通信データ受信手段、およびＩＣカード発行管理システムへＩＣカード運用業務に関する通信データを送信する通信データ送信手段を備えたＩＣカードサービス提供管理通信サブシステムとを有し、前記ＩＣカードアプリケーション管理情報の一部としてカードＯＳの種類を有し、前記通信データの情報の一部としてカードＯＳの種類を有することを要旨とする。
【００４６】
また、請求項１８記載の本発明は、ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理方法であって、前記ＩＣカード発行管理システムは、ＩＣカードに関連する所定のＩＣカード管理情報をＩＣカード管理データベースに登録管理し、所定のＩＣカード運用業務処理をＩＣカード情報管理サブシステムで行い、ＩＣカード発行管理通信サブシステムにおいてＩＣカード情報管理サブシステムのＩＣカード管理情報を用いて、前記ＩＣカードサービス提供管理システムと所定のＩＣカード運用業務を実現するための通信データを生成し、ＩＣカードサービス提供管理システムからのＩＣカード運用業務に関する通信データを受信し、ＩＣカードサービス提供管理システムへＩＣカード運用業務に関する通信データを送信し、前記所定のＩＣカード運用業務とは、ＩＣカードに搭載を希望するアプリケーションに関連する情報をＩＣカードサービス提供管理システムから要求されて登録するアプリケーション登録業務であり、該アプリケーション登録業務においてＩＣカード発行管理通信サブシステムがＩＣカードサービス提供管理システムから受信するデータは、登録を希望するアプリケーションの属性情報を含んでおり、前記アプリケーション登録業務においてＩＣカード発行管理通信サブシステムがＩＣカードサービス提供管理システムへ送信するデータは、アプリケーション登録の結果を含んでおり、前記ＩＣカード情報管理サブシステムは、アプリケーションを登録するアプリケーション登録手段と、アプリケーション登録処理終了後、登録するアプリケーションに関する情報をＩＣカード管理データベースに登録するデータベース登録手段とを有し、前記ＩＣカードサービス提供管理システムにおける前記所定のＩＣカード運用業務とは、ＩＣカードに搭載を希望するアプリケーションに関連する情報をＩＣカード発行管理システムに要求するアプリケーション登録業務であり、該アプリケーション登録業務においてＩＣカードサービス提供管理通信サブシステムがＩＣカード発行管理システムへ送信するデータは、登録を希望するアプリケーションの属性情報を含んでおり、前記アプリケーション登録業務においてＩＣカードサービス提供管理通信サブシステムがＩＣカード発行管理システムから受信するデータは、アプリケーション登録の結果を含んでおり、前記ＩＣカードアプリケーション情報管理サブシステムは、アプリケーション登録情報を取得するアプリケーション取得手段と、この取得したアプリケーション登録情報を必要によりＩＣカードアプリケーション管理データベースに登録するデータベース登録手段とを有し、前記ＩＣカード管理情報の一部としてカードＯＳの種類を有し、前記通信データの情報の一部としてカードＯＳの種類を有し、ＩＣカードサービス提供管理システムは、ＩＣカードに搭載するアプリケーションに関連する所定のＩＣカードアプリケーション管理情報をＩＣカードアプリケーション管理データベースに登録管理し、所定のＩＣカード運用業務処理をＩＣカードアプリケーション情報管理サブシステムで行い、ＩＣカードサービス提供管理通信サブシステムにおいてＩＣカードアプリケーション情報管理サブシステムのＩＣカードアプリケーション管理情報を用いて、前記ＩＣカード発行管理システムと所定のＩＣカード運用業務を実現するための通信データを生成し、ＩＣカード発行管理システムからのＩＣカード運用業務に関する通信データを受信し、ＩＣカード発行管理システムへＩＣカード運用業務に関する通信データを送信し、前記ＩＣカードアプリケーション管理情報の一部としてカードＯＳの種類を有し、前記通信データの情報の一部としてカードＯＳの種類を有することを要旨とする。
【００４７】
また、請求項１９記載の本発明は、ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理方法であって、前記ＩＣカード発行管理システムは、ＩＣカードに関連する所定のＩＣカード管理情報をＩＣカード管理データベースに登録管理し、所定のＩＣカード運用業務処理をＩＣカード情報管理サブシステムで行い、ＩＣカード発行管理通信サブシステムにおいてＩＣカード情報管理サブシステムのＩＣカード管理情報を用いて、前記ＩＣカードサービス提供管理システムと所定のＩＣカード運用業務を実現するための通信データを生成し、ＩＣカードサービス提供管理システムからのＩＣカード運用業務に関する通信データを受信し、ＩＣカードサービス提供管理システムへＩＣカード運用業務に関する通信データを送信し、前記所定のＩＣカード運用業務とは、アプリケーション登録業務で登録要求されたアプリケーションを登録終了前に取り消しすることをＩＣカードサービス提供管理システムから要求されるアプリケーション登録取り消し業務であり、該アプリケーション登録取り消し業務においてＩＣカード発行管理通信サブシステムがＩＣカードサービス提供管理システムから受信するデータは、登録取り消しを希望するアプリケーションの属性情報を含んでおり、前記アプリケーション登録取り消し業務においてＩＣカード発行管理通信サブシステムがＩＣカードサービス提供管理システムへ送信するデータは、アプリケーション登録取り消しの結果を含んでおり、前記ＩＣカード情報管理サブシステムは、前記受信した情報を基に所定のプラットフォームのアプリケーションの登録を取り消すアプリケーション登録取り消し手段と、アプリケーション登録取り消し処理終了後、必要により登録取り消しに関する情報をＩＣカード管理データベースに登録するデータベース登録手段とを有し、前記ＩＣカードサービス提供管理システムにおける前記所定のＩＣカード運用業務とは、アプリケーション登録業務で登録要求したアプリケーションを登録終了前に取り消しすることをＩＣカード発行管理システムに要求するアプリケーション登録取り消し業務であり、該アプリケーション登録取り消し業務においてＩＣカードサービス提供管理通信サブシステムがＩＣカード発行管理システムへ送信するデータは、登録取り消しを希望するアプリケーションの属性情報を含んでおり、前記アプリケーション登録取り消し業務においてＩＣカードサービス提供管理通信サブシステムがＩＣカード発行管理システムから受信するデータは、アプリケーション登録取り消しの結果を含んでおり、前記ＩＣカードアプリケーション情報管理サブシステムは、アプリケーション登録取り消しを希望するアプリケーションの属性情報を取得するアプリケーション属性情報取得手段と、前記受信した情報を必要によりＩＣカードアプリケーション管理データベースに登録するデータベース登録手段とを有し、前記ＩＣカード管理情報の一部としてカードＯＳの種類を有し、前記通信データの情報の一部としてカードＯＳの種類を有し、ＩＣカードサービス提供管理システムは、ＩＣカードに搭載するアプリケーションに関連する所定のＩＣカードアプリケーション管理情報をＩＣカードアプリケーション管理データベースに登録管理し、所定のＩＣカード運用業務処理をＩＣカードアプリケーション情報管理サブシステムで行い、ＩＣカードサービス提供管理通信サブシステムにおいてＩＣカードアプリケーション情報管理サブシステムのＩＣカードアプリケーション管理情報を用いて、前記ＩＣカード発行管理システムと所定のＩＣカード運用業務を実現するための通信データを生成し、ＩＣカード発行管理システムからのＩＣカード運用業務に関する通信データを受信し、ＩＣカード発行管理システムへＩＣカード運用業務に関する通信データを送信し、前記ＩＣカードアプリケーション管理情報の一部としてカードＯＳの種類を有し、前記通信データの情報の一部としてカードＯＳの種類を有することを要旨とする。
【００４８】
また、請求項２０記載の本発明は、ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理方法であって、前記ＩＣカード発行管理システムは、ＩＣカードに関連する所定のＩＣカード管理情報をＩＣカード管理データベースに登録管理し、所定のＩＣカード運用業務処理をＩＣカード情報管理サブシステムで行い、ＩＣカード発行管理通信サブシステムにおいてＩＣカード情報管理サブシステムのＩＣカード管理情報を用いて、前記ＩＣカードサービス提供管理システムと所定のＩＣカード運用業務を実現するための通信データを生成し、ＩＣカードサービス提供管理システムからのＩＣカード運用業務に関する通信データを受信し、ＩＣカードサービス提供管理システムへＩＣカード運用業務に関する通信データを送信し、前記所定のＩＣカード運用業務とは、アプリケーション登録業務で登録要求された際の受信メッセージに記載されたすべてのアプリケーションを登録終了前にまとめて取り消しすることをＩＣカードサービス提供管理システムから要求されるアプリケーション登録バッチ取り消し業務であり、該アプリケーション登録バッチ取り消し業務においてＩＣカード発行管理通信サブシステムがＩＣカードサービス提供管理システムから受信するデータは、アプリケーション登録要求を受信した際のメッセージ属性情報を含んでおり、前記アプリケーション登録バッチ取り消し業務においてＩＣカード発行管理通信サブシステムがＩＣカードサービス提供管理システムへ送信するデータは、アプリケーション登録バッチ取り消しの結果を含んでおり、前記ＩＣカード情報管理サブシステムは、前記受信した情報を基に所定のプラットフォームのアプリケーションの登録を取り消すアプリケーション登録取り消し手段と、アプリケーション登録取り消し処理終了後、必要により登録バッチ取り消しに関する情報をＩＣカード管理データベースに登録するデータベース登録手段とを有し、前記ＩＣカードサービス提供管理システムにおける前記所定のＩＣカード運用業務とは、アプリケーション登録業務で登録要求した際の送信メッセージに記載されたすべてのアプリケーションを登録終了前にまとめて取り消しすることをＩＣカード発行管理システムに要求するアプリケーション登録バッチ取り消し業務であり、該アプリケーション登録バッチ取り消し業務においてＩＣカードサービス提供管理通信サブシステムがＩＣカード発行管理システムへ送信するデータは、アプリケーション登録要求を送信した際のメッセージ属性情報を含んでおり、前記アプリケーション登録バッチ取り消し業務においてＩＣカードサービス提供管理通信サブシステムがＩＣカード発行管理システムから受信するデータは、アプリケーション登録バッチ取り消しの結果を含んでおり、前記ＩＣカードアプリケーション情報管理サブシステムは、アプリケーション登録取り消しを希望するアプリケーションの属性情報を取得するアプリケーション属性情報取得手段と、前記受信した情報を必要によりＩＣカードアプリケーション管理データベースに登録するデータベース登録手段とを有し、前記ＩＣカード管理情報の一部としてカードＯＳの種類を有し、前記通信データの情報の一部としてカードＯＳの種類を有し、ＩＣカードサービス提供管理システムは、ＩＣカードに搭載するアプリケーションに関連する所定のＩＣカードアプリケーション管理情報をＩＣカードアプリケーション管理データベースに登録管理し、所定のＩＣカード運用業務処理をＩＣカードアプリケーション情報管理サブシステムで行い、ＩＣカードサービス提供管理通信サブシステムにおいてＩＣカードアプリケーション情報管理サブシステムのＩＣカードアプリケーション管理情報を用いて、前記ＩＣカード発行管理システムと所定のＩＣカード運用業務を実現するための通信データを生成し、ＩＣカード発行管理システムからのＩＣカード運用業務に関する通信データを受信し、ＩＣカード発行管理システムへＩＣカード運用業務に関する通信データを送信し、前記ＩＣカードアプリケーション管理情報の一部としてカードＯＳの種類を有し、前記通信データの情報の一部としてカードＯＳの種類を有することを要旨とする。
【００４９】
また、請求項２１記載の本発明は、ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理方法であって、前記ＩＣカード発行管理システムは、ＩＣカードに関連する所定のＩＣカード管理情報をＩＣカード管理データベースに登録管理し、所定のＩＣカード運用業務処理をＩＣカード情報管理サブシステムで行い、ＩＣカード発行管理通信サブシステムにおいてＩＣカード情報管理サブシステムのＩＣカード管理情報を用いて、前記ＩＣカードサービス提供管理システムと所定のＩＣカード運用業務を実現するための通信データを生成し、ＩＣカードサービス提供管理システムからのＩＣカード運用業務に関する通信データを受信し、ＩＣカードサービス提供管理システムへＩＣカード運用業務に関する通信データを送信し、前記所定のＩＣカード運用業務は、アプリケーション登録業務で登録要求されたアプリケーションに関する問合せをＩＣカードサービス提供管理システムから要求されるアプリケーション登録問合せ業務であり、該アプリケーション登録問合せ業務においてＩＣカード発行管理通信サブシステムがＩＣカードサービス提供管理システムから受信するデータは、登録問合せを希望するアプリケーションの属性情報を含んでおり、前記アプリケーション登録問合せ業務においてＩＣカード発行管理通信サブシステムがＩＣカードサービス提供管理システムへ送信するデータは、アプリケーション登録問合せの結果を含んでおり、前記ＩＣカード情報管理サブシステムは、前記受信した情報を基に所定のプラットフォームのアプリケーション登録情報を照会する照会手段と、アプリケーション登録問合せ処理終了後、必要により登録問合せに関する情報をＩＣカード管理データベースに登録するデータベース登録手段とを有し、前記ＩＣカードサービス提供管理システムにおける前記所定のＩＣカード運用業務とは、アプリケーション登録業務で登録要求したアプリケーションに関する問合せをＩＣカード発行管理システムに要求するアプリケーション登録問合せ業務であり、該アプリケーション登録問合せ業務においてＩＣカードサービス提供管理通信サブシステムがＩＣカード発行管理システムへ送信するデータは、登録問合せを希望するアプリケーションの属性情報を含んでおり、前記アプリケーション登録業務においてＩＣカードサービス提供管理通信サブシステムがＩＣカード発行管理システムから受信するデータは、アプリケーション登録問合せの結果を含んでおり、前記ＩＣカードアプリケーション情報管理サブシステムは、登録問合せを希望するアプリケーションの属性情報を取得する属性情報取得手段と、前記受信した情報を必要によりＩＣカードアプリケーション管理データベースに登録するデータベース登録手段とを有し、前記ＩＣカード管理情報の一部としてカードＯＳの種類を有し、前記通信データの情報の一部としてカードＯＳの種類を有し、ＩＣカードサービス提供管理システムは、ＩＣカードに搭載するアプリケーションに関連する所定のＩＣカードアプリケーション管理情報をＩＣカードアプリケーション管理データベースに登録管理し、所定のＩＣカード運用業務処理をＩＣカードアプリケーション情報管理サブシステムで行い、ＩＣカードサービス提供管理通信サブシステムにおいてＩＣカードアプリケーション情報管理サブシステムのＩＣカードアプリケーション管理情報を用いて、前記ＩＣカード発行管理システムと所定のＩＣカード運用業務を実現するための通信データを生成し、ＩＣカード発行管理システムからのＩＣカード運用業務に関する通信データを受信し、ＩＣカード発行管理システムへＩＣカード運用業務に関する通信データを送信し、前記ＩＣカードアプリケーション管理情報の一部としてカードＯＳの種類を有し、前記通信データの情報の一部としてカードＯＳの種類を有することを要旨とする。
【００５０】
また、請求項２２記載の本発明は、ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理方法であって、前記ＩＣカード発行管理システムは、ＩＣカードに関連する所定のＩＣカード管理情報をＩＣカード管理データベースに登録管理し、所定のＩＣカード運用業務処理をＩＣカード情報管理サブシステムで行い、ＩＣカード発行管理通信サブシステムにおいてＩＣカード情報管理サブシステムのＩＣカード管理情報を用いて、前記ＩＣカードサービス提供管理システムと所定のＩＣカード運用業務を実現するための通信データを生成し、ＩＣカードサービス提供管理システムからのＩＣカード運用業務に関する通信データを受信し、ＩＣカードサービス提供管理システムへＩＣカード運用業務に関する通信データを送信し、前記所定のＩＣカード運用業務とは、アプリケーション登録業務で登録要求された際の受信メッセージに記載されたすべてのアプリケーションに関してまとめて問合せすることをＩＣカードサービス提供管理システムから要求されるアプリケーション登録バッチ問合せ業務であり、該アプリケーション登録バッチ問合せ業務においてＩＣカード発行管理通信サブシステムがＩＣカードサービス提供管理システムから受信するデータは、アプリケーション登録要求を受信した際のメッセージ属性情報を含んでおり、前記アプリケーション登録バッチ問合せ業務においてＩＣカード発行管理通信サブシステムがＩＣカードサービス提供管理システムへ送信するデータは、アプリケーション登録バッチ問合せの結果を含んでおり、前記ＩＣカード情報管理サブシステムは、前記受信した情報を基に所定のプラットフォームのアプリケーション登録情報を照会する照会手段と、アプリケーション登録バッチ問合せ処理終了後、必要により登録バッチ問合せに関する情報をＩＣカード管理データベースに登録するデータベース登録手段とを有し、前記ＩＣカードサービス提供管理システムにおける前記所定のＩＣカード運用業務とは、アプリケーション登録業務で登録要求した際の送信メッセージに記載されたすべてのアプリケーションに関してまとめて問合せすることをＩＣカード発行管理システムに要求するアプリケーション登録バッチ問合せ業務であり、該アプリケーション登録バッチ問合せ業務においてＩＣカードサービス提供管理通信サブシステムがＩＣカード発行管理システムへ送信するデータは、アプリケーション登録要求を送信した際のメッセージ属性情報を含んでおり、前記アプリケーション登録バッチ業務においてＩＣカードサービス提供管理通信サブシステムがＩＣカード発行管理システムから受信するデータは、アプリケーション登録バッチ問合せの結果を含んでおり、前記ＩＣカードアプリケーション情報管理サブシステムは、登録問合せを希望するアプリケーションの属性情報を取得する属性情報取得手段と、前記受信した情報を必要によりＩＣカードアプリケーション管理データベースに登録するデータベース登録手段とを有し、前記ＩＣカード管理情報の一部としてカードＯＳの種類を有し、前記通信データの情報の一部としてカードＯＳの種類を有し、ＩＣカードサービス提供管理システムは、ＩＣカードに搭載するアプリケーションに関連する所定のＩＣカードアプリケーション管理情報をＩＣカードアプリケーション管理データベースに登録管理し、所定のＩＣカード運用業務処理をＩＣカードアプリケーション情報管理サブシステムで行い、ＩＣカードサービス提供管理通信サブシステムにおいてＩＣカードアプリケーション情報管理サブシステムのＩＣカードアプリケーション管理情報を用いて、前記ＩＣカード発行管理システムと所定のＩＣカード運用業務を実現するための通信データを生成し、ＩＣカード発行管理システムからのＩＣカード運用業務に関する通信データを受信し、ＩＣカード発行管理システムへＩＣカード運用業務に関する通信データを送信し、前記ＩＣカードアプリケーション管理情報の一部としてカードＯＳの種類を有し、前記通信データの情報の一部としてカードＯＳの種類を有することを要旨とする。
【００５１】
また、請求項２３記載の本発明は、ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理方法であって、前記ＩＣカード発行管理システムは、ＩＣカードに関連する所定のＩＣカード管理情報をＩＣカード管理データベースに登録管理し、所定のＩＣカード運用業務処理をＩＣカード情報管理サブシステムで行い、ＩＣカード発行管理通信サブシステムにおいてＩＣカード情報管理サブシステムのＩＣカード管理情報を用いて、前記ＩＣカードサービス提供管理システムと所定のＩＣカード運用業務を実現するための通信データを生成し、ＩＣカードサービス提供管理システムからのＩＣカード運用業務に関する通信データを受信し、ＩＣカードサービス提供管理システムへＩＣカード運用業務に関する通信データを送信し、前記所定のＩＣカード運用業務は、アプリケーション登録業務により既に登録済みのアプリケーションに対して登録抹消をＩＣカードサービス提供管理システムから要求されるアプリケーション登録抹消業務であり、該アプリケーション登録抹消業務においてＩＣカード発行管理通信サブシステムがＩＣカードサービス提供管理システムから受信するデータは、登録抹消を希望するアプリケーションの属性情報を含んでおり、前記アプリケーション登録問合せ業務においてＩＣカード発行管理通信サブシステムがＩＣカードサービス提供管理システムへ送信するデータは、アプリケーション登録抹消の結果を含んでおり、前記ＩＣカード情報管理サブシステムは、前記受信した情報を基に所定のプラットフォームのアプリケーション登録抹消処理を制御する抹消制御手段と、アプリケーション登録抹消処理終了後、必要により登録抹消に関する情報をＩＣカード管理データベースに登録するデータベース登録手段とを有し、前記ＩＣカードサービス提供管理システムにおける前記所定のＩＣカード運用業務とは、アプリケーション登録業務で登録要求したアプリケーションを登録抹消することをＩＣカード発行管理システムに要求するアプリケーション登録抹消業務であり、該アプリケーション登録抹消業務においてＩＣカードサービス提供管理通信サブシステムがＩＣカード発行管理システムへ送信するデータは、登録抹消を希望するアプリケーションの属性情報を含んでおり、前記アプリケーション登録抹消業務においてＩＣカードサービス提供管理通信サブシステムがＩＣカード発行管理システムから受信するデータは、アプリケーション登録抹消の結果を含んでおり、前記ＩＣカードアプリケーション情報管理サブシステムは、登録抹消を希望するアプリケーションに関する情報を取得する情報取得手段と、前記受信した情報を必要によりＩＣカードアプリケーション管理データベースに登録するデータベース登録手段とを有し、前記ＩＣカード管理情報の一部としてカードＯＳの種類を有し、前記通信データの情報の一部としてカードＯＳの種類を有し、ＩＣカードサービス提供管理システムは、ＩＣカードに搭載するアプリケーションに関連する所定のＩＣカードアプリケーション管理情報をＩＣカードアプリケーション管理データベースに登録管理し、所定のＩＣカード運用業務処理をＩＣカードアプリケーション情報管理サブシステムで行い、ＩＣカードサービス提供管理通信サブシステムにおいてＩＣカードアプリケーション情報管理サブシステムのＩＣカードアプリケーション管理情報を用いて、前記ＩＣカード発行管理システムと所定のＩＣカード運用業務を実現するための通信データを生成し、ＩＣカード発行管理システムからのＩＣカード運用業務に関する通信データを受信し、ＩＣカード発行管理システムへＩＣカード運用業務に関する通信データを送信し、前記ＩＣカードアプリケーション管理情報の一部としてカードＯＳの種類を有し、前記通信データの情報の一部としてカードＯＳの種類を有することを要旨とする。
【００５２】
また、請求項２４記載の本発明は、ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理方法であって、前記ＩＣカード発行管理システムは、ＩＣカードに関連する所定のＩＣカード管理情報をＩＣカード管理データベースに登録管理し、所定のＩＣカード運用業務処理をＩＣカード情報管理サブシステムで行い、ＩＣカード発行管理通信サブシステムにおいてＩＣカード情報管理サブシステムのＩＣカード管理情報を用いて、前記ＩＣカードサービス提供管理システムと所定のＩＣカード運用業務を実現するための通信データを生成し、ＩＣカードサービス提供管理システムからのＩＣカード運用業務に関する通信データを受信し、ＩＣカードサービス提供管理システムへＩＣカード運用業務に関する通信データを送信し、前記所定のＩＣカード運用業務とは、ＩＣカードにアプリケーションを搭載する際に必要とされるアプリケーションの搭載許可をＩＣカードサービス提供管理システムから要求される許可書発行業務であり、該許可書発行業務においてＩＣカード発行管理通信サブシステムがＩＣカードサービス提供管理システムから受信するデータは、許可書発行を希望するＩＣカードの属性情報および該ＩＣカードへの搭載を希望するアプリケーションの属性情報を含んでおり、前記許可書発行業務においてＩＣカード発行管理通信サブシステムがＩＣカードサービス提供管理システムへ送信するデータは、許可書発行の結果を含んでおり、前記ＩＣカード情報管理サブシステムは、許可書を発行する許可書発行手段と、前記受信した情報を基に所定の許可書発行処理を制御する制御手段と、許可書発行処理終了後、必要により許可書を発行するＩＣカードに関する情報をＩＣカード管理データベースに登録するデータベース登録手段とを有し、前記ＩＣカードサービス提供管理システムにおける前記所定のＩＣカード運用業務とは、ＩＣカードにアプリケーションを搭載する際に必要となるアプリケーション搭載許可書をＩＣカード発行管理システムに要求する許可書発行業務であり、該許可書発行業務においてＩＣカードサービス提供管理通信サブシステムがＩＣカード発行管理システムへ送信するデータは、許可書発行を希望するＩＣカードの属性情報および該ＩＣカードへの搭載を希望するアプリケーションの属性情報を含んでおり、前記許可書発行業務においてＩＣカードサービス提供管理通信サブシステムがＩＣカード発行管理システムから受信するデータは、許可書発行の結果を含んでおり、前記ＩＣカードアプリケーション情報管理サブシステムは、許可書発行要求に必要な情報を取得する情報取得手段と、前記受信した情報を必要によりＩＣカードアプリケーション管理データベースに登録するデータベース登録手段とを有し、前記ＩＣカード管理情報の一部としてカードＯＳの種類を有し、前記通信データの情報の一部としてカードＯＳの種類を有し、ＩＣカードサービス提供管理システムは、ＩＣカードに搭載するアプリケーションに関連する所定のＩＣカードアプリケーション管理情報をＩＣカードアプリケーション管理データベースに登録管理し、所定のＩＣカード運用業務処理をＩＣカードアプリケーション情報管理サブシステムで行い、ＩＣカードサービス提供管理通信サブシステムにおいてＩＣカードアプリケーション情報管理サブシステムのＩＣカードアプリケーション管理情報を用いて、前記ＩＣカード発行管理システムと所定のＩＣカード運用業務を実現するための通信データを生成し、ＩＣカード発行管理システムからのＩＣカード運用業務に関する通信データを受信し、ＩＣカード発行管理システムへＩＣカード運用業務に関する通信データを送信し、前記ＩＣカードアプリケーション管理情報の一部としてカードＯＳの種類を有し、前記通信データの情報の一部としてカードＯＳの種類を有することを要旨とする。
【００５３】
また、請求項２５記載の本発明は、ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理方法であって、前記ＩＣカード発行管理システムは、ＩＣカードに関連する所定のＩＣカード管理情報をＩＣカード管理データベースに登録管理し、所定のＩＣカード運用業務処理をＩＣカード情報管理サブシステムで行い、ＩＣカード発行管理通信サブシステムにおいてＩＣカード情報管理サブシステムのＩＣカード管理情報を用いて、前記ＩＣカードサービス提供管理システムと所定のＩＣカード運用業務を実現するための通信データを生成し、ＩＣカードサービス提供管理システムからのＩＣカード運用業務に関する通信データを受信し、ＩＣカードサービス提供管理システムへＩＣカード運用業務に関する通信データを送信し、前記所定のＩＣカード運用業務とは、許可書発行業務で発行要求された許可書を発行処理終了前に取り消しすることをＩＣカードサービス提供管理システムから要求される許可書発行取り消し業務であり、該許可書発行取り消し業務においてＩＣカード発行管理通信サブシステムがＩＣカードサービス提供管理システムから受信するデータは、許可書発行対象であるＩＣカードの属性情報および該ＩＣカードへの搭載対象アプリケーションの属性情報を含んでおり、前記許可書発行取り消し業務においてＩＣカード発行管理通信サブシステムがＩＣカードサービス提供管理システムへ送信するデータは、許可書発行取り消しの結果を含んでおり、前記ＩＣカード情報管理サブシステムは、前記受信した情報を基に所定の許可書発行を取り消す許可書発行取り消し手段と、許可書発行取り消し処理終了後、必要により許可書発行取り消しに関する情報をＩＣカード管理データベースに登録するデータベース登録手段とを有し、前記ＩＣカードサービス提供管理システムにおける前記所定のＩＣカード運用業務とは、許可書発行業務で発行要求した許可書を発行処理終了前に取り消すことをＩＣカード発行管理システムに要求する許可書発行取り消し業務であり、該許可書発行取り消し業務においてＩＣカードサービス提供管理通信サブシステムがＩＣカード発行管理システムへ送信するデータは、許可書発行取り消しを希望するＩＣカードの属性情報および該ＩＣカードへの搭載対象アプリケーションの属性情報を含んでおり、前記許可書発行取り消し業務においてＩＣカードサービス提供管理通信サブシステムがＩＣカード発行管理システムから受信するデータは、許可書発行取り消しの結果を含んでおり、前記ＩＣカードアプリケーション情報管理サブシステムは、許可書発行取り消しを要求するＩＣカードの属性情報および該ＩＣカードへの搭載対象アプリケーションの属性情報を取得する属性情報取得手段と、前記受信した情報を必要によりＩＣカードアプリケーション管理データベースに登録するデータベース登録手段とを有し、前記ＩＣカード管理情報の一部としてカードＯＳの種類を有し、前記通信データの情報の一部としてカードＯＳの種類を有し、ＩＣカードサービス提供管理システムは、ＩＣカードに搭載するアプリケーションに関連する所定のＩＣカードアプリケーション管理情報をＩＣカードアプリケーション管理データベースに登録管理し、所定のＩＣカード運用業務処理をＩＣカードアプリケーション情報管理サブシステムで行い、ＩＣカードサービス提供管理通信サブシステムにおいてＩＣカードアプリケーション情報管理サブシステムのＩＣカードアプリケーション管理情報を用いて、前記ＩＣカード発行管理システムと所定のＩＣカード運用業務を実現するための通信データを生成し、ＩＣカード発行管理システムからのＩＣカード運用業務に関する通信データを受信し、ＩＣカード発行管理システムへＩＣカード運用業務に関する通信データを送信し、前記ＩＣカードアプリケーション管理情報の一部としてカードＯＳの種類を有し、前記通信データの情報の一部としてカードＯＳの種類を有することを要旨とする。
【００５４】
また、請求項２６記載の本発明は、ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理方法であって、前記ＩＣカード発行管理システムは、ＩＣカードに関連する所定のＩＣカード管理情報をＩＣカード管理データベースに登録管理し、所定のＩＣカード運用業務処理をＩＣカード情報管理サブシステムで行い、ＩＣカード発行管理通信サブシステムにおいてＩＣカード情報管理サブシステムのＩＣカード管理情報を用いて、前記ＩＣカードサービス提供管理システムと所定のＩＣカード運用業務を実現するための通信データを生成し、ＩＣカードサービス提供管理システムからのＩＣカード運用業務に関する通信データを受信し、ＩＣカードサービス提供管理システムへＩＣカード運用業務に関する通信データを送信し、前記所定のＩＣカード運用業務とは、許可書発行業務で発行要求された受信メッセージに記載されたすべての許可書を発行処理終了前にまとめて取り消しすることをＩＣカードサービス提供管理システムから要求される許可書発行バッチ取り消し業務であり、該許可書発行バッチ取り消し業務においてＩＣカード発行管理通信サブシステムがＩＣカードサービス提供管理システムから受信するデータは、許可書発行要求を受信した際のメッセージ属性情報を含んでおり、前記許可書発行バッチ取り消し業務においてＩＣカード発行管理通信サブシステムがＩＣカードサービス提供管理システムへ送信するデータは、許可書発行バッチ取り消しの結果を含んでおり、前記ＩＣカード情報管理サブシステムは、前記受信した情報を基に所定の許可書発行を取り消す許可書発行取り消し手段と、許可書発行取り消し処理終了後、必要により許可書発行バッチ取り消しに関する情報をＩＣカード管理データベースに登録するデータベース登録手段とを有し、前記ＩＣカードサービス提供管理システムにおける前記所定のＩＣカード運用業務とは、許可書発行業務で発行要求した際の送信メッセージに記載されたすべての許可書を発行処理終了前に取り消すことをＩＣカード発行管理システムに要求する許可書発行バッチ取り消し業務であり、該許可書発行バッチ取り消し業務においてＩＣカードサービス提供管理通信サブシステムがＩＣカード発行管理システムへ送信するデータは、許可書発行要求を送信した際のメッセージ属性情報を含んでおり、前記許可書発行バッチ取り消し業務においてＩＣカードサービス提供管理通信サブシステムがＩＣカード発行管理システムから受信するデータは、許可書発行バッチ取り消しの結果を含んでおり、前記ＩＣカードアプリケーション情報管理サブシステムは、許可書発行取り消しを要求するＩＣカードの属性情報および該ＩＣカードへの搭載対象アプリケーションの属性情報を取得する属性情報取得手段と、前記受信した情報を必要によりＩＣカードアプリケーション管理データベースに登録するデータベース登録手段とを有し、前記ＩＣカード管理情報の一部としてカードＯＳの種類を有し、前記通信データの情報の一部としてカードＯＳの種類を有し、ＩＣカードサービス提供管理システムは、ＩＣカードに搭載するアプリケーションに関連する所定のＩＣカードアプリケーション管理情報をＩＣカードアプリケーション管理データベースに登録管理し、所定のＩＣカード運用業務処理をＩＣカードアプリケーション情報管理サブシステムで行い、ＩＣカードサービス提供管理通信サブシステムにおいてＩＣカードアプリケーション情報管理サブシステムのＩＣカードアプリケーション管理情報を用いて、前記ＩＣカード発行管理システムと所定のＩＣカード運用業務を実現するための通信データを生成し、ＩＣカード発行管理システムからのＩＣカード運用業務に関する通信データを受信し、ＩＣカード発行管理システムへＩＣカード運用業務に関する通信データを送信し、前記ＩＣカードアプリケーション管理情報の一部としてカードＯＳの種類を有し、前記通信データの情報の一部としてカードＯＳの種類を有することを要旨とする。
【００５５】
また、請求項２７記載の本発明は、ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理方法であって、前記ＩＣカード発行管理システムは、ＩＣカードに関連する所定のＩＣカード管理情報をＩＣカード管理データベースに登録管理し、所定のＩＣカード運用業務処理をＩＣカード情報管理サブシステムで行い、ＩＣカード発行管理通信サブシステムにおいてＩＣカード情報管理サブシステムのＩＣカード管理情報を用いて、前記ＩＣカードサービス提供管理システムと所定のＩＣカード運用業務を実現するための通信データを生成し、ＩＣカードサービス提供管理システムからのＩＣカード運用業務に関する通信データを受信し、ＩＣカードサービス提供管理システムへＩＣカード運用業務に関する通信データを送信し、前記所定のＩＣカード運用業務とは、許可書発行業務で登録要求された許可書に関する問合せをＩＣカードサービス提供管理システムから要求される許可書発行問合せ業務であり、該許可書発行問合せ業務においてＩＣカード発行管理通信サブシステムがＩＣカードサービス提供管理システムから受信するデータは、許可書発行問合せを希望するＩＣカードの属性情報および該ＩＣカードへの搭載対象アプリケーションの属性情報を含んでおり、前記許可書発行問合せ業務においてＩＣカード発行管理通信サブシステムがＩＣカードサービス提供管理システムへ送信するデータは、許可書発行問合せの結果を含んでおり、前記ＩＣカード情報管理サブシステムは、前記受信した情報を基に所定の許可書発行に関する情報を照会する照会手段と、許可書発行問合せ処理終了後、必要により許可書発行問合せに関する情報をＩＣカード管理データベースに登録するデータベース登録手段とを有し、前記ＩＣカードサービス提供管理システムにおける前記所定のＩＣカード運用業務とは、許可書発行業務で発行要求した許可書に関する問合せをＩＣカード発行管理システムに要求する許可書発行問合せ業務であり、該許可書発行問合せ業務においてＩＣカードサービス提供管理通信サブシステムがＩＣカード発行管理システムへ送信するデータは、許可書発行問合せを希望するＩＣカードの属性情報および該ＩＣカードへの搭載対象アプリケーションの属性情報を含んでおり、前記許可書発行問合せ業務においてＩＣカードサービス提供管理通信サブシステムがＩＣカード発行管理システムから受信するデータは、許可書発行問合せの結果を含んでおり、前記ＩＣカードアプリケーション情報管理サブシステムは、許可書発行問合せを希望するＩＣカードの属性情報および該ＩＣカードへの搭載対象アプリケーションに関する情報を取得する情報取得手段と、前記受信した情報を必要によりＩＣカードアプリケーション管理データベースに登録するデータベース登録手段とを有し、前記ＩＣカード管理情報の一部としてカードＯＳの種類を有し、前記通信データの情報の一部としてカードＯＳの種類を有し、ＩＣカードサービス提供管理システムは、ＩＣカードに搭載するアプリケーションに関連する所定のＩＣカードアプリケーション管理情報をＩＣカードアプリケーション管理データベースに登録管理し、所定のＩＣカード運用業務処理をＩＣカードアプリケーション情報管理サブシステムで行い、ＩＣカードサービス提供管理通信サブシステムにおいてＩＣカードアプリケーション情報管理サブシステムのＩＣカードアプリケーション管理情報を用いて、前記ＩＣカード発行管理システムと所定のＩＣカード運用業務を実現するための通信データを生成し、ＩＣカード発行管理システムからのＩＣカード運用業務に関する通信データを受信し、ＩＣカード発行管理システムへＩＣカード運用業務に関する通信データを送信し、前記ＩＣカードアプリケーション管理情報の一部としてカードＯＳの種類を有し、前記通信データの情報の一部としてカードＯＳの種類を有することを要旨とする。
【００５６】
また、請求項２８記載の本発明は、ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理方法であって、前記ＩＣカード発行管理システムは、ＩＣカードに関連する所定のＩＣカード管理情報をＩＣカード管理データベースに登録管理し、所定のＩＣカード運用業務処理をＩＣカード情報管理サブシステムで行い、ＩＣカード発行管理通信サブシステムにおいてＩＣカード情報管理サブシステムのＩＣカード管理情報を用いて、前記ＩＣカードサービス提供管理システムと所定のＩＣカード運用業務を実現するための通信データを生成し、ＩＣカードサービス提供管理システムからのＩＣカード運用業務に関する通信データを受信し、ＩＣカードサービス提供管理システムへＩＣカード運用業務に関する通信データを送信し、前記所定のＩＣカード運用業務とは、許可書発行業務で登録要求された際の受信メッセージに記載されたすべての許可書に関してまとめて問合せすることをＩＣカードサービス提供管理システムから要求される許可書発行バッチ問合せ業務であり、該許可書発行バッチ問合せ業務においてＩＣカード発行管理通信サブシステムがＩＣカードサービス提供管理システムから受信するデータは、許可書発行問合せを受信した際のメッセージ属性情報を含んでおり、前記許可書発行バッチ問合せ業務においてＩＣカード発行管理通信サブシステムがＩＣカードサービス提供管理システムへ送信するデータは、許可書発行バッチ問合せの結果を含んでおり、前記ＩＣカード情報管理サブシステムは、前記受信した情報を基に所定の許可書発行に関する情報を照会する照会手段と、許可書発行問合せ処理終了後、必要により許可書発行バッチ問合せに関する情報をＩＣカード管理データベースに登録するデータベース登録手段とを有し、前記ＩＣカードサービス提供管理システムにおける前記所定のＩＣカード運用業務とは、許可書発行業務で発行要求した際の送信メッセージに記載されたすべての許可書に関してまとめて問合せすることをＩＣカード発行管理システムに要求する許可書発行バッチ問合せ業務であり、該許可書発行バッチ問合せ業務においてＩＣカードサービス提供管理通信サブシステムがＩＣカード発行管理システムへ送信するデータは、許可書発行要求を送信した際のメッセージ属性情報を含んでおり、前記許可書発行バッチ問合せ業務においてＩＣカードサービス提供管理通信サブシステムがＩＣカード発行管理システムから受信するデータは、許可書発行バッチ問合せの結果を含んでおり、前記ＩＣカードアプリケーション情報管理サブシステムは、許可書発行問合せを希望するＩＣカードの属性情報および該ＩＣカードへの搭載対象アプリケーションの属性情報を取得する情報取得手段と、前記受信した情報を必要によりＩＣカードアプリケーション管理データベースに登録するデータベース登録手段とを有し、前記ＩＣカード管理情報の一部としてカードＯＳの種類を有し、前記通信データの情報の一部としてカードＯＳの種類を有し、ＩＣカードサービス提供管理システムは、ＩＣカードに搭載するアプリケーションに関連する所定のＩＣカードアプリケーション管理情報をＩＣカードアプリケーション管理データベースに登録管理し、所定のＩＣカード運用業務処理をＩＣカードアプリケーション情報管理サブシステムで行い、ＩＣカードサービス提供管理通信サブシステムにおいてＩＣカードアプリケーション情報管理サブシステムのＩＣカードアプリケーション管理情報を用いて、前記ＩＣカード発行管理システムと所定のＩＣカード運用業務を実現するための通信データを生成し、ＩＣカード発行管理システムからのＩＣカード運用業務に関する通信データを受信し、ＩＣカード発行管理システムへＩＣカード運用業務に関する通信データを送信し、前記ＩＣカードアプリケーション管理情報の一部としてカードＯＳの種類を有し、前記通信データの情報の一部としてカードＯＳの種類を有することを要旨とする。
【００５７】
また、請求項２９記載の本発明は、ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理方法であって、前記ＩＣカード発行管理システムは、ＩＣカードに関連する所定のＩＣカード管理情報をＩＣカード管理データベースに登録管理し、所定のＩＣカード運用業務処理をＩＣカード情報管理サブシステムで行い、ＩＣカード発行管理通信サブシステムにおいてＩＣカード情報管理サブシステムのＩＣカード管理情報を用いて、前記ＩＣカードサービス提供管理システムと所定のＩＣカード運用業務を実現するための通信データを生成し、ＩＣカードサービス提供管理システムからのＩＣカード運用業務に関する通信データを受信し、ＩＣカードサービス提供管理システムへＩＣカード運用業務に関する通信データを送信し、前記所定のＩＣカード運用業務とは、ＩＣカードの運用状態、再発行情報を含むＩＣカードに関連する情報の照会をＩＣカードサービス提供管理システムから要求されるカード情報照会業務であり、該カード情報照会業務においてＩＣカード発行管理通信サブシステムがＩＣカードサービス提供管理システムから受信するデータは、照会対象ＩＣカードの属性情報を含んでおり、前記カード情報照会業務においてＩＣカード発行管理通信サブシステムがＩＣカードサービス提供管理システムへ送信するデータは、該ＩＣカードに関して照会要求のあった情報を含んでおり、前記ＩＣカード情報管理サブシステムは、前記受信した情報を基に照会対象ＩＣカード属性情報をＩＣカード管理データベース内で検索する検索手段と、カード情報照会処理終了後、必要により照会したＩＣカードに関する情報をＩＣカード管理データベースに登録するデータベース登録手段とを有し、前記ＩＣカードサービス提供管理システムにおける前記所定のＩＣカード運用業務とは、ＩＣカードの運用状態、再発行情報を含むＩＣカードに関連する情報の照会をＩＣカード発行管理システムへ要求するカード情報照会業務であり、該カード情報照会業務においてＩＣカードサービス提供管理通信サブシステムがＩＣカード発行管理システムへ送信するデータは、照会対象ＩＣカードの属性情報を含んでおり、前記カード情報照会業務においてＩＣカードサービス提供管理通信サブシステムがＩＣカード発行管理システムから受信するデータは、該ＩＣカードに関して照会要求した情報を含んでおり、前記ＩＣカードアプリケーション情報管理サブシステムは、前記受信した情報を必要によりＩＣカードアプリケーション管理データベースに登録するデータベース登録手段とを有し、前記ＩＣカード管理情報の一部としてカードＯＳの種類を有し、前記通信データの情報の一部としてカードＯＳの種類を有し、ＩＣカードサービス提供管理システムは、ＩＣカードに搭載するアプリケーションに関連する所定のＩＣカードアプリケーション管理情報をＩＣカードアプリケーション管理データベースに登録管理し、所定のＩＣカード運用業務処理をＩＣカードアプリケーション情報管理サブシステムで行い、ＩＣカードサービス提供管理通信サブシステムにおいてＩＣカードアプリケーション情報管理サブシステムのＩＣカードアプリケーション管理情報を用いて、前記ＩＣカード発行管理システムと所定のＩＣカード運用業務を実現するための通信データを生成し、ＩＣカード発行管理システムからのＩＣカード運用業務に関する通信データを受信し、ＩＣカード発行管理システムへＩＣカード運用業務に関する通信データを送信し、前記ＩＣカードアプリケーション管理情報の一部としてカードＯＳの種類を有し、前記通信データの情報の一部としてカードＯＳの種類を有することを要旨とする。
【００５８】
また、請求項３０記載の本発明は、ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理方法であって、前記ＩＣカード発行管理システムは、ＩＣカードに関連する所定のＩＣカード管理情報をＩＣカード管理データベースに登録管理し、所定のＩＣカード運用業務処理をＩＣカード情報管理サブシステムで行い、ＩＣカード発行管理通信サブシステムにおいてＩＣカード情報管理サブシステムのＩＣカード管理情報を用いて、前記ＩＣカードサービス提供管理システムと所定のＩＣカード運用業務を実現するための通信データを生成し、ＩＣカードサービス提供管理システムからのＩＣカード運用業務に関する通信データを受信し、ＩＣカードサービス提供管理システムへＩＣカード運用業務に関する通信データを送信し、前記所定のＩＣカード運用業務は、ＩＣカードが廃止されたことをＩＣカードサービス提供管理システムに通知するＩＣカード廃止通知業務であり、該ＩＣカード廃止通知業務においてＩＣカード発行管理通信サブシステムがＩＣカードサービス提供管理システムへ送信するデータは、廃止されたＩＣカードの属性情報または該ＩＣカードへの許可書発行要求を受信した際のメッセージの属性情報を含んでおり、前記ＩＣカード情報管理サブシステムは、ＩＣカードの廃止処理を行うＩＣカード廃止処理手段と、ＩＣカード廃止通知処理終了後、必要により廃止通知したＩＣカードに関する情報をＩＣカード管理データベースに登録するデータベース登録手段とを有し、前記ＩＣカードサービス提供管理システムにおける前記所定のＩＣカード運用業務とは、ＩＣカードが廃止されたことをＩＣカード発行管理システムから受信するＩＣカード廃止通知業務であり、該ＩＣカード廃止通知業務においてＩＣカードサービス提供管理通信サブシステムがＩＣカード発行管理システムから受信するデータは、廃止されたＩＣカードの属性情報または該ＩＣカードへの許可書発行要求を受信した際のメッセージの属性情報を含んでおり、前記ＩＣカードアプリケーション情報管理サブシステムは、前記受信した情報をＩＣカードアプリケーション管理データベースに登録するデータベース登録手段と、前記受信した情報に基づきＩＣカード運用業務を制御する運用業務制御手段とを有し、前記ＩＣカード管理情報の一部としてカードＯＳの種類を有し、前記通信データの情報の一部としてカードＯＳの種類を有し、ＩＣカードサービス提供管理システムは、ＩＣカードに搭載するアプリケーションに関連する所定のＩＣカードアプリケーション管理情報をＩＣカードアプリケーション管理データベースに登録管理し、所定のＩＣカード運用業務処理をＩＣカードアプリケーション情報管理サブシステムで行い、ＩＣカードサービス提供管理通信サブシステムにおいてＩＣカードアプリケーション情報管理サブシステムのＩＣカードアプリケーション管理情報を用いて、前記ＩＣカード発行管理システムと所定のＩＣカード運用業務を実現するための通信データを生成し、ＩＣカード発行管理システムからのＩＣカード運用業務に関する通信データを受信し、ＩＣカード発行管理システムへＩＣカード運用業務に関する通信データを送信し、前記ＩＣカードアプリケーション管理情報の一部としてカードＯＳの種類を有し、前記通信データの情報の一部としてカードＯＳの種類を有することを要旨とする。
【００５９】
また、請求項３１記載の本発明は、ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理方法であって、前記ＩＣカード発行管理システムは、ＩＣカードに関連する所定のＩＣカード管理情報をＩＣカード管理データベースに登録管理し、所定のＩＣカード運用業務処理をＩＣカード情報管理サブシステムで行い、ＩＣカード発行管理通信サブシステムにおいてＩＣカード情報管理サブシステムのＩＣカード管理情報を用いて、前記ＩＣカードサービス提供管理システムと所定のＩＣカード運用業務を実現するための通信データを生成し、ＩＣカードサービス提供管理システムからのＩＣカード運用業務に関する通信データを受信し、ＩＣカードサービス提供管理システムへＩＣカード運用業務に関する通信データを送信し、前記所定のＩＣカード運用業務とは、ＩＣカードが再発行されたことをＩＣカードサービス提供管理システムに通知するＩＣカード再発行通知業務であり、該ＩＣカード再発行通知業務においてＩＣカード発行管理通信サブシステムがＩＣカードサービス提供管理システムへ送信するデータは、再発行されたＩＣカードの属性情報を含んでおり、前記ＩＣカード情報管理サブシステムは、プラットフォーム毎のＩＣカード再発行処理を行う再発行処理手段と、ＩＣカード再発行通知処理終了後、必要により再発行通知したＩＣカードに関する情報をＩＣカード管理データベースに登録するデータベース登録手段とを有し、前記ＩＣカードサービス提供管理システムにおける前記所定のＩＣカード運用業務とは、ＩＣカードが再発行されたことをＩＣカード発行管理システムから受信するＩＣカード再発行通知業務であり、該ＩＣカード再発行通知業務においてＩＣカードサービス提供管理通信サブシステムがＩＣカード発行管理システムから受信するデータは、再発行されたＩＣカードの属性情報を含んでおり、前記ＩＣカードアプリケーション情報管理サブシステムは、前記受信した情報をＩＣカードアプリケーション管理データベースに登録するデータベース登録手段と、前記受信した情報に基づきＩＣカード運用業務を制御する運用業務制御手段とを有し、前記ＩＣカード管理情報の一部としてカードＯＳの種類を有し、前記通信データの情報の一部としてカードＯＳの種類を有し、ＩＣカードサービス提供管理システムは、ＩＣカードに搭載するアプリケーションに関連する所定のＩＣカードアプリケーション管理情報をＩＣカードアプリケーション管理データベースに登録管理し、所定のＩＣカード運用業務処理をＩＣカードアプリケーション情報管理サブシステムで行い、ＩＣカードサービス提供管理通信サブシステムにおいてＩＣカードアプリケーション情報管理サブシステムのＩＣカードアプリケーション管理情報を用いて、前記ＩＣカード発行管理システムと所定のＩＣカード運用業務を実現するための通信データを生成し、ＩＣカード発行管理システムからのＩＣカード運用業務に関する通信データを受信し、ＩＣカード発行管理システムへＩＣカード運用業務に関する通信データを送信し、前記ＩＣカードアプリケーション管理情報の一部としてカードＯＳの種類を有し、前記通信データの情報の一部としてカードＯＳの種類を有することを要旨とする。
【００６０】
また、請求項３２記載の本発明は、ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理方法であって、前記ＩＣカード発行管理システムは、ＩＣカードに関連する所定のＩＣカード管理情報をＩＣカード管理データベースに登録管理し、所定のＩＣカード運用業務処理をＩＣカード情報管理サブシステムで行い、ＩＣカード発行管理通信サブシステムにおいてＩＣカード情報管理サブシステムのＩＣカード管理情報を用いて、前記ＩＣカードサービス提供管理システムと所定のＩＣカード運用業務を実現するための通信データを生成し、ＩＣカードサービス提供管理システムからのＩＣカード運用業務に関する通信データを受信し、ＩＣカードサービス提供管理システムへＩＣカード運用業務に関する通信データを送信し、前記所定のＩＣカード運用業務とは、ＩＣカードへアプリケーションを搭載したことをＩＣカードサービス提供管理システムから受信するレシート通知業務であり、該レシート通知業務においてＩＣカード発行管理通信サブシステムがＩＣカードサービス提供管理システムから受信するデータは、アプリケーションが搭載されたＩＣカードの属性情報または該ＩＣカードへの許可書発行要求を受信した際のメッセージの属性情報を含んでおり、前記ＩＣカード情報管理サブシステムは、前記受信した情報をＩＣカード管理データベースに登録するデータベース登録手段と、前記受信した情報に基づきＩＣカード運用業務を制御する制御手段とを有し、前記ＩＣカードサービス提供管理システムにおける前記所定のＩＣカード運用業務とは、ＩＣカードへアプリケーションを搭載したことをＩＣカード発行管理システムに通知するレシート通知業務であり、該レシート通知業務においてＩＣカードサービス提供管理通信サブシステムがＩＣカード発行管理システムへ送信するデータは、アプリケーションが搭載されたＩＣカードの属性情報または該ＩＣカードへの許可書発行要求を送信した際のメッセージの属性情報を含んでおり、前記ＩＣカードアプリケーション情報管理サブシステムは、レシートを作成するレシート作成手段と、レシート通知処理終了後、必要によりレシート通知したＩＣカードに関する情報をＩＣカードアプリケーション管理データベースに登録するデータベース登録手段とを有し、前記ＩＣカード管理情報の一部としてカードＯＳの種類を有し、前記通信データの情報の一部としてカードＯＳの種類を有し、ＩＣカードサービス提供管理システムは、ＩＣカードに搭載するアプリケーションに関連する所定のＩＣカードアプリケーション管理情報をＩＣカードアプリケーション管理データベースに登録管理し、所定のＩＣカード運用業務処理をＩＣカードアプリケーション情報管理サブシステムで行い、ＩＣカードサービス提供管理通信サブシステムにおいてＩＣカードアプリケーション情報管理サブシステムのＩＣカードアプリケーション管理情報を用いて、前記ＩＣカード発行管理システムと所定のＩＣカード運用業務を実現するための通信データを生成し、ＩＣカード発行管理システムからのＩＣカード運用業務に関する通信データを受信し、ＩＣカード発行管理システムへＩＣカード運用業務に関する通信データを送信し、前記ＩＣカードアプリケーション管理情報の一部としてカードＯＳの種類を有し、前記通信データの情報の一部としてカードＯＳの種類を有することを要旨とする。
【００６１】
また、請求項３３記載の本発明は、ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理方法であって、前記ＩＣカード発行管理システムは、ＩＣカードに関連する所定のＩＣカード管理情報をＩＣカード管理データベースに登録管理し、所定のＩＣカード運用業務処理をＩＣカード情報管理サブシステムで行い、ＩＣカード発行管理通信サブシステムにおいてＩＣカード情報管理サブシステムのＩＣカード管理情報を用いて、前記ＩＣカードサービス提供管理システムと所定のＩＣカード運用業務を実現するための通信データを生成し、ＩＣカードサービス提供管理システムからのＩＣカード運用業務に関する通信データを受信し、ＩＣカードサービス提供管理システムへＩＣカード運用業務に関する通信データを送信し、前記所定のＩＣカード運用業務とは、ＩＣカードの紛失、盗難、その他の何らかの理由により利用を停止したいＩＣカードに関する情報をＩＣカードサービス提供管理システムに通知するホットリスト通知業務であり、該ホットリスト通知業務においてＩＣカード発行管理通信サブシステムがＩＣカードサービス提供管理システムへ送信するデータは、利用停止を希望するＩＣカードの属性情報を含んでおり、前記ＩＣカード情報管理サブシステムは、ホットリストを作成するホットリスト作成手段と、ホットリスト通知処理終了後、必要によりホットリスト通知したＩＣカードに関する情報をＩＣカード管理データベースに登録するデータベース登録手段とを有し、前記ＩＣカードサービス提供管理システムにおける前記所定のＩＣカード運用業務とは、ＩＣカードの紛失、盗難、その他の何らかの理由により利用を停止したいＩＣカードに関する情報をＩＣカード発行管理システムから受信するホットリスト通知業務であり、該ホットリスト通知業務においてＩＣカードサービス提供管理通信サブシステムがＩＣカード発行管理システムから受信するデータは、利用停止を希望するＩＣカードの属性情報を含んでおり、前記ＩＣカードアプリケーション情報管理サブシステムは、前記受信した情報をＩＣカードアプリケーション管理データベースに登録するデータベース登録手段と、前記受信した情報に基づきＩＣカード運用業務を制御する運用業務制御手段とを有し、前記ＩＣカード管理情報の一部としてカードＯＳの種類を有し、前記通信データの情報の一部としてカードＯＳの種類を有し、ＩＣカードサービス提供管理システムは、ＩＣカードに搭載するアプリケーションに関連する所定のＩＣカードアプリケーション管理情報をＩＣカードアプリケーション管理データベースに登録管理し、所定のＩＣカード運用業務処理をＩＣカードアプリケーション情報管理サブシステムで行い、ＩＣカードサービス提供管理通信サブシステムにおいてＩＣカードアプリケーション情報管理サブシステムのＩＣカードアプリケーション管理情報を用いて、前記ＩＣカード発行管理システムと所定のＩＣカード運用業務を実現するための通信データを生成し、ＩＣカード発行管理システムからのＩＣカード運用業務に関する通信データを受信し、ＩＣカード発行管理システムへＩＣカード運用業務に関する通信データを送信し、前記ＩＣカードアプリケーション管理情報の一部としてカードＯＳの種類を有し、前記通信データの情報の一部としてカードＯＳの種類を有することを要旨とする。
【００６２】
また、請求項３４記載の本発明は、ＩＣカードを発行して管理するＩＣカード発行管理システムおよび該ＩＣカード発行管理システムにネットワークを介して接続され、該ＩＣカード発行管理システムから発行されるＩＣカードに対してアプリケーションを搭載することによりサービスの実行および管理を行うＩＣカードサービス提供管理システムを有するＩＣカード運用管理方法であって、前記ＩＣカード発行管理システムは、ＩＣカードに関連する所定のＩＣカード管理情報をＩＣカード管理データベースに登録管理し、所定のＩＣカード運用業務処理をＩＣカード情報管理サブシステムで行い、ＩＣカード発行管理通信サブシステムにおいてＩＣカード情報管理サブシステムのＩＣカード管理情報を用いて、前記ＩＣカードサービス提供管理システムと所定のＩＣカード運用業務を実現するための通信データを生成し、ＩＣカードサービス提供管理システムからのＩＣカード運用業務に関する通信データを受信し、ＩＣカードサービス提供管理システムへＩＣカード運用業務に関する通信データを送信し、前記所定のＩＣカード運用業務とは、ＩＣカードの紛失、盗難、その他の何らかの理由により利用を停止したいＩＣカードに関する問合せをＩＣカードサービス提供管理システムから受信するホットリスト問合せ業務であり、該ホットリスト問合せ業務においてＩＣカード発行管理通信サブシステムがＩＣカードサービス提供管理システムから受信するデータは、配信を希望するホットリストのバージョン情報を含んでおり、前記ＩＣカード情報管理サブシステムは、ＩＣカードサービス提供管理システムからの希望に応じたホットリストを作成するホットリスト作成手段と、ＩＣカードサービス提供管理システムへ前記ホットリストを送信するホットリスト送信手段とを有し、前記ＩＣカードサービス提供管理システムにおける前記所定のＩＣカード運用業務とは、ＩＣカードの紛失、盗難、その他の何らかの理由により利用を停止したいＩＣカードに関する問合せをＩＣカード発行管理システムへ行うホットリスト問合せ業務であり、該ホットリスト問合せ業務においてＩＣカードサービス提供管理通信サブシステムがＩＣカード発行管理システムへ送信するデータは、配信を希望するホットリストバージョン番号を含んでおり、ＩＣカードアプリケーション情報管理サブシステムは、ＩＣカード発行管理システムからホットリストを受信するホットリスト受信手段と、前記受信した情報に基づきＩＣカードアプリケーション管理データベースを更新するデータベース更新手段とを有し、前記ＩＣカード管理情報の一部としてカードＯＳの種類を有し、前記通信データの情報の一部としてカードＯＳの種類を有し、ＩＣカードサービス提供管理システムは、ＩＣカードに搭載するアプリケーションに関連する所定のＩＣカードアプリケーション管理情報をＩＣカードアプリケーション管理データベースに登録管理し、所定のＩＣカード運用業務処理をＩＣカードアプリケーション情報管理サブシステムで行い、ＩＣカードサービス提供管理通信サブシステムにおいてＩＣカードアプリケーション情報管理サブシステムのＩＣカードアプリケーション管理情報を用いて、前記ＩＣカード発行管理システムと所定のＩＣカード運用業務を実現するための通信データを生成し、ＩＣカード発行管理システムからのＩＣカード運用業務に関する通信データを受信し、ＩＣカード発行管理システムへＩＣカード運用業務に関する通信データを送信し、前記ＩＣカードアプリケーション管理情報の一部としてカードＯＳの種類を有し、前記通信データの情報の一部としてカードＯＳの種類を有することを要旨とする。
【００６７】
【発明の実施の形態】
以下、図面を用いて本発明の実施の形態を説明する。図１は、本発明の一実施形態に係るＩＣカード運用管理システムの構成を示すブロック図である。同図に示すＩＣカード運用管理システムは、ＩＣカード１９を発行して管理するＩＣカード発行管理システム１２および該ＩＣカード発行管理システム１２にネットワーク２０を介して接続され、該ＩＣカード発行管理システム１２から発行されるＩＣカード１９に対してアプリケーションを搭載することによりサービスの実行および管理を行うＩＣカード提供管理システム１１を有する。
【００６８】
ＩＣカード発行管理システム１２は、ＩＣカード１９に関連する所定のＩＣカード管理情報を管理するＩＣカード管理データベース１４と、所定のＩＣカード運用業務処理を行うＩＣカード情報管理サブシステム１６と、前記ＩＣカード情報管理サブシステムのＩＣカード管理情報を用いて、前記ＩＣカードサービス提供管理システムと所定のＩＣカード運用業務を実現するための通信データを生成する通信データ生成手段２１１、ＩＣカード提供管理システムからのＩＣカード運用業務に関する通信データを受信する通信データ受信手段２１２、およびＩＣカードサービス提供管理システムへＩＣカード運用業務に関する通信データを送信する通信データ送信手段２１３を備えるＩＣカード発行管理通信サブシステム２１とを有する。
【００６９】
また、ＩＣカードサービス提供管理システム１１は、ＩＣカード１９に搭載するアプリケーションに関連する所定のＩＣカードアプリケーション管理情報を管理するＩＣカードアプリケーション管理データベース１３と、所定のＩＣカード運用業務処理を行うＩＣカードアプリケーション情報管理サブシステム１５と、ＩＣカードアプリケーション情報管理サブシステム１５のＩＣカードアプリケーション管理情報を用いて、ＩＣカード発行管理システム１２と所定のＩＣカード運用業務を実現するための通信データを生成する通信データ生成手段２０１、ＩＣカード発行管理システムからのＩＣカード運用業務に関する通信データを受信する通信データ受信手段２０２、およびＩＣカード発行管理システムへＩＣカード運用業務に関する通信データを送信する通信データ送信手段２０３を備えたＩＣカードサービス提供管理通信サブシステム２０とを有する。
【００７０】
更に、ＩＣカード発行管理システム１２においては、ＩＣカード管理情報の一部としてＩＣカードの種別識別子を有し、通信データの情報の一部としてＩＣカードの種別識別子を有する。また、ＩＣカードサービス提供管理システム１１においては、ＩＣカードアプリケーション管理情報の一部としてＩＣカードの種別識別子を有し、通信データの情報の一部としてＩＣカードの種別識別子を有する。
【００７１】
また、ＩＣカード発行管理システム１２は、ネットワークを介してクライアントの外部端末１８に搭載されたＩＣカード１９に接続され、ＩＣカードサービス提供管理システム１１はネットワークを介してクライアントの外部端末に搭載されたＩＣカード１９に接続されるようになっている。
【００７２】
図１に示す本実施形態のＩＣカード運用管理システムは、本ＩＣカード運用管理システムが実行する各種業務をインターネットなどのネットワークを介してオンラインで遂行するための標準的な手段を提供し、カード発行者とサービス提供者のそれぞれのシステムが異なるベンダによるシステムである場合の相互接続性問題を解決するものであり、ＩＣカードを運用する業務と手段であるプロトコルの対応表を図２に示す。また、該プロトコルの引数にカードＯＳの種類を表すプラットフォームタイプデータを付与することにより、カード発行者とサービス提供者のそれぞれのシステムであるＩＣカード発行管理システムとＩＣカードサービス提供管理システムが複数種類のカードＯＳを運用管理する場合のシステム統合性の問題を解決することができる。なお、本実施形態では、プロトコルの記述にＣＯＲＢＡＩＤＬを使用しているが、本発明はこの記述方法に限定されるものでなく、他の記述方法を利用してもよいものである。
【００７３】
まず、全プロトコルに共通な引数であるｈｅａｄｅｒについて説明する。図３は、全プロトコルに共通な引数ｈｅａｄｅｒの内容を示すものである。ｍｅｓｓａｇｅ＿ＩＤは、プロトコルの電文としての通し番号で、全業務毎に付与することも可能である。ｔｒａｍｓｍｉｔｔｅｒ＿ＩＤは送信元のＩＤ、ｒｅｃｅｉｖｅｒ＿ＩＤは受信先のＩＤである。これらは、サービス提供者とカード発行者がお互いの契約によって規定してもよいし、サービス提供者、カード発行者以外の信頼のおける第三者機関が一意に付与してもよい。ｐｒｏｔｏｃｏｌ＿ＩＤは該プロトコルのＩＤである。また、ｐｒｏｔｏｃｏｌ＿ｖｅｒは該プロトコルのバージョンである。ｐｒｏｔｏｃｏｌ＿ＩＤ、ｐｒｏｔｏｃｏｌ＿ｖｅｒは相互接続性問題を解決するためには重要なデータ項目である。
【００７４】
次に、図１に示す実施形態のＩＣカード運用管理システムが実施する各業務毎に詳細に説明する。
【００７５】
まず始めに、アプリケーション登録業務について説明する。図４は、アプリケーション登録業務のシーケンス図である。このシーケンス図を参照して、アプリケーション登録業務について説明する。
【００７６】
ＡＰ登録業務にはプロトコルが２つ用意されている。これは、カード発行者のＡＰ登録の審査に時間がかかる場合が想定されるためである。すなわち、カード発行者４２が正常にプロトコル（４０１）を受信した後、一度セッションが切断される。すると、カード発行者４２のＡＰ登録に対する審査が終了したのちに、プロトコル（４０２）がカード発行者４２からサービス提供者４１へ送信され、ＡＰ登録の可否が通知される。
【００７７】
プロトコル（４０１）の引数ａｐ＿ｒｅｇｉｓｔ＿ｆｏｒｍｓは、登録を希望するアプリケーションの属性情報を要素にもった配列である。１つの配列要素で１つのＡＰ登録の依頼が可能なので、一度のコマンド送信で複数のＡＰ登録が可能である。
【００７８】
図５にアプリケーションの属性情報を示す。ＯｒｄｅｒＮｏはＡＰ登録業務の申込み番号である。これはサービス提供者が運用管理する。ＰｌａｔｆｏｒｍＴｙｐｅは、ＡＰが動作可能なカードＯＳの種類を表す。このデータ項目により、カード発行者、サービス提供者は、登録依頼されたＡＰが動作可能なカードＯＳを知ることが可能なので、システム統合性の問題が解決可能である。ＰａｌｔｆｏｒｍＶｅｒはプラットフォームのバージョンである。Ａｉｄは、ＡＰ識別子である。ＩＳＯ／ＩＥＣ７８１６−５などで番号体系や登録手順などが規定されているので、これを用いてもよい。Ｈａｓｈはアプリケーションのハッシュ値である。ＡｐＮａｍｅはアプリケーションの名称である。ＡｐＶｅｒはアプリケーションのバージョンである。ＡｐＳｉｚｅはアプリケーションのサイズであり、Ａｐはアプリケーションの実体そのものである。
【００７９】
プロトコル（４０２）の引数ａｐ＿ｒｅｇｉｓｔ＿ｒｅｓｕｌｔｓは、アプリケーション登録の結果などを要素にもった配列である。図６に引数ａｐ＿ｒｅｇｉｓｔ＿ｒｅｓｕｌｔｓのデータ項目を示す。ＯｒｄｅｒＮｏはＡＰ登録業務の申込み番号である。また、ＡｃｃｅｐｔａｎｃｅＮｏは、ＡＰ登録業務の受付番号である。ＯｒｄｅｒＮｏはサービス提供者が、ＡｃｃｅｐｔａｎｃｅＮｏはカード発行者が管理運営する。データ項目に含まれるＯｒｄｅｒＮｏを参照することにより、サービス提供者は自身のＡＰ登録に対するカード発行者の審査結果を知る事ができる。ＰｌａｔｆｏｒｍＴｙｐｅは、ＡＰが動作可能なカードＯＳの種類を表す。このデータ項目により、カード発行者、サービス提供者のシステム統合性の問題が解決されることは前記したとおりである。Ａｉｄ、ＡｐＮａｍｅ、ＡｐＶｅｒの内容は、前記したＡｉｄ、ＡｐＮａｍｅ、ＡｐＶｅｒの内容と同様である。ＲｅｓｕｌｔはＡＰ登録の審査結果である。登録依頼をしているＡＰの動作、属性などがカード発行者の審査に合格したならば、カード発行者はＡＰ登録受理を、そうでなければＡＰ登録拒否を通知する。ＲｅａｓｏｎはＡＰ登録の審査結果の理由である。
【００８０】
次に、上記シーケンスにおける各プレーヤ毎の動作を図７、図８、図１０を用いて説明する。なお、図９は、図１に示されるＩＣカードアプリケーション情報管理サブシステム１５に実装されているＡＰ登録申請を実施するアプリケーション登録申請手段９１を示している。また、図１１は、図１に示されるＩＣカード情報管理サブシステム１６に実装されているＡＰ登録を実施するアプリケーション登録手段１１１を示している。
【００８１】
まず、図７、図８を参照して、ＡＰ登録業務におけるサービス提供者のＡＰ登録申請手段９１の動作について説明する。
【００８２】
ＡＰ登録申請手段９１がＡＰ登録申請に必要な情報をＩＣカードアプリケーション管理データベース１３より収集した後（ステップＳ７０１）、該ＡＰ登録情報をＡＰ登録手段１１１に送信する（ステップＳ７０２）。すると、ＡＰ登録手段１１１よりＡＰ登録情報を受理したことが通知されるので、ＡＰ登録申請手段９１は該情報を受理したのち、処理を一度終了する。すると、カード発行者のＡＰ登録に対する審査が終了したのち、ＡＰ登録手段１１１から、ＡＰ登録審査結果が通知されるので、ＡＰ登録申請手段９１は該審査結果を受理する（ステップＳ８０１）。該審査結果をＤＢに登録する必要があれば、ＡＰ登録審査結果をＤＢに登録する（ステップＳ８０２，Ｓ８０３）。必要がなければ処理を終了する。
【００８３】
次に、図１０を参照して、ＡＰ登録業務におけるカード発行者のＡＰ登録手段１１１の動作について説明する。
【００８４】
ＡＰ登録手段１１１は、ＡＰ登録申請手段９１よりＡＰ登録情報を受信する（ステップＳ１００１）。すると、ＡＰ登録手段１１１は、ＡＰ登録情報を受理したことをＡＰ登録申請手段９１に通知する（ステップＳ１００２）。次に、ＡＰ登録登録手段１１１はＡＰ登録情報がカード発行者の審査規準を満たしているか審査する（ステップＳ１００３）。審査に合格ならば、該ＡＰ登録が審査に合格したことをＡＰ登録申請手段９１に通知する（ステップＳ１００４）。審査に不合格ならば、該ＡＰ登録が審査に不合格であることをＡＰ登録申請手段９１に通知する（ステップＳ１００５）。最後に、該審査結果をＤＢに登録する必要がある場合には、該審査結果をＤＢに登録する（ステップＳ１００６，Ｓ１００７）。
【００８５】
次に、アプリケーション登録取り消し業務について図１３−図１５を参照して説明する。
【００８６】
アプリケーション登録取り消し業務のうち、ＩＣカード発行管理システムにおけるアプリケーション登録取り消し業務とは、アプリケーション登録業務で登録要求されたアプリケーションを登録終了前に取り消しすることをＩＣカードサービス提供管理システムから要求されるアプリケーション登録取り消し業務であり、該アプリケーション登録取り消し業務においてＩＣカード発行管理通信サブシステムがＩＣカードサービス提供管理システムから受信するデータは、登録取り消しを希望するアプリケーションの属性情報を含んでおり、前記アプリケーション登録取り消し業務においてＩＣカード発行管理通信サブシステムがＩＣカードサービス提供管理システムへ送信するデータは、アプリケーション登録取り消しの結果を含んでいる。
【００８７】
また、アプリケーション登録取り消し業務を行うために、ＩＣカード情報管理サブシステム１６は、受信した情報を基に所定のプラットフォームのアプリケーションの登録を取り消すアプリケーション登録取り消し手段と、アプリケーション登録取り消し処理終了後、必要により登録取り消しに関する情報をＩＣカード管理データベースに登録するデータベース登録手段とを有する。
【００８８】
また、アプリケーション登録取り消し業務のうち、ＩＣカードサービス提供管理システムにおけるアプリケーション登録取り消しとは、アプリケーション登録業務で登録要求したアプリケーションを登録終了前に取り消しすることをＩＣカード発行管理システムに要求するアプリケーション登録取り消し業務であり、該アプリケーション登録取り消し業務においてＩＣカードサービス提供管理通信サブシステムがＩＣカード発行管理システムへ送信するデータは、登録取り消しを希望するアプリケーションの属性情報を含んでおり、アプリケーション登録取り消し業務においてＩＣカードサービス提供管理通信サブシステムがＩＣカード発行管理システムから受信するデータは、アプリケーション登録取り消しの結果を含んでいる。
【００８９】
また、アプリケーション登録取り消し業務を行うために、ＩＣカードアプリケーション情報管理サブシステムは、アプリケーション登録取り消しを希望するアプリケーションの属性情報を取得するアプリケーション属性情報取得手段と、前記受信した情報を必要によりＩＣカードアプリケーション管理データベースに登録するデータベース登録手段とを有する。
【００９０】
このように構成されるＩＣカード運用管理システムにおいて、ＩＣカード発行管理システムは、アプリケーション登録業務で登録要求されたアプリケーションを登録終了前に取り消しすることをＩＣカードサービス提供管理システムから要求されるアプリケーション登録取り消し業務を行うにあたり、ＩＣカード発行管理システムのＩＣカード発行管理通信サブシステムがＩＣカードサービス提供管理システムから登録取り消しを希望するアプリケーションの属性情報を含むデータを受信してアプリケーションの登録取り消しを行い、アプリケーション登録取り消し処理終了後、必要により登録取り消しに関する情報をＩＣカード管理データベースに登録するとともに、アプリケーション登録取り消しの結果を含むデータをＩＣカードサービス提供管理システムに送信する。
【００９１】
また、ＩＣカードサービス提供管理システムは、アプリケーション登録業務で登録要求したアプリケーションを登録終了前に取り消しすることをＩＣカード発行管理システムに要求するアプリケーション登録取り消し業務を行うにあたり、ＩＣカードサービス提供管理システムのＩＣカードアプリケーション情報管理サブシステムは登録取り消しを希望するアプリケーションの属性情報を取得し、この登録取り消し希望アプリケーションの属性情報を含むデータをＩＣカード発行管理システムに送信し、ＩＣカード発行管理システムからアプリケーション登録取り消しの結果を含むデータを受信し、この受信した情報を必要によりＩＣカードアプリケーション管理データベースに登録する。
【００９２】
次に、アプリケーション登録バッチ取り消し業務について図１６−図１８を参照して説明する。
【００９３】
アプリケーション登録バッチ取り消し業務のうち、ＩＣカード発行管理システムにおける業務とは、アプリケーション登録業務で登録要求された際の受信メッセージに記載されたすべてのアプリケーションを登録終了前にまとめて取り消しすることをＩＣカードサービス提供管理システムから要求されるアプリケーション登録バッチ取り消し業務であり、該アプリケーション登録バッチ取り消し業務においてＩＣカード発行管理通信サブシステムがＩＣカードサービス提供管理システムから受信するデータは、アプリケーション登録要求を受信した際のメッセージ属性情報を含んでおり、アプリケーション登録バッチ取り消し業務においてＩＣカード発行管理通信サブシステムがＩＣカードサービス提供管理システムへ送信するデータは、アプリケーション登録バッチ取り消しの結果を含んでいる。
【００９４】
また、当該業務を行うために、ＩＣカード情報管理サブシステムは、受信した情報を基に所定のプラットフォームのアプリケーションの登録を取り消すアプリケーション登録取り消し手段と、アプリケーション登録取り消し処理終了後、必要により登録バッチ取り消しに関する情報をＩＣカード管理データベースに登録するデータベース登録手段とを有する。
【００９５】
また、ＩＣカードサービス提供管理システムにおけるアプリケーション登録バッチ取り消し業務とは、アプリケーション登録業務で登録要求した際の送信メッセージに記載されたすべてのアプリケーションを登録終了前にまとめて取り消しすることをＩＣカード発行管理システムに要求するアプリケーション登録バッチ取り消し業務であり、該アプリケーション登録バッチ取り消し業務においてＩＣカードサービス提供管理通信サブシステムがＩＣカード発行管理システムへ送信するデータは、アプリケーション登録要求を送信した際のメッセージ属性情報を含んでおり、アプリケーション登録バッチ取り消し業務においてＩＣカードサービス提供管理通信サブシステムがＩＣカード発行管理システムから受信するデータは、アプリケーション登録バッチ取り消しの結果を含んでいる。
【００９６】
また、当該業務を行うために、ＩＣカードアプリケーション情報管理サブシステムは、アプリケーション登録取り消しを希望するアプリケーションの属性情報を取得するアプリケーション属性情報取得手段と、受信した情報を必要によりＩＣカードアプリケーション管理データベースに登録するデータベース登録手段とを有する。
【００９７】
以上のように構成されるＩＣカード運用管理システムにおいて、ＩＣカード発行管理システムは、アプリケーション登録業務で登録要求された際の受信メッセージに記載されたすべてのアプリケーションを登録終了前にまとめて取り消しすることをＩＣカードサービス提供管理システムから要求されるアプリケーション登録バッチ取り消し業務を行うにあたり、ＩＣカード発行管理システムのＩＣカード発行管理通信サブシステムがＩＣカードサービス提供管理システムからアプリケーション登録要求を受信した際のメッセージ属性情報を含むデータを受信してアプリケーションの登録バッチ取り消しを行い、アプリケーション登録バッチ取り消し処理終了後、必要により登録バッチ取り消しに関する情報をＩＣカード管理データベースに登録するとともに、アプリケーション登録バッチ取り消しの結果を含むデータをＩＣカードサービス提供管理システムに送信する。
【００９８】
また、ＩＣカードサービス提供管理システムは、アプリケーション登録業務で登録要求した際の送信メッセージに記載されたすべてのアプリケーションを登録終了前にまとめて取り消しすることをＩＣカード発行管理システムに要求するアプリケーション登録取り消し業務を行うにあたり、ＩＣカードサービス提供管理システムのＩＣカードアプリケーション情報管理サブシステムはアプリケーション登録要求を送信した際のメッセージ属性情報を含むデータをＩＣカード発行管理システムに送信し、ＩＣカード発行管理システムからアプリケーション登録バッチ取り消しの結果を含むデータを受信し、この受信した情報を必要によりＩＣカードアプリケーション管理データベースに登録する。
【００９９】
次に、アプリケーション登録問合せ業務について図１９−図２１を参照して説明する。
【０１００】
アプリケーション登録問合せ業務のうち、ＩＣカード発行管理システムにおける業務とは、アプリケーション登録業務で登録要求されたアプリケーションに関する問合せをＩＣカードサービス提供管理システムから要求されるアプリケーション登録問合せ業務であり、該アプリケーション登録問合せ業務においてＩＣカード発行管理通信サブシステムがＩＣカードサービス提供管理システムから受信するデータは、登録問合せを希望するアプリケーションの属性情報を含んでおり、前記アプリケーション登録問合せ業務においてＩＣカード発行管理通信サブシステムがＩＣカードサービス提供管理システムへ送信するデータは、アプリケーション登録問合せの結果を含んでいる。
【０１０１】
また、ＩＣカード情報管理サブシステムは、受信した情報を基に所定のプラットフォームのアプリケーション登録情報を照会する照会手段と、アプリケーション登録問合せ処理終了後、必要により登録問合せに関する情報をＩＣカード管理データベースに登録するデータベース登録手段とを有する。
【０１０２】
また、ＩＣカードサービス提供管理システムにおけるアプリケーション登録問合せ業務とは、アプリケーション登録業務で登録要求したアプリケーションに関する問合せをＩＣカード発行管理システムに要求するアプリケーション登録問合せ業務であり、該アプリケーション登録問合せ業務においてＩＣカードサービス提供管理通信サブシステムがＩＣカード発行管理システムへ送信するデータは、登録問合せを希望するアプリケーションの属性情報を含んでおり、前記アプリケーション登録業務においてＩＣカードサービス提供管理通信サブシステムがＩＣカード発行管理システムから受信するデータは、アプリケーション登録問合せの結果を含んでいる。
【０１０３】
また、ＩＣカードアプリケーション情報管理サブシステムは、登録問合せを希望するアプリケーションの属性情報を取得する属性情報取得手段と、前記受信した情報を必要によりＩＣカードアプリケーション管理データベースに登録するデータベース登録手段とを有する。
【０１０４】
以上のように構成されるＩＣカード運用管理システムにおいて、ＩＣカード発行管理システムは、アプリケーション登録業務で登録要求されたアプリケーションに関する問合せをＩＣカードサービス提供管理システムから要求されるアプリケーション登録問合せ業務を行うにあたり、ＩＣカード発行管理通信サブシステムがＩＣカードサービス提供管理システムから登録問合せを希望するアプリケーションの属性情報を含むデータは受信し、アプリケーション登録問合せ処理を行い、アプリケーション登録問合せ処理終了後、必要により登録問合せに関する情報をＩＣカード管理データベースに登録するとともに、アプリケーション登録問合せの結果を含むデータをＩＣカードサービス提供管理システムに送信する。
【０１０５】
また、ＩＣカードサービス提供管理システムは、アプリケーション登録業務で登録要求したアプリケーションに関する問合せをＩＣカード発行管理システムに要求するアプリケーション登録問合せ業務を行うにあたり、ＩＣカードサービス提供管理通信サブシステムがＩＣカード発行管理システムに対して登録問合せを希望するアプリケーションの属性情報を含むデータを送信し、ＩＣカード発行管理システムからアプリケーション登録問合せの結果を含むデータを受信し、この受信した情報を必要によりＩＣカードアプリケーション管理データベースに登録する。
【０１０６】
次に、アプリケーション登録バッチ問合せ業務について図２２−図２４を参照して説明する。
【０１０７】
ＩＣカード発行管理システムにおけるアプリケーション登録バージョン問合せ業務とは、アプリケーション登録業務で登録要求された際の受信メッセージに記載されたすべてのアプリケーションに関してまとめて問合せすることをＩＣカードサービス提供管理システムから要求されるアプリケーション登録バッチ問合せ業務であり、該アプリケーション登録バッチ問合せ業務においてＩＣカード発行管理通信サブシステムがＩＣカードサービス提供管理システムから受信するデータは、アプリケーション登録要求を受信した際のメッセージ属性情報を含んでおり、前記アプリケーション登録バッチ問合せ業務においてＩＣカード発行管理通信サブシステムがＩＣカードサービス提供管理システムへ送信するデータは、アプリケーション登録バッチ問合せの結果を含んでいる。
【０１０８】
また、ＩＣカード情報管理サブシステムは、受信した情報を基に所定のプラットフォームのアプリケーション登録情報を照会する照会手段と、アプリケーション登録バッチ問合せ処理終了後、必要により登録バッチ問合せに関する情報をＩＣカード管理データベースに登録するデータベース登録手段とを有し、前記ＩＣカードサービス提供管理システムにおける前記所定のＩＣカード運用業務とは、アプリケーション登録業務で登録要求した際の送信メッセージに記載されたすべてのアプリケーションに関してまとめて問合せすることをＩＣカード発行管理システムに要求するアプリケーション登録バッチ問合せ業務であり、該アプリケーション登録バッチ問合せ業務においてＩＣカードサービス提供管理通信サブシステムがＩＣカード発行管理システムへ送信するデータは、アプリケーション登録要求を送信した際のメッセージ属性情報を含んでおり、アプリケーション登録バッチ問合せ業務においてＩＣカードサービス提供管理通信サブシステムがＩＣカード発行管理システムから受信するデータは、アプリケーション登録バッチ問合せの結果を含んでいる。
【０１０９】
また、ＩＣカードアプリケーション情報管理サブシステムは、登録問合せを希望するアプリケーションの属性情報を取得する属性情報取得手段と、前記受信した情報を必要によりＩＣカードアプリケーション管理データベースに登録するデータベース登録手段とを有する。
【０１１０】
以上のように構成されるＩＣカード運用管理システムにおいて、ＩＣカード発行管理システムは、アプリケーション登録業務で登録要求された際の受信メッセージに記載されたすべてのアプリケーションに関してまとめて問合せすることをＩＣカードサービス提供管理システムから要求されるアプリケーション登録バッチ問合せ業務を行うにあたり、ＩＣカード発行管理通信サブシステムがアプリケーション登録要求を受信した際のメッセージ属性情報を含むデータを受信し、アプリケーション登録バッチ問合せ処理を行い、アプリケーション登録バッチ問合せ処理終了後、必要により登録バッチ問合せに関する情報をＩＣカード管理データベースに登録するとともに、アプリケーション登録バッチ問合せの結果を含むデータをＩＣカードサービス提供管理システムに送信する。
【０１１１】
また、ＩＣカードサービス提供管理システムは、アプリケーション登録業務で登録要求した際の送信メッセージに記載されたすべてのアプリケーションに関してまとめて問合せすることをＩＣカード発行管理システムに要求するアプリケーション登録バッチ問合せ業務を行うにあたり、アプリケーション登録要求を送信した際のメッセージ属性情報を含むデータをＩＣカード発行管理システムに送信し、ＩＣカード発行管理システムからアプリケーション登録バッチ問合せの結果を含むデータを受信し、この受信した情報を必要によりＩＣカードアプリケーション管理データベースに登録する。
【０１１２】
次に、アプリケーション登録抹消業務について図２５−図２７を参照して説明する。
【０１１３】
ＩＣカード発行管理システムにおけるアプリケーション登録抹消業務とは、アプリケーション登録業務により既に登録済みのアプリケーションに対して登録抹消をＩＣカードサービス提供管理システムから要求されるアプリケーション登録抹消業務であり、該アプリケーション登録抹消業務においてＩＣカード発行管理通信サブシステムがＩＣカードサービス提供管理システムから受信するデータは、登録抹消を希望するアプリケーションの属性情報を含んでおり、前記アプリケーション登録問合せ業務においてＩＣカード発行管理通信サブシステムがＩＣカードサービス提供管理システムへ送信するデータは、アプリケーション登録抹消の結果を含んでいる。
【０１１４】
また、ＩＣカード情報管理サブシステムは、前記受信した情報を基に所定のプラットフォームのアプリケーション登録抹消処理を制御する抹消制御手段と、アプリケーション登録抹消処理終了後、必要により登録抹消に関する情報をＩＣカード管理データベースに登録するデータベース登録手段とを有する。
【０１１５】
更に、ＩＣカードサービス提供管理システムにおけるアプリケーション登録抹消業務とは、アプリケーション登録業務で登録要求したアプリケーションを登録抹消することをＩＣカード発行管理システムに要求するアプリケーション登録抹消業務であり、該アプリケーション登録抹消業務においてＩＣカードサービス提供管理通信サブシステムがＩＣカード発行管理システムへ送信するデータは、登録抹消を希望するアプリケーションの属性情報を含んでおり、アプリケーション登録抹消業務においてＩＣカードサービス提供管理通信サブシステムがＩＣカード発行管理システムから受信するデータは、アプリケーション登録抹消の結果を含んでいる。
【０１１６】
また、ＩＣカードアプリケーション情報管理サブシステムは、登録抹消を希望するアプリケーションに関する情報を取得する情報取得手段と、前記受信した情報を必要によりＩＣカードアプリケーション管理データベースに登録するデータベース登録手段とを有する。
【０１１７】
以上のように構成されるＩＣカード運用管理システムにおいて、ＩＣカード発行管理システムは、アプリケーション登録業務により既に登録済みのアプリケーションに対して登録抹消をＩＣカードサービス提供管理システムから要求されるアプリケーション登録抹消業務を行うにあたり、ＩＣカード発行管理通信サブシステムがＩＣカードサービス提供管理システムから登録抹消を希望するアプリケーションの属性情報を含むデータを受信し、この受信した情報を基に所定のプラットフォームのアプリケーション登録抹消処理を行い、アプリケーション登録抹消処理終了後、必要により登録抹消に関する情報をＩＣカード管理データベースに登録するとともに、アプリケーション登録抹消の結果を含むデータをＩＣカードサービス提供管理システムに送信する。
【０１１８】
また、ＩＣカードサービス提供管理システムは、アプリケーション登録業務で登録要求したアプリケーションを登録抹消することをＩＣカード発行管理システムに要求するアプリケーション登録抹消業務を行うにあたり、ＩＣカードサービス提供管理通信サブシステムがＩＣカード発行管理システムへ登録抹消を希望するアプリケーションの属性情報を含むデータを送信し、ＩＣカード発行管理システムからアプリケーション登録抹消の結果を含むデータを受信し、この受信した情報を必要によりＩＣカードアプリケーション管理データベースに登録する。
【０１１９】
次に、許可書発行業務について図２８−図３２を参照して説明する。
【０１２０】
ＩＣカード発行管理システムにおける許可書発行業務とは、ＩＣカードにアプリケーションを搭載する際に必要とされるアプリケーションの搭載許可をＩＣカードサービス提供管理システムから要求される許可書発行業務であり、該許可書発行業務においてＩＣカード発行管理通信サブシステムがＩＣカードサービス提供管理システムから受信するデータは、許可書発行を希望するＩＣカードの属性情報および該ＩＣカードへの搭載を希望するアプリケーションの属性情報を含んでおり、前記許可書発行業務においてＩＣカード発行管理通信サブシステムがＩＣカードサービス提供管理システムへ送信するデータは、許可書発行の結果を含んでいる。
【０１２１】
また、ＩＣカード情報管理サブシステムは、許可書を発行する許可書発行手段と、前記受信した情報を基に所定の許可書発行処理を制御する制御手段と、許可書発行処理終了後、必要により許可書を発行するＩＣカードに関する情報をＩＣカード管理データベースに登録するデータベース登録手段とを有する。
【０１２２】
一方、ＩＣカードサービス提供管理システムにおける許可書発行業務とは、ＩＣカードにアプリケーションを搭載する際に必要となるアプリケーション搭載許可書をＩＣカード発行管理システムに要求する許可書発行業務であり、該許可書発行業務においてＩＣカードサービス提供管理通信サブシステムがＩＣカード発行管理システムへ送信するデータは、許可書発行を希望するＩＣカードの属性情報および該ＩＣカードへの搭載を希望するアプリケーションの属性情報を含んでおり、前記許可書発行業務においてＩＣカードサービス提供管理通信サブシステムがＩＣカード発行管理システムから受信するデータは、許可書発行の結果を含んでいる。
【０１２３】
また、ＩＣカードアプリケーション情報管理サブシステムは、許可書発行要求に必要な情報を取得する情報取得手段と、前記受信した情報を必要によりＩＣカードアプリケーション管理データベースに登録するデータベース登録手段とを有する。
【０１２４】
以上のように構成されるＩＣカード運用管理システムにおいて、ＩＣカード発行管理システムは、ＩＣカードにアプリケーションを搭載する際に必要とされるアプリケーションの搭載許可をＩＣカードサービス提供管理システムから要求される許可書発行業務を行うにあたり、ＩＣカード発行管理通信サブシステムがＩＣカードサービス提供管理システムから許可書発行を希望するＩＣカードの属性情報および該ＩＣカードへの搭載を希望するアプリケーションの属性情報を含むデータを受信し、この受信した情報を基に所定の許可書発行処理を行い、許可書発行処理終了後、必要により許可書を発行するＩＣカードに関する情報をＩＣカード管理データベースに登録するとともに、ＩＣカードサービス提供管理システムに許可書発行の結果を含むデータを送信する。
【０１２５】
また、ＩＣカードサービス提供管理システムは、ＩＣカードにアプリケーションを搭載する際に必要となるアプリケーション搭載許可書をＩＣカード発行管理システムに要求する許可書発行業務を行うにあたり、ＩＣカードサービス提供管理通信サブシステムがＩＣカード発行管理システムへ許可書発行を希望するＩＣカードの属性情報および該ＩＣカードへの搭載を希望するアプリケーションの属性情報を含むデータを送信し、ＩＣカード発行管理システムから許可書発行の結果を含むデータを受信し、この受信した情報を必要によりＩＣカードアプリケーション管理データベースに登録する。
【０１２６】
次に、許可書発行取り消し業務について図３３−図３５を参照して説明する。
【０１２７】
ＩＣカード発行管理システムにおける許可書発行取り消し業務とは、許可書発行業務で発行要求された許可書を発行処理終了前に取り消しすることをＩＣカードサービス提供管理システムから要求される許可書発行取り消し業務であり、該許可書発行取り消し業務においてＩＣカード発行管理通信サブシステムがＩＣカードサービス提供管理システムから受信するデータは、許可書発行対象であるＩＣカードの属性情報および該ＩＣカードへの搭載対象アプリケーション属性情報を含んでおり、前記許可書発行取り消し業務においてＩＣカード発行管理通信サブシステムがＩＣカードサービス提供管理システムへ送信するデータは、許可書発行取り消しの結果を含んでいる。
【０１２８】
ＩＣカード情報管理サブシステムは、前記受信した情報を基に所定の許可書発行を取り消す許可書発行取り消し手段と、許可書発行取り消し処理終了後、必要により許可書発行取り消しに関する情報をＩＣカード管理データベースに登録するデータベース登録手段とを有する。
【０１２９】
一方、ＩＣカードサービス提供管理システムにおける許可書発行取り消し業務とは、許可書発行業務で発行要求した許可書を発行処理終了前に取り消すことをＩＣカード発行管理システムに要求する許可書発行取り消し業務であり、該許可書発行取り消し業務においてＩＣカードサービス提供管理通信サブシステムがＩＣカード発行管理システムへ送信するデータは、許可書発行を取り消しを希望するＩＣカード属性情報および該ＩＣカードへの搭載対象アプリケーションの属性情報を含んでおり、前記許可書発行取り消し業務においてＩＣカードサービス提供管理通信サブシステムがＩＣカード発行管理システムから受信するデータは、許可書発行取り消しの結果を含んでいる。
【０１３０】
ＩＣカードアプリケーション情報管理サブシステムは、許可書発行取り消しを要求するＩＣカードの属性情報および該ＩＣカードへの搭載対象アプリケーションの属性情報を取得する属性情報取得手段と、前記受信した情報を必要によりＩＣカードアプリケーション管理データベースに登録するデータベース登録手段とを有する。
【０１３１】
以上のように構成されるＩＣカード運用管理システムにおいて、ＩＣカード発行管理システムは、許可書発行業務で発行要求された許可書を発行処理終了前に取り消しすることをＩＣカードサービス提供管理システムから要求される許可書発行取り消し業務を行うにあたり、ＩＣカード発行管理通信サブシステムがＩＣカードサービス提供管理システムから許可書発行対象であるＩＣカードの属性情報および該ＩＣカードへの搭載対象アプリケーションの属性情報を含むデータを受信し、この受信した情報を基に所定の許可書発行を取り消し、許可書発行取り消し処理終了後、必要により許可書発行取り消しに関する情報をＩＣカード管理データベースに登録するとともに、許可書発行取り消しの結果を含むデータをＩＣカードサービス提供管理システムに送信する。
【０１３２】
また、ＩＣカードサービス提供管理システムは、許可書発行業務で発行要求した許可書を発行処理終了前に取り消すことをＩＣカード発行管理システムに要求する許可書発行取り消し業務を行うにあたり、ＩＣカードサービス提供管理通信サブシステムがＩＣカード発行管理システムへ許可書発行取り消しを希望するＩＣカードの属性情報および該ＩＣカードへの搭載対象アプリケーションの属性情報を含むデータを送信し、ＩＣカード発行管理システムから許可書発行取り消しの結果を含むデータを受信し、この受信した情報を必要によりＩＣカードアプリケーション管理データベースに登録する。
【０１３３】
次に、許可書発行バッチ取り消し業務について図３６−図３８を参照して説明する。
【０１３４】
ＩＣカード発行管理システムにおける許可書発行バッチ取り消し業務とは、許可書発行業務で発行要求された受信メッセージに記載されたすべての許可書を発行処理終了前にまとめて取り消しすることをＩＣカードサービス提供管理システムから要求される許可書発行バッチ取り消し業務であり、該許可書発行バッチ取り消し業務においてＩＣカード発行管理通信サブシステムがＩＣカードサービス提供管理システムから受信するデータは、許可書発行要求を受信した際のメッセージ属性情報を含んでおり、前記許可書発行バッチ取り消し業務においてＩＣカード発行管理通信サブシステムがＩＣカードサービス提供管理システムへ送信するデータは、許可書発行バッチ取り消しの結果を含んでいる。
【０１３５】
また、ＩＣカード情報管理サブシステムは、前記受信した情報を基に所定の許可書発行を取り消す許可書発行取り消し手段と、許可書発行取り消し処理終了後、必要により許可書発行バッチ取り消しに関する情報をＩＣカード管理データベースに登録するデータベース登録手段とを有する。
【０１３６】
一方、ＩＣカードサービス提供管理システムにおける許可書発行バッチ取り消し業務とは、許可書発行業務で発行要求した際の送信メッセージに記載されたすべての許可書を発行処理終了前に取り消すことをＩＣカード発行管理システムに要求する許可書発行バッチ取り消し業務であり、該許可書発行バッチ取り消し業務においてＩＣカードサービス提供管理通信サブシステムがＩＣカード発行管理システムへ送信するデータは、許可書発行要求を送信した際のメッセージ属性情報を含んでおり、前記許可書発行バッチ取り消し業務においてＩＣカードサービス提供管理通信サブシステムがＩＣカード発行管理システムから受信するデータは、許可書発行バッチ取り消しの結果を含んでいる。
【０１３７】
ＩＣカードアプリケーション情報管理サブシステムは、許可書発行取り消しを要求するＩＣカードの属性情報および該ＩＣカードへの搭載対象アプリケーションの属性情報を取得する属性情報取得手段と、前記受信した情報を必要によりＩＣカードアプリケーション管理データベースに登録するデータベース登録手段とを有する。
【０１３８】
以上のように構成されるＩＣカード運用管理システムにおいて、ＩＣカード発行管理システムは、許可書発行業務で発行要求された受信メッセージに記載されたすべての許可書を発行処理終了前にまとめて取り消しすることをＩＣカードサービス提供管理システムから要求される許可書発行バッチ取り消し業務を行うにあたり、ＩＣカード発行管理通信サブシステムがＩＣカードサービス提供管理システムから許可書発行要求を受信した際のメッセージ属性情報を含むデータを受信し、この受信した情報を基に所定の許可書発行を取り消し、許可書発行取り消し処理終了後、必要により許可書発行バッチ取り消し関する情報をＩＣカード管理データベースに登録するとともに、許可書発行バッチ取り消しの結果を含むデータをＩＣカードサービス提供管理システムに送信する。
【０１３９】
また、ＩＣカードサービス提供管理システムは、許可書発行業務で発行要求した際の送信メッセージに記載されたすべての許可書を発行処理終了前に取り消すことをＩＣカード発行管理システムへ要求する許可書発行バッチ取り消し業務を行うにあたり、ＩＣカードサービス提供管理通信サブシステムがＩＣカード発行管理システムへ許可書発行要求を送信した際のメッセージ属性情報を含むデータを送信し、ＩＣカード発行管理システムから許可書発行バッチ取り消しの結果を含むデータを受信し、この受信した情報を必要によりＩＣカードアプリケーション管理データベースに登録する。
【０１４０】
次に、許可書発行問合せ業務について図３９−図４１を参照して説明する。
【０１４１】
ＩＣカード発行管理システムにおける許可書発行問合せ業務とは、許可書発行業務で登録要求された許可書に関する問合せをＩＣカードサービス提供管理システムから要求される許可書発行問合せ業務であり、該許可書発行問合せ業務においてＩＣカード発行管理通信サブシステムがＩＣカードサービス提供管理システムから受信するデータは、許可書発行問合せを希望するＩＣカードの属性情報および該ＩＣカードへの搭載対象アプリケーションの属性情報を含んでおり、許可書発行問合せ業務においてＩＣカード発行管理通信サブシステムがＩＣカードサービス提供管理システムへ送信するデータは、許可書発行問合せの結果を含んでいる。
【０１４２】
ＩＣカード情報管理サブシステムは、前記受信した情報を基に所定の許可書発行に関する情報を照会する照会手段と、許可書発行問合せ処理終了後、必要により許可書発行問合せに関する情報をＩＣカード管理データベースに登録するデータベース登録手段とを有する。
【０１４３】
一方、ＩＣカードサービス提供管理システムにおける許可書発行問合せ業務とは、許可書発行業務で登録要求した許可書に関する問合せをＩＣカード発行管理システムに要求する許可書発行問合せ業務であり、該許可書発行問合せ業務においてＩＣカードサービス提供管理通信サブシステムがＩＣカード発行管理システムへ送信するデータは、許可書発行問合せを希望するＩＣカードの属性情報および該ＩＣカードへの搭載対象アプリケーションの属性情報を含んでおり、前記許可書発行問合せ業務においてＩＣカードサービス提供管理通信サブシステムがＩＣカード発行管理システムから受信するデータは、許可書発行問合せの結果を含んでいる。
【０１４４】
ＩＣカードアプリケーション情報管理サブシステムは、許可書発行問合せを希望するＩＣカードの属性情報および該ＩＣカードへの搭載対象アプリケーションに関する情報を取得する情報取得手段と、前記受信した情報を必要によりＩＣカードアプリケーション管理データベースに登録するデータベース登録手段とを有する。
【０１４５】
以上のように構成されるＩＣカード運用管理システムにおいて、ＩＣカード発行管理システムは、許可書発行業務で登録要求された許可書に関する問合せをＩＣカードサービス提供管理システムから要求される許可書発行問合せ業務を行うにあたり、ＩＣカード発行管理通信サブシステムがＩＣカードサービス提供管理システムから許可書発行問合せを希望するＩＣカードの属性情報および該ＩＣカードへの搭載対象アプリケーションの属性情報を含むデータを受信し、この受信した情報を基に所定の許可書発行に関する情報を照会し、許可書発行問合せ処理終了後、必要により許可書発行問合せに関する情報をＩＣカード管理データベースに登録するとともに、許可書発行問合せの結果を含むデータをＩＣカードサービス提供管理システムに送信する。
【０１４６】
また、ＩＣカードサービス提供管理システムは、許可書発行業務で発行要求した許可書に関する問合せをＩＣカード発行管理システムに要求する許可書発行問合せ業務を行うにあたり、ＩＣカードサービス提供管理通信サブシステムがＩＣカード発行管理システムへ許可書発行問合せを希望するＩＣカードの属性情報および該ＩＣカードへの搭載対象アプリケーションの属性情報を含むデータを送信し、ＩＣカード発行管理システムから許可書発行問合せの結果を含むデータを受信し、この受信した情報を必要によりＩＣカードアプリケーション管理データベースに登録する。
【０１４７】
次に、許可書発行バッチ問合せ業務について図４２−図４４を参照して説明する。
【０１４８】
ＩＣカード発行管理システムにおける許可書発行バッチ問合せ業務とは、許可書発行業務で登録要求された際の受信メッセージに記載されたすべての許可書に関してまとめて問合せすることをＩＣカードサービス提供管理システムから要求される許可書発行バッチ問合せ業務であり、該許可書発行バッチ問合せ業務においてＩＣカード発行管理通信サブシステムがＩＣカードサービス提供管理システムから受信するデータは、許可書発行問合せを受信した際のメッセージ属性情報を含んでおり、許可書発行バッチ問合せ業務においてＩＣカード発行管理通信サブシステムがＩＣカードサービス提供管理システムへ送信するデータは、許可書発行バッチ問合せの結果を含んでいる。
【０１４９】
ＩＣカード情報管理サブシステムは、前記受信した情報を基に所定の許可書発行に関する情報を照会する照会手段と、許可書発行問合せ処理終了後、必要により許可書発行バッチ問合せに関する情報をＩＣカード管理データベースに登録するデータベース登録手段とを有する。
【０１５０】
一方、ＩＣカードサービス提供管理システムにおける許可書発行バッチ問合せ業務とは、許可書発行業務で発行要求した際の送信メッセージに記載されたすべての許可書に関してまとめて問合せすることをＩＣカード発行管理システムに要求する許可書発行バッチ問合せ業務であり、該許可書発行バッチ問合せ業務においてＩＣカードサービス提供管理通信サブシステムがＩＣカード発行管理システムへ送信するデータは、許可書発行要求を送信した際のメッセージ属性情報を含んでおり、前記許可書発行バッチ問合せ業務においてＩＣカードサービス提供管理通信サブシステムがＩＣカード発行管理システムから受信するデータは、許可書発行バッチ問合せの結果を含んでいる。
【０１５１】
ＩＣカードアプリケーション情報管理サブシステムは、許可書発行問合せを希望するＩＣカードの属性情報および該ＩＣカードへの搭載対象アプリケーションの属性情報を取得する情報取得手段と、前記受信した情報を必要によりＩＣカードアプリケーション管理データベースに登録するデータベース登録手段とを有する。
【０１５２】
このように構成されるＩＣカード運用管理システムにおいて、ＩＣカード発行管理システムは、許可書発行業務で登録要求された際の受信メッセージに記載されたすべての許可書に関してまとめて問合せすることをＩＣカードサービス提供管理システムから要求される許可書発行バッチ問合せ業務を行うにあたり、ＩＣカード発行管理通信サブシステムがＩＣカードサービス提供管理システムから許可書発行問合せを受信した際のメッセージ属性情報を含むデータを受信し、この受信した情報を基に所定の許可書発行に関する情報を照会し、許可書発行問合せ処理終了後、必要により許可書発行バッチ問合せに関する情報をＩＣカード管理データベースに登録するとともに、ＩＣカードサービス提供管理システムに許可書発行バッチ問合せの結果を含むデータを送信する。
【０１５３】
また、ＩＣカードサービス提供管理システムは、許可書発行業務で発行要求した際の送信メッセージに記載されたすべての許可書に関してまとめて問合せすることをＩＣカード発行管理システムに要求する許可書発行バッチ問合せ業務を行うにあたり、ＩＣカードサービス提供管理通信サブシステムがＩＣカード発行管理システムへ許可書発行要求を送信した際のメッセージ属性情報を含むデータを送信し、ＩＣカード発行管理システムから許可書発行バッチ問合せの結果を含むデータを受信し、この受信した情報を必要によりＩＣカードアプリケーション管理データベースに登録する。
【０１５４】
次に、カード情報照会業務について図４５−図４７を参照して説明する。
【０１５５】
ＩＣカード発行管理システムにおけるカード情報照会業務とは、ＩＣカードの運用状態、再発行情報を含むＩＣカードに関連する情報を照会をＩＣカードサービス提供管理システムから要求されるカード情報照会業務であり、該カード情報照会業務においてＩＣカード発行管理通信サブシステムがＩＣカードサービス提供管理システムから受信するデータは、照会対象ＩＣカードの属性情報を含んでおり、前記カード情報照会業務においてＩＣカード発行管理通信サブシステムがＩＣカードサービス提供管理システムへ送信するデータは、該ＩＣカードに関して照会要求のあった情報を含んでいる。
【０１５６】
ＩＣカード情報管理サブシステムは、前記受信した情報を基に照会対象ＩＣカード属性情報をＩＣカード管理データベース内で検索する検索手段と、カード情報照会処理終了後、必要により照会したＩＣカードに関する情報をＩＣカード管理データベースに登録するデータベース登録手段とを有する。
【０１５７】
一方、ＩＣカードサービス提供管理システムにおけるカード情報照会業務とは、ＩＣカードの運用状態、再発行情報を含むＩＣカードに関連する情報の照会をＩＣカード発行管理システムへ要求するカード情報照会業務であり、該カード情報照会業務においてＩＣカードサービス提供管理通信サブシステムがＩＣカード発行管理システムへ送信するデータは、照会対象ＩＣカードの属性情報を含んでおり、前記カード情報照会業務においてＩＣカードサービス提供管理通信サブシステムがＩＣカード発行管理システムから受信するデータは、該ＩＣカードに関して照会要求した情報を含んでいる。
【０１５８】
ＩＣカードアプリケーション情報管理サブシステムは、前記受信した情報を必要によりＩＣカードアプリケーション管理データベースに登録するデータベース登録手段とを有する。
【０１５９】
このように構成されるＩＣカード運用管理システムにおいて、ＩＣカード発行管理システムは、ＩＣカードの運用状態、再発行情報を含むＩＣカードに関連する情報の照会をＩＣカードサービス提供管理システムから要求されるカード情報照会業務を行うにあたり、ＩＣカード発行管理通信サブシステムがＩＣカードサービス提供管理システムから照会対象ＩＣカードの属性情報を含むデータを受信し、この受信した情報を基に照会対象ＩＣカード属性情報をＩＣカード管理データベース内で検索し、カード情報照会処理終了後、必要により照会したＩＣカードに関する情報をＩＣカード管理データベースに登録するとともに、ＩＣカードサービス提供管理システムにＩＣカードに関して照会要求のあった情報を含むデータを送信する。
【０１６０】
また、ＩＣカードサービス提供管理システムは、ＩＣカードの運用状態、再発行情報を含むＩＣカードに関連する情報の照会をＩＣカード発行管理システムへ要求するカード情報照会業務を行うにあたり、ＩＣカードサービス提供管理通信サブシステムがＩＣカード発行管理システムへ照会対象ＩＣカードの属性情報を含むデータを送信し、ＩＣカード発行管理システムからＩＣカードに関して照会要求した情報を含むデータを受信し、この受信した情報を必要によりＩＣカードアプリケーション管理データベースに登録する。
【０１６１】
次に、カード廃止通知業務について図４８−図４９を参照して説明する。
【０１６２】
ＩＣカード発行管理システムにおけるカード廃止通知業務とは、ＩＣカードが廃止されたことをＩＣカードサービス提供管理システムに通知するＩＣカード廃止通知業務であり、該ＩＣカード廃止通知業務においてＩＣカード発行管理通信サブシステムがＩＣカードサービス提供管理システムへ送信するデータは、廃止されたＩＣカードの属性情報または該ＩＣカードへの許可書発行要求を受信した際のメッセージの属性情報を含んでいる。
【０１６３】
ＩＣカード情報管理サブシステムは、ＩＣカードの廃止処理を行うＩＣカード廃止通知手段と、ＩＣカード廃止通知処理終了後、必要により廃止通知したＩＣカードに関する情報をＩＣカード管理データベースに登録するデータベース登録手段とを有する。
【０１６４】
一方、ＩＣカードサービス提供管理システムにおけるカード廃止通知業務とは、ＩＣカードを廃止されたことをＩＣカード発行管理システムから受信するＩＣカード廃止通知業務であり、該ＩＣカード廃止通知業務においてＩＣカードサービス提供管理通信サブシステムがＩＣカード発行管理システムから受信するデータは、廃止されたＩＣカードの属性情報または該ＩＣカードへの許可書発行要求を受信した際のメッセージの属性情報を含んでいる。
【０１６５】
ＩＣカードアプリケーション情報管理サブシステムは、前記受信した情報をＩＣカードアプリケーション管理データベースに登録するデータベース登録手段と、前記受信した情報に基づきＩＣカード運用業務を制御する運用業務制御手段とを有する。
【０１６６】
このように構成されるＩＣカード運用管理システムにおいて、ＩＣカード発行管理システムは、ＩＣカードが廃止されたことをＩＣカードサービス提供管理システムに通知するＩＣカード廃止通知業務を行うにあたり、ＩＣカード発行管理通信サブシステムがＩＣカードサービス提供管理システムへ廃止されたＩＣカードの属性情報または該ＩＣカードへの許可書発行要求を受信した際のメッセージの属性情報を含むデータを送信し、ＩＣカードの廃止処理を行い、ＩＣカード廃止通知処理終了後、必要により廃止通知したＩＣカードに関する情報をＩＣカード管理データベースに登録する。
【０１６７】
また、ＩＣカードサービス提供管理システムは、ＩＣカードが廃止されたことをＩＣカード発行管理システムから受信するＩＣカード廃止通知業務を行うにあたり、ＩＣカードサービス提供管理通信サブシステムがＩＣカード発行管理システムから廃止されたＩＣカードの属性情報または該ＩＣカードへの許可書発行要求を受信した際のメッセージの属性情報を含むデータを受信し、この受信した情報をＩＣカードアプリケーション管理データベースに登録するとともに、この受信した情報に基づきＩＣカード運用業務を制御する。
【０１６８】
次に、ＩＣカード再発行通知業務について図５０−図５１を参照して説明する。
【０１６９】
ＩＣカード発行管理システムにおけるＩＣカード再発行通知業務とは、ＩＣカードが再発行されたことをＩＣカードサービス提供管理システムに通知するＩＣカード再発行通知業務であり、該ＩＣカード再発行通知業務においてＩＣカード発行管理通信サブシステムがＩＣカードサービス提供管理システムへ送信するデータは、再発行されたＩＣカードの属性情報を含んでいる。
【０１７０】
ＩＣカード情報管理サブシステムは、プラットフォーム毎のＩＣカード再発行処理を行う再発行処理手段と、ＩＣカード再発行通知処理終了後、必要により再発行通知したＩＣカードに関する情報をＩＣカード管理データベースに登録するデータベース登録手段とを有する。
【０１７１】
一方、ＩＣカードサービス提供管理システムにおけるＩＣカード再発行通知業務とは、ＩＣカードが再発行されたことをＩＣカード発行管理システムから受信するＩＣカード再発行通知業務であり、該ＩＣカード再発行通知業務においてＩＣカードサービス提供管理通信サブシステムがＩＣカード発行管理システムから受信するデータは、再発行されたＩＣカードの属性情報を含んでいる。
【０１７２】
ＩＣカードアプリケーション情報管理サブシステムは、前記受信した情報をＩＣカードアプリケーション管理データベースに登録するデータベース登録手段と、前記受信した情報に基づきＩＣカード運用業務を制御する運用業務制御手段とを有する。
【０１７３】
以上のように構成されるＩＣカード運用管理システムにおいて、ＩＣカード発行管理システムは、ＩＣカードが再発行されたことをＩＣカードサービス提供管理システムに通知するＩＣカード再発行通知業務を行うにあたり、ＩＣカード発行管理通信サブシステムがＩＣカードサービス提供管理システムへ再発行されたＩＣカードの属性情報を含むデータを送信し、プラットフォーム毎のＩＣカード再発行処理を行い、ＩＣカード再発行通知処理終了後、必要により再発行通知したＩＣカードに関する情報をＩＣカード管理データベースに登録する。
【０１７４】
また、ＩＣカードサービス提供管理システムは、ＩＣカードが再発行されたことをＩＣカード発行管理システムから受信するＩＣカード再発行通知業務を行うにあたり、ＩＣカードサービス提供管理通信サブシステムがＩＣカード発行管理システムから再発行されたＩＣカードの属性情報を含むデータを受信し、この受信した情報をＩＣカードアプリケーション管理データベースに登録するとともに、この受信した情報に基づきＩＣカード運用業務を制御する。
【０１７５】
次に、レシート通知業務について図５２−図５６を参照して説明する。
【０１７６】
ＩＣカード発行管理システムにおけるレシート通知業務とは、ＩＣカードヘアプリケーションを搭載したことをＩＣカードサービス提供管理システムから受信するレシート通知業務であり、該レシート通知業務においてＩＣカード発行管理通信サブシステムがＩＣカードサービス提供管理システムから受信するデータは、アプリケーションが搭載されたＩＣカードの属性情報または該ＩＣカードへ許可書発行要求を受信した際のメッセージの属性情報を含んでいる。
【０１７７】
ＩＣカード情報管理サブシステムは、前記受信した情報をＩＣカード管理データベースに登録するデータベース登録手段と、前記受信した情報に基づきＩＣカード運用業務を制御する制御手段とを有する。
【０１７８】
一方、ＩＣカードサービス提供管理システムにおけるレシート通知業務とは、ＩＣカードへアプリケーションを搭載したことをＩＣカード発行管理システムに通知するレシート通知業務であり、該レシート通知業務においてＩＣカードサービス提供管理通信サブシステムがＩＣカード発行管理システムへ送信するデータは、アプリケーションが搭載されたＩＣカードの属性情報または該ＩＣカードへの許可書発行要求を送信した際のメッセージの属性情報を含んでいる。
【０１７９】
ＩＣカードアプリケーション情報管理サブシステムは、レシートを作成するレシート作成手段と、レシート通知処理終了後、必要によりレシート通知したＩＣカードに関する情報をＩＣカードアプリケーション管理データベースに登録するデータベース登録手段とを有する。
【０１８０】
以上のように構成されるＩＣカード運用管理システムにおいて、ＩＣカード発行管理システムは、ＩＣカードへアプリケーションを搭載したことをＩＣカードサービス提供管理システムから受信するレシート通知業務を行うにあたり、ＩＣカード発行管理通信サブシステムがＩＣカードサービス提供管理システムからアプリケーションが搭載されたＩＣカードの属性情報または該ＩＣカードへの許可書発行要求を受信した際のメッセージの属性情報を含むデータを送信し、この受信した情報をＩＣカード管理データベースに登録するとともに、この受信した情報に基づきＩＣカード運用業務を制御する。
【０１８１】
また、ＩＣカードサービス提供管理システムは、ＩＣカードへアプリケーションを搭載したことをＩＣカード発行管理システムに通知するレシート通知業務を行うにあたり、ＩＣカードサービス提供管理通信サブシステムがＩＣカード発行管理システムへアプリケーションが搭載されたＩＣカードの属性情報をまたは該ＩＣカードへの許可書発行要求を送信した際のメッセージの属性情報を含むデータを送信し、レシート通知処理終了後、必要によりレシート通知したＩＣカードに関する情報をＩＣカードアプリケーション管理データベースに登録する。
【０１８２】
次に、ホットリスト通知業務について図５７−図６０を参照して説明する。
【０１８３】
ＩＣカード発行管理システムにおけるホットリスト通知業務とは、ＩＣカードの紛失、盗難、その他の何らかの理由により利用を停止したいＩＣカードに関する情報をＩＣカードサービス提供管理システムに通知するホットリスト通知業務であり、該ホットリスト通知業務においてＩＣカード発行管理通信サブシステムがＩＣカードサービス提供管理システムから受信するデータは、利用停止を希望するＩＣカードの属性情報を含んでいる。
【０１８４】
ＩＣカード情報管理サブシステムは、ホットリストを作成するホットリスト作成手段と、ホットリスト通知処理終了後、必要によりホットリスト通知したＩＣカードに関する情報をＩＣカード管理データベースに登録するデータベース登録手段とを有する。
【０１８５】
一方、ＩＣカードサービス提供管理システムにおけるホットリスト通知業務とは、ＩＣカードの紛失、盗難、その他の何らかの理由により利用を停止したいＩＣカードに関する情報をＩＣカード発行管理システムから受信するホットリスト通知業務であり、該ホットリスト通知業務においてＩＣカードサービス提供管理通信サブシステムがＩＣカード発行管理システムから送信するデータは、利用停止を希望するＩＣカードの属性情報を含んでいる。
【０１８６】
ＩＣカードアプリケーション情報管理サブシステムは、前記受信した情報をＩＣカードアプリケーション管理データベースに登録するデータベース登録手段と、前記受信した情報に基づきＩＣカード運用業務を制御する運用業務制御手段とを有する。
【０１８７】
以上のように構成されるＩＣカード運用管理システムにおいて、ＩＣカード発行管理システムは、ＩＣカードの紛失、盗難、その他の何らかの理由により利用を停止したいＩＣカードに関する情報をＩＣカードサービス提供管理システムに通知するホットリスト通知業務を行うにあたり、ＩＣカード発行管理通信サブシステムがＩＣカードサービス提供管理システムへ利用停止を希望するＩＣカードの属性情報を含むデータを送信し、ホットリスト通知処理終了後、必要によりホットリスト通知したＩＣカードに関する情報をＩＣカード管理データベースに登録する。
【０１８８】
また、ＩＣカードサービス提供管理システムは、ＩＣカードの紛失、盗難、その他の何らかの理由により利用を停止したいＩＣカードに関する情報をＩＣカード発行管理システムから受信するホットリスト通知業務を行うにあたり、ＩＣカードサービス提供管理通信サブシステムがＩＣカード発行管理システムから利用停止を希望するＩＣカードの属性情報を含むデータを受信し、この受信した情報をＩＣカードアプリケーション管理データベースに登録するとともに、この受信した情報に基づきＩＣカード運用管理システムを制御する。
【０１８９】
次に、ホットリスト問合せ業務について図６１−図６３を参照して説明する。
【０１９０】
ＩＣカード発行管理システムにおけるホットリスト問合せ業務とは、ＩＣカードの紛失、盗難、その他の何らかの理由により利用を停止したいＩＣカードに関する問合せをＩＣカードサービス提供管理システムから受信するホットリスト問合せ業務であり、該ホットリスト問合せ業務においてＩＣカード発行管理通信サブシステムがＩＣカードサービス提供管理システムから受信するデータは、配信を希望するホットリストのバージョン情報を含んでいる。
【０１９１】
ＩＣカード情報管理サブシステムは、ＩＣカードサービス提供管理システムからの希望に応じたホットリストを作成するホットリスト作成手段と、ＩＣカードサービス提供管理システムへ前記ホットリストを送信するホットリスト送信手段とを有する。
【０１９２】
一方、ＩＣカードサービス提供管理システムにおけるホットリスト問合せ業務とは、ＩＣカードの紛失、盗難、その他の何らかの理由により利用を停止したいＩＣカードに関する問合せをＩＣカード発行管理システムへ行うホットリスト問合せ業務であり、該ホットリスト問合せ業務においてＩＣカードサービス提供管理通信サブシステムがＩＣカード発行管理システムへ送信するデータは、配信を希望するホットリストのバージョン番号を含んでいる。
【０１９３】
ＩＣカード情報管理サブシステムは、ＩＣカード発行管理システムからホットリストを受信するホットリスト受信手段と、前記受信した情報に基づきＩＣカードアプリケーション管理データベースを更新するデータベース更新手段とを有する。
【０１９４】
以上のように構成されたＩＣカード運用管理システムにおいて、ＩＣカード発行管理システムは、ＩＣカードの紛失、盗難、その他の何らかの理由により利用を停止したいＩＣカードに関する問合せをＩＣカードサービス提供管理システムから受信するホットリスト問合せ業務を行うにあたり、ＩＣカード発行管理通信サブシステムがＩＣカードサービス提供管理システムから配信を希望するホットリストのバージョン情報を含むデータを受信し、ＩＣカードサービス提供管理システムからの希望に応じたホットリストを作成し、該ホットリストをＩＣカードサービス提供管理システムへ送信する。
【０１９５】
また、ＩＣカードサービス提供管理システムは、ＩＣカードの紛失、盗難、その他の何らかの理由により利用を停止したいＩＣカードに関する問合せをＩＣカード発行管理システムへ行うホットリスト問合せ業務を行うにあたり、ＩＣカードサービス提供管理通信サブシステムがＩＣカード発行管理システムへ配信を希望するホットリストバージョン番号を含むデータを送信し、ＩＣカード発行管理システムからホットリストを受信し、この受信した情報に基づきＩＣカードアプリケーション管理データベースを更新する。
【０１９６】
【発明の効果】
以上説明したように、本発明によれば、ＩＣカード発行管理システムは所定のＩＣカード管理情報をＩＣカード管理データベースに登録管理し、所定のＩＣカード運用業務処理をＩＣカード情報管理サブシステムで行い、ＩＣカード管理情報を用いて、ＩＣカードサービス提供管理システムと所定のＩＣカード運用業務を実現するための通信データを生成してＩＣカードサービス提供管理システムにネットワークを介して送信し、またＩＣカードサービス提供管理システムからのＩＣカード運用業務に関する通信データを受信し、ＩＣカードサービス提供管理システムは所定のＩＣカードアプリケーション管理情報をＩＣカードアプリケーション管理データベースに登録管理し、所定のＩＣカード運用業務処理をＩＣカードアプリケーション情報管理サブシステムで行い、ＩＣカードアプリケーション管理情報を用いて、ＩＣカード発行管理システムと所定のＩＣカード運用業務を実現するための通信データを生成し、この通信データをＩＣカード発行管理システムにネットワークを介して送信し、ＩＣカード発行管理システムからのＩＣカード運用業務に関する通信データを受信するので、カード発行者のＩＣカード発行管理システムとサービス提供者のＩＣカードサービス提供管理システムが異なるベンダによるシステムである場合の相互接続性の問題と解決し、所定のＩＣカード運用業務を円滑かつ統一的に実現することができる。
【図面の簡単な説明】
【図１】本発明の一実施形態に係るＩＣカード運用管理システムの構成を示すブロック図である。
【図２】ＩＣカードを運用する業務と手段であるプロトコルの対応表を示す図である。
【図３】全プロトコルに共通な引数ｈｅａｄｅｒの内容を示す図である。
【図４】アプリケーション登録業務のシーケンス図である。
【図５】アプリケーション登録業務における引数の内容を示す図である。
【図６】アプリケーション登録業務における引数の内容を示す図である。
【図７】アプリケーション登録申請手段の動作（１）を示す図である。
【図８】アプリケーション登録申請手段の動作（２）を示す図である。
【図９】アプリケーション登録申請手段を示す図である。
【図１０】アプリケーション登録手段の動作を示す図である。
【図１１】アプリケーション登録手段を示す図である。
【図１２】ＩＣカードの構成を示す図である。
【図１３】アプリケーション登録取り消し業務のシーケンス図である。
【図１４】アプリケーション登録取り消し業務におけるデータ項目を示す図である。
【図１５】アプリケーション登録取り消し業務におけるデータ項目を示す図である。
【図１６】アプリケーション登録バッチ取り消し業務のシーケンス図を示す図である。
【図１７】アプリケーション登録バッチ取り消し業務におけるデータ項目を示す図である。
【図１８】アプリケーション登録バッチ取り消し業務におけるデータ項目を示す図である。
【図１９】アプリケーション登録問合せ業務のシーケンス図である。
【図２０】アプリケーション登録問合せ業務におけるデータ項目を示す図である。
【図２１】アプリケーション登録問合せ業務におけるデータ項目を示す図である。
【図２２】アプリケーション登録バッチ問合せ業務のシーケンス図である。
【図２３】アプリケーション登録バッチ問合せ業務におけるデータ項目を示す図である。
【図２４】アプリケーション登録バッチ問合せ業務におけるデータ項目を示す図である。
【図２５】アプリケーション登録抹消業務のシーケンス図である。
【図２６】アプリケーション登録抹消業務のデータ項目を示す図である。
【図２７】アプリケーション登録抹消業務のデータ項目を示す図である。
【図２８】許可書発行業務のシーケンス図である。
【図２９】許可書発行業務のデータ項目を示す図である。
【図３０】許可書発行業務のデータ項目を示す図である。
【図３１】許可書発行業務のデータ項目を示す図である。
【図３２】許可書発行業務のデータ項目を示す図である。
【図３３】許可書発行取り消し業務のシーケンス図である。
【図３４】許可書発行取り消し業務のデータ項目を示す図である。
【図３５】許可書発行取り消し業務のデータ項目を示す図である。
【図３６】許可書発行バッチ取り消し業務のシーケンス図である。
【図３７】許可書発行バッチ取り消し業務のデータ項目を示す図である。
【図３８】許可書発行バッチ取り消し業務のデータ項目を示す図である。
【図３９】許可書発行問合せ業務のシーケンス図である。
【図４０】許可書発行問合せ業務のデータ項目を示す図である。
【図４１】許可書発行問合せ業務のデータ項目を示す図である。
【図４２】許可書発行バッチ問合せ業務のシーケンス図である。
【図４３】許可書発行バッチ問合せ業務のデータ項目を示す図である。
【図４４】許可書発行バッチ問合せ業務のデータ項目を示す図である。
【図４５】カード情報照会業務のシーケンス図である。
【図４６】カード情報照会業務のデータ項目を示す図である。
【図４７】カード情報照会業務のデータ項目を示す図である。
【図４８】カード廃止通知業務のシーケンス図である。
【図４９】カード廃止通知業務のデータ項目を示す図である。
【図５０】カード再発行通知業務のシーケンス図である。
【図５１】カード再発行通知業務のデータ項目を示す図である。
【図５２】レシート通知業務のシーケンス図である。
【図５３】レシート通知業務のデータ項目を示す図である。
【図５４】レシート通知業務のデータ項目を示す図である。
【図５５】レシート通知業務のデータ項目を示す図である。
【図５６】レシート通知業務のデータ項目を示す図である。
【図５７】ホットリスト通知業務のシーケンス図である。
【図５８】ホットリスト通知業務のデータ項目を示す図である。
【図５９】ホットリスト通知業務のデータ項目を示す図である。
【図６０】ホットリスト通知業務のデータ項目を示す図である。
【図６１】ホットリスト問合せ業務のシーケンス図である。
【図６２】ホットリスト通知業務のデータ項目を示す図である。
【図６３】ホットリスト通知業務のデータ項目を示す図である。
【符号の説明】
１１  ＩＣカードサービス提供管理システム
１２  ＩＣカード発行管理システム
１３  ＩＣカードアプリケーション管理データベース
１４  ＩＣカード管理データベース
１５  ＩＣカードアプリケーション情報管理サブシステム
１６  ＩＣカード情報管理サブシステム
１７、１８  外部端末
１９  ＩＣカード
２０  ネットワーク
【図１】
0003639204.tif 000002
【図２】
0003639204.tif 000003
【図３】
0003639204.tif 000004
【図４】
0003639204.tif 000005
【図５】
0003639204.tif 000006
【図６】
0003639204.tif 000007
【図７】
0003639204.tif 000008
【図８】
0003639204.tif 000009
【図９】
0003639204.tif 000010
【図１０】
0003639204.tif 000011
【図１１】
0003639204.tif 000012
【図１２】
0003639204.tif 000013
【図１３】
0003639204.tif 000014
【図１４】
0003639204.tif 000015
【図１５】
0003639204.tif 000016
【図１６】
0003639204.tif 000017
【図１７】
0003639204.tif 000018
【図１８】
0003639204.tif 000019
【図１９】
0003639204.tif 000020
【図２０】
0003639204.tif 000021
【図２１】
0003639204.tif 000022
【図２２】
0003639204.tif 000023
【図２３】
0003639204.tif 000024
【図２４】
0003639204.tif 000025
【図２５】
0003639204.tif 000026
【図２６】
0003639204.tif 000027
【図２７】
0003639204.tif 000028
【図２８】
0003639204.tif 000029
【図２９】
0003639204.tif 000030
【図３０】
0003639204.tif 000031
【図３１】
0003639204.tif 000032
【図３２】
0003639204.tif 000033
【図３３】
0003639204.tif 000034
【図３４】
0003639204.tif 000035
【図３５】
0003639204.tif 000036
【図３６】
0003639204.tif 000037
【図３７】
0003639204.tif 000038
【図３８】
0003639204.tif 000039
【図３９】
0003639204.tif 000040
【図４０】
0003639204.tif 000041
【図４１】
0003639204.tif 000042
【図４２】
0003639204.tif 000043
【図４３】
0003639204.tif 000044
【図４４】
0003639204.tif 000045
【図４５】
0003639204.tif 000046
【図４６】
0003639204.tif 000047
【図４７】
0003639204.tif 000048
【図４８】
0003639204.tif 000049
【図４９】
0003639204.tif 000050
【図５０】
0003639204.tif 000051
【図５１】
0003639204.tif 000052
【図５２】
0003639204.tif 000053
【図５３】
0003639204.tif 000054
【図５４】
0003639204.tif 000055
【図５５】
0003639204.tif 000056
【図５６】
0003639204.tif 000057
【図５７】
0003639204.tif 000058
【図５８】
0003639204.tif 000059
【図５９】
0003639204.tif 000060
【図６０】
0003639204.tif 000061
【図６１】
0003639204.tif 000062
【図６２】
0003639204.tif 000063
【図６３】
0003639204.tif 000064